(57)【要約】【課題】遊技への注目度を高めることが可能な遊技機を提供すること。【解決手段】パチンコ機は、遊技領域を流下する遊技球が入球可能な可変入賞ユニット１５１を有している。可変入賞ユニット１５１は、遊技球が入球可能な状態と入球不可となる状態とに変位する。可変入賞ユニット１５１へ入球した遊技球を排出するための排出通路には、遊技球を排出する開放状態と排出しない閉鎖状態とに変位可能な排出扉が設けられている。排出通路には分岐通路が設けられており、分岐通路側に遊技球が導出されると遊技者に特典が付与される。排出扉から第１個数の遊技球が排出される場合よりも、当該第１個数より少ない第２個数の遊技球が排出される場合の方が、分岐通路に導出され易くなっている。【選択図】図４
2018108135.tif 000002
【特許請求の範囲】
【請求項１】
遊技球が流下する遊技領域に設けられ、遊技球が入球可能な所定の入球部と、
前記所定の入球部へ遊技球が入球可能となる入球可能状態と遊技球が入球不可又は入球困難となる入球不可状態とに切換可能な可変入球手段と、
前記所定の入球部へ入球した遊技球を排出するための排出通路と、
前記排出通路に設けられ、遊技球を排出可能となる排出可能状態と遊技球を排出不可となる排出不可状態とに切換可能な可変排出手段と、
前記排出通路から分岐する通路であって、遊技球を前記排出通路とは異なる領域へ導出することが可能な分岐通路と、
を備え、
前記可変入球手段へ入球した遊技球が前記分岐通路へ導出された場合のほうが、前記分岐通路へ導出されないよりも遊技者にとって有利となる構成であり、
前記可変排出手段から第１個数の遊技球が排出される場合、前記分岐通路側へ遊技球が導出されにくくし、前記可変入球手段から前記第１個数より少ない第２個数の遊技球が排出される場合、前記分岐通路側へ遊技球が導出され易くなるようにする特定手段を備えていることを特徴とする遊技機。
【請求項２】
前記特定手段は、前記可変入球手段から排出される遊技球の個数が前記第１個数の場合と前記第２個数の場合とで前記所定の入球部への入球数を異ならせることなく、前記分岐通路への導出率を変化させることが可能な構成であることを特徴とする請求項１に記載の遊技機。
【請求項３】
前記分岐通路との分岐位置に設けられ、遊技球を前記分岐通路に導出する態様と、前記分岐通路に導出しない態様とに切換可能な可変振分手段と、
予め定められた所定周期で前記可変振分手段の切換制御を実行する可変振分制御手段と、
を備え、
前記特定手段は、前記可変振分手段による前記切換制御の所定周期を変更することなく、前記分岐通路への導出率を変化させることが可能な構成であることを特徴とする請求項１又は請求項２に記載の遊技機。
【請求項４】
前記可変排出手段は、前記第１個数の遊技球を排出した場合の方が前記第２個数の遊技球を排出した場合よりも、その後の排出タイミングにおいて排出可能となる遊技球の個数が多くなり得る構成であることを特徴とする請求項１乃至３のいずれか１に記載の遊技機。
【請求項５】
前記特定手段は、前記その後の排出タイミングにおいて遊技球を前記分岐通路に導出され易くするものであることを特徴とする請求項４に記載の遊技機。
【請求項６】
予め定められた移行契機に基づいて、前記可変入球手段を前記入球不可状態から前記入球可能状態に切り換え、その後前記入球不可状態に切り換える可変切換制御を複数回実行可能となる特定状態に移行させる移行手段と、
前記特定状態において、前記可変入球手段が前記入球不可状態に切り換えられてから前記入球可能状態に切り換えられるまでの所定の待機期間を設定する設定手段と、
を備え、
前記可変排出手段は、前記設定手段により設定される前記所定の待機期間中に前記排出可能状態となる構成であり、前記設定手段により設定される前記所定の待機期間が第１期間である場合に前記第１個数の遊技球を排出可能とし、前記設定手段により設定される前記所定の待機期間が前記第１期間よりも短い第２期間である場合に前記第２個数の遊技球を排出可能となる構成であることを特徴とする請求項１乃至５のいずれか１に記載の遊技機。
【発明の詳細な説明】
【技術分野】
【０００１】
本発明は遊技機に関するものである。
【背景技術】
【０００２】
パチンコ機等の遊技機として、遊技領域に設けられた入球部としての可変入賞装置を備えたものが知られている（例えば特許文献１参照）。
【先行技術文献】
【特許文献】
【０００３】
【特許文献１】特開２００７−０００４１０号公報
【発明の概要】
【発明が解決しようとする課題】
【０００４】
ここで、遊技機においては遊技への注目度を高める工夫が望まれている。
【０００５】
本発明は、上記例示した事情等に鑑みてなされたものであり、遊技への注目度を高めることが可能な遊技機を提供することを目的とするものである。
【課題を解決するための手段】
【０００６】
請求項１記載の発明は、
遊技球が流下する遊技領域に設けられ、遊技球が入球可能な所定の入球部と、
前記所定の入球部へ遊技球が入球可能となる入球可能状態と遊技球が入球不可又は入球困難となる入球不可状態とに切換可能な可変入球手段と、
前記所定の入球部へ入球した遊技球を排出するための排出通路と、
前記排出通路に設けられ、遊技球を排出可能となる排出可能状態と遊技球を排出不可となる排出不可状態とに切換可能な可変排出手段と、
前記排出通路から分岐する通路であって、遊技球を前記排出通路とは異なる領域へ導出することが可能な分岐通路と、
を備え、
前記可変入球手段へ入球した遊技球が前記分岐通路へ導出された場合のほうが、前記分岐通路へ導出されないよりも遊技者にとって有利となる構成であり、
前記可変排出手段から第１個数の遊技球が排出される場合、前記分岐通路側へ遊技球が導出されにくくし、前記可変入球手段から前記第１個数より少ない第２個数の遊技球が排出される場合、前記分岐通路側へ遊技球が導出され易くなるようにする特定手段を備えていることを特徴とする。
【発明の効果】
【０００７】
本発明によれば、遊技への注目度を高めることが可能となる。
【図面の簡単な説明】
【０００８】
【図１】第１の実施形態におけるパチンコ機を示す正面図である。
【図２】パチンコ機の主要な構成を展開して示す斜視図である。
【図３】パチンコ機の主要な構成を展開して示す斜視図である。
【図４】遊技盤の構成を示す正面図である。
【図５】可変入賞ユニットの構成を示す斜視図である。
【図６】可変入賞ユニットの構成を示す破断図である。
【図７】可変入賞ユニットの動作を説明するための概略図である。
【図８】可変入賞ユニットを背面側から見た斜視図である。
【図９】可変入賞ユニットの断面図である。
【図１０】パチンコ機の電気的構成を示すブロック図である。
【図１１】図柄表示装置の表示画面における表示内容を説明するための概略図である。
【図１２】図柄表示装置の表示画面における表示内容を説明するための概略図である。
【図１３】当否抽選などに用いられる各種カウンタの内容を説明するための説明図である。
【図１４】主制御装置のＭＰＵにて実行されるタイマ割込み処理を示すフローチャートである。
【図１５】主制御装置のＭＰＵにて実行される通常処理を示すフローチャートである。
【図１６】遊技回制御処理を示すフローチャートである。
【図１７】遊技状態移行処理を示すフローチャートである。
【図１８】大入賞口開閉処理を示すフローチャートである。
【図１９】ラウンドにおける大入賞口への入球個数を説明するための図である。
【図２０】主制御装置のＭＰＵにて実行される球詰まり判定処理を示すフローチャートである。
【図２１】第２の実施形態において、閉鎖時間の設定処理を示すフローチャートである。
【図２２】各ラウンドにおける大入賞口への入球個数を説明するための図である。
【図２３】演出制御装置のＭＰＵにて実行される開閉実行モード用演出処理を示すフローチャートである。
【図２４】第３の実施形態における遊技盤の構成を示す正面図である。
【図２５】大入賞口開放処理を示すフローチャートである。
【図２６】開閉実行モード中の各可変入賞ユニットの関係を説明するための図である。
【図２７】第３の実施形態の変形例における、各可変入賞ユニットの関係を説明するための図である。
【図２８】第４の実施形態における、当否テーブルを説明するための説明図である。
【図２９】振分テーブルを説明するための説明図である。
【図３０】ラウンド表示の開始処理を示すフローチャートである。
【図３１】大入賞口開閉処理を示すフローチャートである。
【図３２】閉鎖時間の設定処理を示すフローチャートである。
【図３３】ラウンドとラウンドとの間の待機時間を説明するため図である。
【図３４】ラウンドの継続時間と待機時間の長さの関係を説明するための図である。
【図３５】各ラウンドにおける大入賞口への入球個数を説明するための図である。
【図３６】第５の実施形態において、（ａ）は遊技盤の構成を示す図であり、（ｂ）は主制御装置のＭＰＵにて実行される排出駆動用処理を示すフローチャートである。
【図３７】第６の実施形態における大入賞口からの排出通路を説明するための概略図である。
【図３８】第７の実施形態における大入賞口等からの排出通路を説明するための概略図である。
【図３９】第８の実施形態において、（ａ）は遊技盤の構成を示す図であり、（ｂ）は排出通路を説明するための概略図である。
【図４０】第９の実施形態において、（ａ）及び（ｂ）は排出通路を説明するための概略図であり、（ｃ）は可変入賞ユニットへの適用例を説明するための概略図である。
【図４１】第１０の実施形態における大入賞口からの排出通路を説明するための概略図である。
【図４２】当否テーブルを説明するための説明図である。
【図４３】振分テーブルを説明するための説明図である。
【図４４】（ａ）は高確率モードへの移行用処理を示すフローチャートであり、（ｂ）は開閉実行モード終了時の移行処理を示すフローチャートである。
【図４５】閉鎖時間の設定処理を示すフローチャートである。
【図４６】振分駆動用処理を示すフローチャートである。
【図４７】遊技球の排出先を説明するためのタイミングチャートである。
【図４８】第１１の実施形態における閉鎖時間の設定処理を示すフローチャートである。
【図４９】第１２の実施形態における振分テーブルを説明するための説明図である。
【図５０】第１３の実施形態における遊技球の排出先を説明するためのタイミングチャートである。
【発明を実施するための形態】
【０００９】
＜第１の実施形態＞
以下、遊技機の一種であるパチンコ遊技機（以下、「パチンコ機」という）の第１の実施形態を、図面に基づいて説明する。図１はパチンコ機１０の正面図、図２及び図３はパチンコ機１０の主要な構成を展開して示す斜視図である。なお、図２では便宜上パチンコ機１０の遊技領域内の構成を省略している。
【００１０】
パチンコ機１０は、当該パチンコ機１０の外殻を形成する外枠１１と、この外枠１１に対して前方に回動可能に取り付けられた遊技機本体１２とを有する。遊技機本体１２は、内枠１３と、その内枠１３の前方に配置される前扉枠１４と、内枠１３の後方に配置される裏パックユニット１５とを備えている。
【００１１】
図２に示すように、遊技機本体１２のうち内枠１３が、左右両側部のうち一方を支持側として外枠１１に回動可能に支持されている。また、内枠１３には、前扉枠１４が回動可能に支持されており、左右両側部のうち一方を支持側として前方へ回動可能とされている。また、内枠１３には、裏パックユニット１５が回動可能に支持されており、左右両側部のうち一方を支持側として後方へ回動可能とされている。
【００１２】
なお、遊技機本体１２には、その回動先端部に施錠装置１６が設けられており、遊技機本体１２を外枠１１に対して開放不能に施錠状態とする機能を有しているとともに、前扉枠１４を内枠に対して開放不能に施錠状態とする機能を有している。これらの各施錠状態は、パチンコ機１０前面にて露出させて設けられたシリンダ錠１７に対して解錠キーを用いて解錠操作を行うことにより、それぞれ解除される。
【００１３】
内枠１３の前面側全体を覆うようにして設けられた前扉枠１４には、後述する遊技領域のほぼ全域を前方から視認することができるようにした窓部６１が形成されている。窓部６１は、略楕円形状をなし、窓パネル６２が嵌め込まれている。窓パネル６２は、ガラスによって無色透明に形成されているが、これに限定されることはなく合成樹脂によって無色透明に形成されていてもよい。
【００１４】
窓部６１の周囲には、各種ランプ部等の発光手段が設けられている。当該各種ランプ部の一部として表示発光部６３が窓部６１の上方に設けられている。また、表示発光部６３の左右両側には、遊技状況に応じた効果音などが出力されるスピーカ部６４が設けられている。
【００１５】
前扉枠１４における窓部６１の下方には、手前側へ膨出した上側膨出部６５と下側膨出部６６とが上下に並設されている。上側膨出部６５内側には上方に開口した上皿７１が設けられており、下側膨出部６６内側には同じく上方に開口した下皿７２が設けられている。上皿７１は、裏パックユニット１５に設けられた払出装置９６より払い出された遊技球を一旦貯留し、一列に整列させながら遊技球発射機構５３側へ導くための機能を有する。また、下皿７２は、上皿７１内にて余剰となった遊技球を貯留する機能を有する。
【００１６】
前扉枠１４において下皿７２の右方には、発射ハンドル６０が設けられている。発射ハンドル６０が操作されることにより、内枠１３において遊技領域ＰＥの下方に設けられた遊技球発射機構５３から遊技領域ＰＥに向けて遊技球が発射される。この場合、発射ハンドル６０の回転操作量を変更することで、遊技領域ＰＥに向けて発射される遊技球の発射強度、すなわち発射の勢いが変更される。
【００１７】
遊技領域ＰＥは、内枠１３に搭載された遊技盤２４に形成されている。以下、遊技盤２４の構成を図４に基づいて説明する。図４は遊技盤２４の正面図である。
【００１８】
遊技盤２４の表面には、内レール部５１と外レール部５２とが取り付けられており、これら内レール部５１及び外レール部５２によって区画されるようにして遊技領域ＰＥが形成されている。また、これら内レール部５１及び外レール部５２により遊技領域ＰＥへの遊技球の誘導レールが構成され、遊技者が発射ハンドル６０を回転操作したことにより遊技球発射機構５３から発射された遊技球は上記誘導レールによって遊技領域ＰＥの上部に案内される。
【００１９】
誘導レールは、その出口部分が遊技領域ＰＥの一方の側部において遊技領域ＰＥの上部中央を向くようにして形成されている。そのため、遊技者による発射ハンドル６０の回転操作量が大きくなるにしたがって、遊技領域ＰＥの上部における遊技球の到達位置は、誘導レールの出口部分が形成された側部の側からその反対側の側部の側へとシフトしていく。なお、誘導レールの出口部分は、遊技領域ＰＥの左側の側部に設けられている。
【００２０】
遊技盤２４において遊技領域ＰＥとして区画される範囲には、ルータ加工が施されることによって前後方向に貫通する大小複数の開口部が形成されている。各開口部には一般入賞口３１，上作動口（第１入球部）３３，下作動口（第２入球部）３４，可変入賞ユニット１５１、スルーゲート３５、可変表示ユニット３６、メイン表示部４３及び役物用表示部４４等がそれぞれ設けられている。
【００２１】
一般入賞口３１、上作動口３３、下作動口３４、スルーゲート３５及び可変入賞ユニット１５１への入球が発生すると、それぞれ対応させて設けられている検知センサ（一般入賞口用入賞センサ３１ａ、上作動口用入賞センサ３３ａ、下作動口用入賞センサ３４ｃ、スルー用入賞センサ３５ａ、大入賞口用入賞センサ３２ａ）により検知される。そして、一般入賞口３１、上作動口３３、下作動口３４及び可変入賞ユニット１５１への入賞が発生すると、所定数の賞球の払い出しが実行される。この場合、上作動口３３への入球が発生した場合には３個の賞球の払い出しが実行され、下作動口３４への入球が発生した場合には２個の賞球の払い出しが実行され、一般入賞口３１への入球が発生した場合には１０個の賞球の払い出しが実行され、可変入賞ユニット１５１への入球が発生した場合には１５個の賞球の払い出しが実行される。但し、これら賞球の個数は任意であり、例えば上作動口３３に係る賞球個数よりも下作動口３４に係る賞球個数を多くしてもよいし、両作動口３３，３４の賞球個数が同じであってもよい。また、可変入賞ユニット１５１に係る賞球個数を作動口３３，３４に係る賞球個数よりも少なくしてもよいし、両作動口３３，３４の賞球個数と同じであってもよい。但し、可変入賞ユニット１５１へ入賞することの優位性を保つためには、可変入賞ユニット１５１に係る賞球個数が作動口３３，３４に係る賞球個数よりも多いほうが好ましい。その他、一般入賞口３１に係る賞球個数を可変入賞ユニット１５１に係る賞球個数と同じ又はそれよりも多くしてもよい。後述するように、一般入賞口３１は、遊技の中核をなす大当たり抽選を行わせる遊技や大当たり中の遊技とは関係のない入球部であるところ、一般入賞口３１への入賞に基づく賞球はこの中核をなす遊技を行ううえでの補助的な役割をなすといえる。その点、一般入賞口３１に係る賞球個数が多いほど（又は一般入賞口３１への入賞が発生し易い構成であるほど）、大当たり抽選を行わせる遊技等を行ううえで持ち球の減りを少なくする又はトータル的に得られる賞球を多くすることが可能となる。
【００２２】
その他に、遊技盤２４の最下部にはアウト口３７が設けられており、各種入賞口等に入らなかった遊技球はアウト口３７を通って遊技領域から排出される。また、遊技盤２４には、遊技球の落下方向を適宜分散、調整等するために多数の釘３８が植設されていると共に、風車等の各種部材（役物）が配設されている。
【００２３】
ここで、入球とは、所定の開口部を遊技球が通過することを意味し、開口部を通過した後に遊技領域から排出される態様だけでなく、開口部を通過した後に遊技領域から排出されずに当該遊技領域の流下を継続する態様も含まれる。但し、以下の説明では、アウト口３７への遊技球の入球と明確に区別するために、一般入賞口３１、上作動口３３、下作動口３４、スルーゲート３５又は可変入賞ユニット１５１への遊技球の入球を、入賞とも表現する。
【００２４】
遊技領域ＰＥの中央部を含むようにして可変表示ユニット３６が設けられている。当該可変表示ユニット３６の周縁部が遊技盤２４の表面よりもパチンコ機１０前方に突出していることに起因して、遊技球が流下可能な領域が複数に区画されている。
【００２５】
具体的には、遊技領域ＰＥにおいて可変表示ユニット３６の所定の高さ位置よりも上方の領域である上側領域ＰＥ１と、当該上側領域ＰＥ１に対してその下方にて連続し可変表示ユニット３６よりも左方の領域である左側領域ＰＥ２と、上側領域ＰＥ１に対してその下方にて連続し可変表示ユニット３６よりも右方の領域である右側領域ＰＥ３と、左側領域ＰＥ２及び右側領域ＰＥ３のそれぞれに対してその下方にて連続し可変表示ユニット３６よりも下方の領域である下側領域ＰＥ４と、に区画されている。
【００２６】
遊技者が第１発射操作として所定回動量以上であって基準回動量未満である第１範囲の回動操作量で、発射ハンドル６０の回動操作を行うことで、上側領域ＰＥ１において横方向の中央位置よりも左方にて遊技球が流下し出す。この場合、遊技球は上側領域ＰＥ１→左側領域ＰＥ２→下側領域ＰＥ４の順で流下することとなる。その一方、遊技者が第２発射操作として基準回動量以上である第２範囲の回動操作量で発射ハンドル６０の回動操作を行うことで、上側領域ＰＥ１において横方向の中央位置よりも右方にて遊技球が流下し出す。この場合、遊技球は上側領域ＰＥ１→右側領域ＰＥ３→下側領域ＰＥ４の順で流下することとなる。つまり、遊技者は発射ハンドル６０の回動操作量を調整することで、左側領域ＰＥ２及び右側領域ＰＥ３のうち左側領域ＰＥ２を遊技球が流下するように遊技を行うことができるとともに、右側領域ＰＥ３を遊技球が流下するように遊技を行うことができる。
【００２７】
なお、基準回動量というのは、左側領域ＰＥ２を遊技球が流下する割合と、右側領域ＰＥ３を遊技球が流下する割合とが同一となる回動量のことであり、第１範囲の回動操作量では、左側領域ＰＥ２を遊技球が流下する割合が高くなり、第２範囲の回動操作量では、右側領域ＰＥ３を遊技球が流下する割合が高くなる。したがって、第１範囲の回動操作量において基準回動量に近い回動操作量では、右側領域ＰＥ３を遊技球が流下する可能性があり、第２範囲の回動操作量において基準回動量に近い回動操作量では、左側領域ＰＥ２を遊技球が流下する可能性がある。
【００２８】
上作動口３３及び下作動口３４は、作動口装置としてユニット化されて遊技盤２４に設置されている。上作動口３３及び下作動口３４はともに上向きに開放されている。また、上作動口３３が上方となるようにして両作動口３３，３４は鉛直方向に並んでいる。下作動口３４には、左右一対の可動片よりなるガイド片（サポート片）としての電動役物３４ａが設けられている。電動役物３４ａの閉鎖状態（非サポート状態又は非ガイド状態）では遊技球が下作動口３４に入賞できず、電動役物３４ａが開放状態（サポート状態又はガイド状態）となることで下作動口３４への入賞が可能となる。
【００２９】
上作動口３３及び下作動口３４は、遊技盤２４の下側領域ＰＥ４に設置されている。この場合、上作動口３３は可変表示ユニット３６に形成されたステージ３６ａの真下に配置されており、可変表示ユニット３６に形成された誘導通路（図示略）を介してステージ３６ａ上に流入した遊技球であってステージ３６ａの中央から可変表示ユニット３６外に排出される遊技球は上作動口３３や下作動口３４に入賞し易くなっている。
【００３０】
ちなみに、ステージ３６ａへの遊技球の誘導を可能とする誘導通路の入口部は、可変表示ユニット３６において上側領域ＰＥ１と左側領域ＰＥ２との境界部分に対応した位置（図４における第１保留発光部４５の上方の位置）に形成されており、それ以外の場所には形成されていない。
【００３１】
上記のように上作動口３３及び下作動口３４が下側領域ＰＥ４に設けられていることにより、左側領域ＰＥ２を遊技球が流下するように発射ハンドル６０が操作されている場合及び右側領域ＰＥ３を遊技球が流下するように発射ハンドル６０が操作されている場合のいずれにおいても上作動口３３及び下作動口３４への入賞が可能である。但し、ステージ３６ａへの誘導通路の入口部が左側領域ＰＥ２に対して設けられており、右側領域ＰＥ３に対して設けられていないことにより、左側領域ＰＥ２を流下した方が右側領域ＰＥ３を流下する場合に比べて上作動口３３及び下作動口３４への入賞が発生し易い。また、左側領域ＰＥ２及び右側領域ＰＥ３における遊技部品や釘３８の配列も、左側領域ＰＥ２を流下した方が右側領域ＰＥ３を流下する場合に比べて上作動口３３及び下作動口３４への入賞が発生し易いように設定されている。
【００３２】
なお、これに限定されることはなく、左側領域ＰＥ２を流下した遊技球のみが上作動口３３及び下作動口３４への入賞が可能となる構成としてもよい。
【００３３】
可変入賞ユニット（可変入球手段又は特別入球手段）１５１には、大入賞口３２が形成され、遊技領域ＰＥを流下する遊技球を受けるとともに当該遊技球を大入賞口３２へ誘導する誘導手段としての誘導機構１６１が設けられている。当該誘導機構１６１は、大入賞口３２用の誘導部材１６２を有している。誘導部材１６２は、大入賞口３２へ遊技球を誘導する誘導状態（受入状態又は開状態）と、大入賞口３２へ遊技球を誘導しない又は誘導しにくくなる非誘導状態（非受入状態又は閉状態）とに切替可能となっている。また、誘導部材１６２は可変入賞駆動部（詳しくはソレノイド）１８１と連結されており、通常時においては誘導部材１６２が非誘導状態のまま維持され、内部抽選において開閉実行モードへの移行に当選した場合に誘導状態に切り替えられるようになっている。可変入賞ユニット１５１については、後に詳細に説明する。
【００３４】
ここで、開閉実行モードとは、内部抽選において大当たり当選等となった場合に移行することとなるモードである。当該開閉実行モードについては、後に詳細に説明する。誘導部材１６２の誘導態様としては、所定時間（例えば３０ｓｅｃ）の経過又は所定個数（例えば１０個）の入賞を１ラウンドとして、複数ラウンド（例えば１５ラウンド）を上限として誘導部材１６２が繰り返し誘導状態とされる態様がある。
【００３５】
可変入賞ユニット１５１は、遊技盤２４の右側領域ＰＥ３に設置されている。これにより、右側領域ＰＥ３を遊技球が流下するように発射ハンドル６０が操作されている場合にのみ可変入賞ユニット１５１への入賞が可能である。そして、右側領域ＰＥ３を流下する遊技球は、可変入賞ユニット１５１の誘導部材１６２が誘導状態であれば大入賞口３２へ入賞可能であり、誘導部材１６２が非誘導状態であれば大入賞口３２へは入賞せずにアウト口３７を通じて遊技領域ＰＥ外へ排出される。
【００３６】
メイン表示部４３及び役物用表示部４４は、遊技領域ＰＥの下部側の外縁に沿って配設された装飾部材３９に設けられている。装飾部材３９は、遊技盤２４の盤面からパチンコ機１０前方に延出している。より具体的には、装飾部材３９の前面は、遊技領域ＰＥをパチンコ機１０前方から視認可能とするために前扉枠１４に設けられた窓パネル６２と対向しており、さらに窓パネル６２との間の距離は遊技球１個分よりも狭くなっている。これにより、装飾部材３９の前面の前方を遊技球が落下していくのが防止されている。
【００３７】
装飾部材３９の前面から露出するようにしてメイン表示部４３及び役物用表示部４４が設けられている。つまり、メイン表示部４３及び役物用表示部４４は、前扉枠１４の窓パネル６２を通じてパチンコ機１０前方から視認可能となっているとともに、これら両表示部４３，４４の前方を遊技球が落下していくのが防止されている。なお、装飾部材３９の上面には、上述した複数の一般入賞口３１の一部が上方に開放された状態で設置されている。
【００３８】
メイン表示部４３には、内部抽選の結果として開閉実行モードとなった場合（又は開閉実行モードとなる場合）において、その開閉実行モードにおけるラウンドの回数を明示するためのラウンド表示部ＲＳと、上作動口３３への入賞に基づいて行われた内部抽選の結果を明示するための第１結果表示部ＡＳと、下作動口３４への入賞に基づいて行われた内部抽選の結果を明示するための第２結果表示部ＢＳとが設定されている。
【００３９】
ラウンド表示部ＲＳでは、開閉実行モードの開始に際してラウンド回数の表示が開始され、開閉実行モードの終了に際して当該表示が終了される。
【００４０】
第１結果表示部ＡＳでは、上作動口３３への入賞をトリガとして絵柄の変動表示が行われ、その変動表示の停止結果として、上作動口３３への入賞に基づいて行われた内部抽選の結果が表示によって明示される。上作動口３３への入賞に基づく内部抽選の結果が開閉実行モードへの移行に対応した当選結果であった場合には、第１結果表示部ＡＳにて所定の停止結果が表示されて変動表示が停止された後に、開閉実行モードへ移行する。
【００４１】
第２結果表示部ＢＳでは、下作動口３４への入賞をトリガとして絵柄の変動表示が行われ、その変動表示の停止結果として、下作動口３４への入賞に基づいて行われた内部抽選の結果が表示によって明示される。下作動口３４への入賞に基づく内部抽選の結果が開閉実行モードへの移行に対応した当選結果であった場合には、第２結果表示部ＢＳにて所定の停止結果が表示されて変動表示が停止された後に、開閉実行モードへ移行する。
【００４２】
ここで、いずれかの作動口３３，３４への入賞に基づいて、対応する結果表示部ＡＳ，ＢＳにて変動表示が開始され、所定の停止結果を表示し上記変動表示が停止されるまでが遊技回の１回に相当する。但し、遊技回の１回は、上記の内容に限定されることはなく、例えば、単一の結果表示部が設けられ、いずれの作動口３３，３４への入賞が発生したとしてもその単一の結果表示部にて変動表示が行われる構成においては、当該単一の結果表示部にて変動表示が開始され、所定の停止結果を表示した状態で上記変動表示が停止されるまでを遊技回の１回とする。
【００４３】
役物用表示部４４は、スルーゲート３５への入賞に基づいて行われた内部抽選の結果を明示するための表示部である。この場合、役物用表示部４４では、スルーゲート３５への入賞をトリガとして絵柄の変動表示が行われ、その変動表示の停止結果として、スルーゲート３５への入賞に基づいて行われた内部抽選の結果が表示によって明示される。スルーゲート３５への入賞に基づく内部抽選の結果が電役開放状態への移行に対応した当選結果であった場合には、役物用表示部４４にて所定の停止結果が表示されて変動表示が停止された後に、電役開放状態へ移行する。電役開放状態では、下作動口３４に設けられた電動役物３４ａが所定の態様で開放状態となる。
【００４４】
なお、メイン表示部４３及び役物用表示部４４は、複数のセグメントを有するセグメント表示装置により構成されているが、これに限定されることはなく、液晶表示装置など他の表示装置を用いてもよい。
【００４５】
可変表示ユニット３６には、絵柄の一種である図柄を変動表示（又は、可変表示若しくは切換表示）する図柄表示装置４１が設けられている。また、可変表示ユニット３６には、図柄表示装置４１を囲むようにしてセンターフレーム４２が配設されている。このセンターフレーム４２は、その上部がパチンコ機１０前方に延出している。これにより、図柄表示装置４１の表示画面の前方を遊技球が落下していくのが防止されており、遊技球の落下により表示画面の視認性が低下するといった不都合が生じない構成となっている。
【００４６】
図柄表示装置４１は、液晶ディスプレイを備えた液晶表示装置として構成されており、後述する表示制御装置により表示内容が制御される。なお、図柄表示装置４１は、液晶表示装置であることに限定されることはなく、プラズマディスプレイ装置、有機ＥＬ表示装置又はＣＲＴといった他の表示装置であってもよい。
【００４７】
図柄表示装置４１には、例えば上、中及び下に並べて図柄が表示され、これらの図柄が左右方向にスクロールされるようにして変動表示されるようになっている。この場合、図柄表示装置４１における変動表示は、上作動口３３又は下作動口３４への入賞に基づいて開始される。すなわち、メイン表示部４３において変動表示が行われる場合には、それに合わせて図柄表示装置４１において変動表示が行われる。そして、例えば、開閉実行モードとして可変入賞ユニット１５１の誘導部材１６２が誘導状態となる開閉実行モードに移行する遊技回には、図柄表示装置４１では予め設定されている有効ライン上に所定の組み合わせの図柄が停止表示される。
【００４８】
センターフレーム４２の前面側における左上部分には、第１結果表示部ＡＳ及び図柄表示装置４１に対応した第１保留発光部４５が設けられている。遊技球が上作動口３３に入賞した個数は最大４個まで保留され、第１保留発光部４５の点灯によってその保留個数が表示されるようになっている。また、センターフレーム４２の前面側における右上部分には、第２結果表示部ＢＳ及び図柄表示装置４１に対応した第２保留発光部４６が設けられている。遊技球が下作動口３４に入賞した個数は最大４個まで保留され、第２保留発光部４６の点灯によってその保留個数が表示されるようになっている。上述したように、センターフレーム４２の上部がパチンコ機１０前方に延出していることにより、第１保留発光部４５及び第２保留発光部４６の視認性が遊技球の落下により阻害されない構成となっている。
【００４９】
センターフレーム４２の下部には、役物用表示部４４に対応した第３保留発光部４７が設けられている。遊技球がスルーゲート３５を通過した回数は最大４回まで保留され、第３保留発光部４７の点灯によってその保留個数が表示されるようになっている。なお、各保留発光部４５〜４７が図柄表示装置４１の一部で表示される構成等であってもよい。
【００５０】
可変入賞ユニット１５１は、いずれかの作動口３３，３４への遊技球の入球に基づく当否抽選によって大当たり当選等となることで誘導部材１６２が誘導状態とされる開閉実行モードに移行して、当該可変入賞ユニット１５１への遊技球の入球が可能となる。可変入賞ユニット１５１内に遊技球が入ると大入賞口用入賞センサ３２ａによってそれが検知されて、賞球が払い出される。
【００５１】
次に、遊技機本体１２の背面側の構成について説明する。
【００５２】
図３に示すように、内枠１３（具体的には、遊技盤２４）の背面には、主制御装置８１及び演出制御装置８２が搭載されている。
【００５３】
主制御装置８１は、遊技の主たる制御を司る機能（主制御回路）と、電源を監視する機能（停電監視回路）とを有する主制御基板を具備しており、当該主制御基板が透明樹脂材料等よりなる基板ボックス８３に収容されて構成されている。基板ボックス８３は、略直方体形状のボックスベース（表ケース体）とこのボックスベースの開口部を覆うボックスカバー（裏ケース体）とを備えている。これらボックスベースとボックスカバーとは分離阻止手段（又は、結合手段）としてのボックス結合部８５によって分離不能に連結され、これにより基板ボックス８３が封印されている。そして、これらボックス結合部８５によって分離不能に連結されていることで、基板ボックス８３の内部空間の開放に際しては当該基板ボックス８３の破壊又は一部の切除を要する構成となっている。ボックス結合部８５は、基板ボックス８３の長辺部に複数設けられ、そのうち少なくとも一つが用いられて結合処理が行われる。
【００５４】
ボックス結合部８５はボックスベースとボックスカバーとを開放不能に結合する構成であれば任意の構成が適用できるが、ボックス結合部８５を構成する長孔に係止爪を挿入することでボックスベースとボックスカバーとが開放不能に結合されるようになっている。ボックス結合部８５による結合処理は、その結合後の不正な開放を防止し、また万一不正開放が行われてもそのような事態を早期に且つ容易に発見可能とするものであって、一旦開放した後でも再度開放処理を行うこと自体は可能である。すなわち、複数のボックス結合部８５のうち、少なくとも一つの長孔に係止爪を挿入することにより結合処理が行われる。そして、収容した主制御基板の不具合発生の際や主制御基板の検査の際など基板ボックス８３を開放する場合には、係止爪が挿入されたボックス結合部８５と他のボックス結合部８５との連結部分やボックス本体との連結部分を切断する。これにより、基板ボックス８３のボックスベースとボックスカバーとが分離され、内部の主制御基板を取り出すことができる。その後、再度結合処理する場合は他のボックス結合部８５の長孔に係止爪を挿入する。基板ボックス８３の開放を行った旨の履歴を当該基板ボックス８３に残しておけば、基板ボックス８３を見ることで不正な開放が行われた旨が容易に発見できる。
【００５５】
基板ボックス８３一方の短辺部には、その側方に突出するようにして複数の結合片８６が設けられている。これら結合片８６は、主制御装置８１の取付台に形成された複数の被結合片８７と１対１で対応しており、結合片８６と被結合片８７とにより基板ボックス８３と取付台との間で結合処理が行われる。
【００５６】
なお、上記基板ボックス８３の不正な開放を発見するための痕跡手段として、封印シールをボックスベースとボックスカバーとの境界を跨ぐようにして貼り付ける構成としてもよい。この場合、封印シールをその貼付箇所から剥がした場合には、当該封印シールの接着剤層が基板ボックス８３側に残り、その痕跡が残ることとなる。さらには、当該封印シールに所定周波数の呼び出し波に対して識別情報を含む応答波を発信するＩＣタグを設け、封印シールを剥がした場合には、当該ＩＣタグのアンテナが切断されて、上記応答波の発信が不可となる構成としてもよい。
【００５７】
演出制御装置８２は、主制御装置８１からの指示に従い音声やランプ表示、及び図示しない表示制御装置の制御を司る演出制御基板を具備しており、演出制御基板が透明樹脂材料等よりなる基板ボックス８４に収容されて構成されている。
【００５８】
裏パックユニット１５は、図３に示すように、裏パック９１を備えており、当該裏パック９１に対して、払出機構部９２及び制御装置集合ユニット９３が取り付けられている。なお、裏パック９１は透明性を有する合成樹脂により形成されており、主制御装置８１や演出制御装置８２などを後方から覆うように、後方に突出し略直方体形状をなす保護カバー部９４を有している。
【００５９】
払出機構部９２は、保護カバー部９４を迂回するようにして配設されており、遊技場の島設備から供給される遊技球が逐次補給されるタンク９５と、当該タンク９５に貯留された遊技球を払い出すための払出装置９６と、を備えている。払出装置９６より払い出された遊技球は、当該払出装置９６の下流側に設けられた図示しない払出通路を通じて、上皿７１又は下皿７２に排出される。また、払出機構部９２には、例えば交流２４ボルトの主電源が供給されるとともに、電源のＯＮ操作及びＯＦＦ操作を行うための電源スイッチが設けられた裏パック基板が搭載されている。
【００６０】
また、裏パック９１には、裏パックユニット１５の回動軸側であって上縁側に外部出力端子９９が設けられている。外部出力端子９９には、タンク９５などで遊技球が不足した場合に信号出力するための出力端子、所定個数の賞球を払い出す毎に信号出力するための出力端子、所定個数の遊技球を貸し出す毎に信号出力するための出力端子、遊技機本体１２の開放時に信号出力するための出力端子、前扉枠１４の開放時に信号出力するための出力端子、及び開閉実行モードなどの状態移行に際して（又は、状態に移行している間）信号出力するための出力端子が設けられている。そして、これらの出力端子を通じて、遊技ホール側の管理制御装置に対して枠側の状態に関する信号が出力される。なお、所定個数の遊技球を貸し出す毎に信号出力するための出力端子はいわゆる現金機においては不要である。
【００６１】
制御装置集合ユニット９３は、払出制御装置９７と電源及び発射制御装置９８とを備えている。これら払出制御装置９７と電源及び発射制御装置９８とは、払出制御装置９７がパチンコ機１０後方となるように前後に重ねて配置されている。
【００６２】
払出制御装置９７は、払出装置９６を制御する払出制御基板が基板ボックス内に収容されて構成されている。この場合、当該払出制御装置９７の基板ボックスに対して、主制御装置８１の基板ボックス８３と同様の不正抑制手段を適用してもよい。
【００６３】
電源及び発射制御装置９８は、電源及び発射制御基板が基板ボックス内に収容されて構成されており、当該基板により、各種制御装置等で要する所定の電力が生成されて出力され、さらに遊技者による発射ハンドル６０の操作に伴う遊技球の打ち出しの制御が行われる。また、本パチンコ機１０は各種データの記憶保持機能を有しており、万一停電が発生した際でも停電時の状態を保持し、停電からの復帰の際には停電時の状態に復帰できるようになっている。
【００６４】
＜可変入賞ユニット１５１＞
本実施形態においては、開閉実行モードとなることで入賞が許容される上記可変入賞ユニット１５１の構成が特徴的なものとなっている。そこで、以下、図４に加えて図５〜図９を参照しながら、可変入賞ユニット１５１の構成を詳細に説明する。図５は可変入賞ユニット１５１を斜め前方から見た斜視図であり、図６は可変入賞ユニット１５１の内部構造を示す破断図である。なお、図５では可変入賞ユニット１５１の前面カバーを取り外した状態で示しており、図６では当該前面カバーを一部破断して示している。図７は可変入賞ユニット１５１の背面図であり、図８は可変入賞ユニット１５１を斜め後方から見た斜視図であり、図９は可変入賞ユニット１５１の縦断面図である。なお、各図においては、主要な構成が見易くなるように一部の構成を省略して示している。
【００６５】
図４に示すように、遊技盤２４の右側領域ＰＥ３には、遊技盤２４の厚さ方向に貫通させた開口部２５が形成されている。図５に示すように、可変入賞ユニット１５１はベース体１５２を有しており、ベース体１５２を開口部２５に対して遊技機前方から嵌め込むことにより、可変入賞ユニット１５１が遊技盤２４に取り付けられている（図９参照）。
【００６６】
ベース体１５２は、遊技盤２４に取り付けられた状態で遊技盤２４の前面と面一となる平板部１５４と当該平板部１５４から遊技機前方に膨出させた膨出部１５５とを有している。膨出部１５５としては、左右方向に左側膨出部１５６と右側膨出部１５７とがそれぞれ形成されており、これら左右の膨出部１５６，１５７は所定の間隔を隔てて配置されている。左右の膨出部１５６，１５７はそれぞれ平板部１５４から遊技機前方に起立させた左側起立壁１５６ａと右側起立壁１５７ａにより外周が覆われており、膨出部１５６，１５７内への遊技球の侵入が規制されている。換言すると、遊技球は起立壁１５６ａ，１５７ａに沿って膨出部１５６，１５７の左右に振り分けられて流下する。
【００６７】
図６に示すように、これら膨出部１５６，１５７を前方から覆うように、前面カバー１５８が設けられている。前面カバー１５８は、平板部１５４と隙間を隔てて対向しており、これら平板部１５４、膨出部１５６，１５７及び前面カバー１５８によって囲われた領域を遊技球が通過可能となっている。なお、以下の説明では、当該囲われた領域を通過領域ＴＥという。より具体的には、左右の膨出部１５６，１５７は遊技球の所定個数（例えば４個）分の直径寸法よりも広い間隔を隔てて配置されており、また、平板部１５４と前面カバー１５８との間隔は遊技球の直径寸法よりも若干広めとなっている。つまり通過領域ＴＥは、複数の遊技球が横方向に並んで流下することが可能なように形成されている。
【００６８】
なお、前面カバー１５８は透明な樹脂等により形成されており、背後の構成（例えば通過領域ＴＥ）を遊技機前方から視認することが可能となっている。
【００６９】
膨出部１５６，１５７の間には、可変入賞ユニット１５１の誘導機構１６１における誘導部材１６２が配置されている。誘導部材１６２は、左右方向に長辺を有する矩形板状の受け部１６３を有し、当該受け部１６３はその長辺が通過領域ＴＥの左右方向の幅全域に亘るように延在させて形成されている。受け部１６３は、その短辺の長さが遊技球の直径よりも若干長くなるように形成されている。受け部１６３は一方の長辺側に設けられた誘導回動軸１６４を中心として回動可能となるように、ベース体１５２に取り付けられている。そして、受け部１６３は、ベース体１５２の平板部１５４と平行となる状態（図５（ｂ））と、当該平行となる状態から上方に向けて回動させて平板部１５４から遊技機前方に向けて起立した状態（図５（ａ））と、に切替可能となっている。より詳しくは、受け部１６３が平板部１５４と平行となった状態では、受け部１６３の前方を向く面である受け面１６３ａが平板部１５４及び遊技盤２４の前面と面一となり、受け部１６３が平板部１５４から前方へ起立した状態となると、受け面１６３ａが上方を向いて上方から流下する遊技球を受けることが可能となる。
【００７０】
大入賞口３２は、受け部１６３の短辺のうちの一方側に設けられている。より具体的には、膨出部１５６，１５７のうち一方である右側膨出部１５７の右側起立壁１５７ａには、左側起立壁１５６ａと対向する位置（通過領域ＴＥを向く位置）において遊技球が通過可能な大入賞口３２が形成されている。受け部１６３は大入賞口３２に下り傾斜となるように設けられており、受け部１６３が平板部１５４から遊技機前方に向けて起立した状態となると、通過領域ＴＥを通過する遊技球を受けるとともに、当該受けた遊技球を大入賞口３２へ向けて誘導することが可能となる。また、受け部１６３が平板部１５４と平行となる状態では、通過領域ＴＥを通過する遊技球を受けることができず、大入賞口３２へも遊技球を誘導することができなくなる。すなわち、受け部１６３が平板部１５４から遊技機前方に向けて起立した状態が誘導部材１６２の誘導状態であり、受け部１６３が平板部１５４と平行となる状態が誘導部材１６２の非誘導状態である。
【００７１】
なお、ベース体１５２において受け部１６３の誘導回動軸１６４が取り付けられた箇所の下方には、受け部１６３の厚み分だけ遊技機後方に向けて陥没させた陥没部１５９が形成されている（図９参照）。そして、受け部１６３が平板部１５４と平行となり誘導部材１６２が非誘導状態となると、図９（ｂ）に示すように、受け部１６３は陥没部１５９に収容される。これにより、誘導部材１６２が非誘導状態となった場合における、受け部１６３による通過領域ＴＥを通過する遊技球に対する干渉が抑制されている。
【００７２】
右側膨出部１５７の内部において、遊技機前方に向けて起立させた内壁部１７１が設けられている。内壁部１７１は、大入賞口３２の上端及び下端から連続するように、遊技球１個分の間隔を隔てて第１内壁部１７２と第２内壁部１７３とが設けられており、第１内壁部１７２と第２内壁部１７３とは通過領域ＴＥとは逆側に向けて延在させて形成されている。そして、第１内壁部１７２、第２内壁部１７３、平板部１５４、前面カバー１５８とによって、大入賞口３２からの遊技球の排出通路ＨＴが形成されている。
【００７３】
第１内壁部１７２及び第２内壁部１７３は、通過領域ＴＥとは逆側に向けて延在させるとともに、途中で折り返して通過領域ＴＥに向けて延在させて形成されている。そして、排出通路ＨＴが全体的に下り傾斜となるように、第１内壁部１７２と第２内壁部１７３とが形成されている。つまり、排出通路ＨＴは、途中で曲部を有する曲線通路となっている。
【００７４】
図６に示すように、第１内壁部１７２及び第２内壁部１７３は、排出通路ＨＴの最下流部が大入賞口３２の下方となる位置まで延在させて形成されている。そして、当該最下流部において、平板部１５４には前後方向に開口させて遊技球が通過可能な排出口１７４が形成されている。排出口１７４の後方には、遊技球を遊技機外部へ排出するための図示しない通路が形成されている。すなわち、大入賞口３２を通過した遊技球は、排出通路ＨＴによって排出口１７４まで誘導され、排出口１７４から遊技機外部へ排出される。
【００７５】
図８に示すように、誘導機構１６１として、排出口１７４には、当該排出口１７４を閉鎖する閉鎖状態と開放する開放状態とに切替可能な排出扉１７５が設けられている。排出扉１７５は、当該排出扉１７５の上端に設けられ左右方向に延在する排出回動軸１７６を中心に回動可能となっている。排出扉１７５が閉鎖状態となると、ベース体１５２の平板部１５４に対して後方から当接して排出口１７４を塞ぎ、排出扉１７５が開放状態となると、平板部１５４から後方に向けて起立して排出口１７４と重ならない状態となる。そして、排出扉１７５が閉鎖状態となることで、大入賞口３２から入球した遊技球は排出口１７４から排出されなくなる。
【００７６】
排出通路ＨＴは、その通路空間に所定個数の遊技球が収容されるように設定されている（図６参照）。より具体的には、排出通路ＨＴの通路空間は遊技球１０個分が収容されるように設定されている。そのため、排出通路ＨＴは、排出扉１７５が閉鎖状態である状況において、１０個を上限として遊技球の排出を留保することが可能な機能を有しているといえる。換言すると、排出扉１７５が閉鎖状態である状況では、大入賞口３２へは１０個を上限として入球可能であり、それを超える遊技球は排出通路ＨＴに留まる遊技球（より具体的には１０個目の遊技球）によって入球できなくなる。また、上記のように、誘導部材１６２が非誘導状態となることでも大入賞口３２へ遊技球は入球できなくなる。
【００７７】
上記のように、排出通路ＨＴは曲部を有する曲線通路として形成されているため、排出通路ＨＴ内に遊技球が留保されると、当該曲部においては、各遊技球は、遊技球の直径よりも短くなる箇所同士で当接する（図６参照）。そのため、排出通路ＨＴの通路長は、上記収容される所定個数（１０個）分の遊技球の長さ以下の長さとなる。より詳しくは、排出通路ＨＴの通路長は、所定個数分の遊技球の長さよりも短くなるように設定されている。このようにすることで、限られた領域でより多くの遊技球を収容することが可能となる。
【００７８】
誘導機構１６１の動作原理について、特に図８及び図９を参照しながら説明する。ベース体１５２の背面には可変入賞駆動部１８１が設けられている。可変入賞駆動部１８１は主制御装置８１と接続されており、主制御装置８１によって可変入賞駆動部１８１の駆動制御が行われる。可変入賞駆動部１８１には第１リンク部材１８２が固定されており、可変入賞駆動部１８１が駆動制御されることによって、第１リンク部材１８２が左右方向に動作する。より詳しくは、可変入賞駆動部１８１が駆動状態となると第１リンク部材１８２は左右方向の一方（遊技機前方から見て左方、図８では右方）へ移動し、可変入賞駆動部１８１が非駆動状態となると第１リンク部材１８２は駆動状態の方向とは逆方向（遊技機前方から見て右方、図８では左方）へ移動する。
【００７９】
ベース体１５２の背面には、前後方向の回動軸を中心に回動可能な第２リンク部材１８３が設けられている。第２リンク部材１８３は、第１リンク部材１８２とリンクする第１リンク部１８４と、誘導部材１６２とリンクする第２リンク部１８５とを有している。より詳しくは、第２リンク部材１８３は第１リンク部材１８２の上方に配置されており、第２リンク部材１８３の回動軸１８６も第１リンク部材１８２よりも上方に配置されている。そして、第２リンク部材１８３の第１リンク部１８４は、回動軸１８６の下方となるように設けられており、第２リンク部材１８３の第２リンク部１８５は、第２リンク部材１８３において回動軸１８６を挟んで可変入賞駆動部１８１とは逆側に設けられている。
【００８０】
第１リンク部１８４についてより詳細には、第２リンク部材１８３には、回動軸１８６と平行となるように後方に向けて第１リンク突起１８３ａが突出形成されている。また、第１リンク部材１８２は、前後方向に起立し、第１リンク突起１８３ａを左右方向から挟み込むように間隔を隔てた第１壁部１８２ａと第２壁部１８２ｂとが設けられている。そして、可変入賞駆動部１８１が駆動制御されて第１リンク部材１８２が左右方向に動作すると、第１リンク突起１８３ａが第１壁部１８２ａと第２壁部１８２ｂとの間を摺動して、第２リンク部材１８３が回動軸１８６を中心として回動する。
【００８１】
第２リンク部材１８３における第２リンク部１８５は、誘導部材１６２において誘導回動軸１６４を挟んで受け部１６３とは反対側の部位とリンクしている。より詳しくは、図８に示すように、誘導部材１６２において、誘導回動軸１６４を挟んで受け部１６３と逆側であって、受け部１６３の長辺における大入賞口３２側の端部には、受け部１６３の受け面１６３ａと交差（直交）する面を有するように矩形板状の扉部１６５が設けられている。扉部１６５は、その短辺の長さが遊技球の直径よりも長くなるように形成されている。誘導部材１６２が誘導状態となると、扉部１６５は平板部１５４の後方に配置され（図８（ａ））、誘導部材１６２が非誘導状態となると、扉部１６５はその一部が通過領域ＴＥに突出するとともに、扉部１６５の他の一部が平板部１５４の後方に配置される。扉部１６５において、誘導部材１６２が非誘導状態となっても平板部１５４の後方に配置される部位には、第２リンク部材１８３に向けて誘導突起１６６が突出形成されている。そして、この誘導突起１６６に対して、第２リンク部材１８３の第２リンク部１８５が上方から当接することで、誘導部材１６２と第２リンク部材１８３とがリンクしている。
【００８２】
図７に示すように、誘導部材１６２の誘導回動軸１６４にはねじりバネ１６７が設けられており、当該ねじりバネ１６７によって誘導部材１６２は非誘導状態側に付勢されている。上記のように、第２リンク部材１８３が回動軸１８６を中心として回動すると、第２リンク部１８５も回動する。第２リンク部材１８３が正面視で時計回りに回動（図７では反時計回りに回動）して第２リンク部１８５が上方に移動すると、誘導部材１６２はねじりバネ１６７の付勢力によって、誘導状態から非誘導状態に回動する。また、第２リンク部材１８３が正面視で反時計回りに回動（図７では時計回りに回動）して第２リンク部１８５が後方に移動すると、第２リンク部材１８３の回動力（可変入賞駆動部１８１の駆動力）が誘導部材１６２の誘導突起１６６を介して伝達し、誘導部材１６２は非誘導状態から誘導状態に回動する。
【００８３】
すなわち、可変入賞駆動部１８１による第１リンク部材１８２の左右方向の動作は、前後方向を回動軸とする回転動作として第２リンク部材１８３へ伝達し、左右方向を回動軸とする回転動作として誘導部材１６２に伝達する。このようにすることで、可変入賞ユニット１５１の前後方向の厚みを分厚くすることなく、誘導部材１６２を変位させることが可能となる。仮に、誘導部材１６２の誘導回動軸１６４を回動させるためのモータを誘導回動軸１６４の延長線上に設ける構成とすると、当該モータはその半径分だけ遊技盤２４前方に突出して配置されることになる。そうすると、誘導回動軸１６４の大入賞口３２とは逆側に当該モータを設ける構成とすると、左側膨出部１５６が大きくなり、その分、可変入賞ユニット１５１が右側領域ＰＥ３に占める割合が大きくなる。また、誘導回動軸１６４の大入賞口３２側に当該モータを設ける構成とすると、排出通路ＨＴを当該モータを迂回させて形成する必要が生じる。その点、上記のような可変入賞駆動部１８１とすることで、可変入賞ユニット１５１の空間を有効利用することが可能となる。
【００８４】
さらに、誘導部材１６２が非誘導状態となり、扉部１６５の一部が通過領域ＴＥに突出すると、当該通過領域ＴＥに突出した部分は、大入賞口３２に対して通過領域ＴＥ側から重なるように配置される。これにより、誘導部材１６２が非誘導状態となった場合に、大入賞口３２への入球が制限される。一方、誘導部材１６２が誘導状態となると、扉部１６５は平板部１５４の後方に配置され、大入賞口３２とは重ならない。これにより、誘導部材１６２が誘導状態となった場合に、大入賞口３２への入球が許容される。つまり、誘導部材１６２が誘導状態となると、受け部１６３によって遊技球を受けることが可能となるとともに、扉部１６５と大入賞口３２とが重ならない状態となって大入賞口３２へ遊技球を誘導する状態となる。また、誘導部材１６２が非誘導状態となると、受け部１６３によって遊技球を受けることができなくなるとともに、扉部１６５と大入賞口３２とが重なって大入賞口３２へ遊技球を誘導できない状態となる。
【００８５】
排出通路ＨＴの通路長と、扉部１６５の位置との関係を説明すると、図６に示すように、排出通路ＨＴの最大収容個数である１０個の遊技球が当該排出通路ＨＴに収容された場合、扉部１６５が非誘導状態となって通過領域ＴＥに突出すると、最上流位置に配置される（最大収容個数目である）１０個目の遊技球よりも扉部１６５が上流側（通過領域ＴＥ側）であって、当該１０個目の遊技球から上流側において遊技球の半径よりも短い位置に扉部１６５が配置される。つまり、誘導部材１６２が誘導状態と非誘導状態とに変位すると、扉部１６５は、排出通路ＨＴに最大収容個数の遊技球が収容された場合における、当該収容個数目の遊技球よりも上流側であって、当該最大収容個数目の遊技球から遊技球半個分よりも下流側において、開閉動作が行われる。このような位置で開閉動作が行われることで、排出通路ＨＴに最大収容個数の遊技球が収容された状態で、後続の遊技球が当該最大個数目の遊技球に当接した状態で受け部１６３に受けられて入球待ちとなったとしても、扉部１６５が閉鎖状態に変位すれば、当該入球待ちとなっている遊技球を排出通路ＨＴ側ではなく通過領域ＴＥ側振り分けることが可能となる。
【００８６】
次に、誘導部材１６２と排出扉１７５との関係について説明する。
【００８７】
図７に示すように、排出扉１７５の排出回動軸１７６にはねじりバネ１７７が設けられており、当該ねじりバネ１７７によって排出扉１７５は開放状態に向けて付勢されている。また、第１内壁部１７２及び第２内壁部１７３は、排出通路ＨＴが大入賞口３２の下方まで延在するように形成されており、排出口１７４は大入賞口３２の下方に配置されている。誘導部材１６２が非誘導状態から誘導状態に変位して、大入賞口３２を開閉する扉部１６５が回動すると、当該扉部１６５において、扉部１６５の大入賞口３２とは重ならない側の端部に形成された当接部１６８が排出扉１７５に対して後方から当接する（図８参照）。そして、当該当接部１６８に押圧されることで排出扉１７５は開放状態から閉鎖状態に変位する。誘導部材１６２が誘導状態から非誘導状態に変位すると、当接部１６８は排出扉１７５とは当接しなくなり、排出扉１７５はねじりバネ１７７の付勢力によって閉鎖状態から開放状態に変位する。
【００８８】
以上、可変入賞ユニット１５１の動作をまとめると、可変入賞駆動部１８１が非駆動状態である場合には、第１リンク部材１８２によって第２リンク部材１８３の第２リンク部１８５は上方に配置される。その結果、誘導部材１６２は、ねじりバネ１６７の付勢力によって非誘導状態に配置される。誘導部材１６２が非誘導状態に配置されると、受け部１６３は平板部１５４と平行となり通過領域ＴＥを通過する遊技球を受けることができなくなる。また、誘導部材１６２が非誘導状態に配置されると、扉部１６５は大入賞口３２と重なり、大入賞口３２への入賞が規制される。一方で、誘導部材１６２が非誘導状態に配置されると、扉部１６５は排出扉１７５と当接せず、排出扉１７５はねじりバネ１７７の付勢力によって開放状態に配置される。
【００８９】
可変入賞駆動部１８１が駆動状態となると、第１リンク部材１８２によって第２リンク部材１８３の第２リンク部１８５は下方に配置される。その結果、誘導部材１６２に対してねじりバネ１６７の付勢力に抗する力が付与され、誘導部材１６２は誘導状態に変位する。誘導部材１６２が誘導状態に配置されると、受け部１６３は通過領域ＴＥに突出した状態となり、通過領域ＴＥを通過する遊技球を受けるとともに、大入賞口３２へ当該遊技球を誘導することが可能となる。また、誘導部材１６２が誘導状態に配置されると、扉部１６５は大入賞口３２と重ならない状態となり、受け部１６３によって誘導された遊技球は大入賞口３２へ入賞可能となる。一方で、誘導部材１６２が誘導状態に配置されると、扉部１６５は排出扉１７５に対して後方から当接し、排出扉１７５に対してねじりバネ１７７の付勢力に抗する力が付与され、排出扉１７５は閉鎖状態に配置される。そのため、大入賞口３２から入賞した遊技球は、排出通路ＨＴから排出口１７４を介して排出されず、排出通路ＨＴに保持される。
【００９０】
既に説明したとおり、排出通路ＨＴは１０個を上限として遊技球を保持可能であり、それ以上の遊技球は排出通路ＨＴへ侵入することができなくなっている。これにより、誘導部材１６２が誘導状態に配置される状況において、所定個数である１０個を超える遊技球は大入賞口３２から入賞できない。その後、誘導部材１６２が非誘導状態となると、上記のように、排出扉１７５は開放状態となり、遊技球は排出通路ＨＴから排出される。
【００９１】
図６に示すように、排出通路ＨＴには、大入賞口３２から入賞した遊技球を検知する大入賞口用入賞センサ３２ａが設けられている。大入賞口用入賞センサ３２ａは、排出通路ＨＴにおいて扉部１６５と排出扉１７５との間の領域であって、大入賞口３２から連続する位置に設けられており、大入賞口３２から排出通路ＨＴへ流入した遊技球を直ちに検知することが可能となっている。
【００９２】
また、図６において拡大して示すように、排出通路ＨＴの入口付近において大入賞口用入賞センサ３２ａよりも大入賞口３２側の位置には、戻り防止弁１７８が設けられている。戻り防止弁１７８は、排出通路ＨＴの入口付近において底部を構成する第２内壁部１７３から排出通路ＨＴ内部へ向けて突出するとともに、排出通路ＨＴ下流側（排出口１７４側）に向けて傾斜させて設けられている。戻り防止弁１７８は、例えばステンレス製の薄板状の部材である。戻り防止弁１７８は弾性変形可能となっており、大入賞口３２から流入した遊技球は、戻り防止弁１７８を第２内壁部１７３側へ弾性変形させながら、当該戻り防止弁１７８を乗り越えて通過する。また、上記のように、戻り防止弁１７８は排出通路ＨＴの下流側に向けて傾斜させて設けられているため、戻り防止弁１７８を乗り越えた遊技球が大入賞口３２側に戻ろうとすると、当該戻り防止弁１７８に引っかかり大入賞口３２側への移動が規制される。このように、戻り防止弁１７８を設けたことで、大入賞口３２から流入した遊技球が、例えば排出通路ＨＴに保持されている遊技球と衝突するなどして大入賞口３２から再び通過領域ＴＥ側へ排出されてしまうことが防止されている。
【００９３】
ここで、排出通路ＨＴに１０個の遊技球が保持されて満タンの状態となった場合、最後に流入した１０個目の遊技球は、戻り防止弁１７８を乗り越えて当該戻り防止弁１７８と当接した状態で保持される。戻り防止弁１７８について詳細には、第２内壁部１７３側に弾性変形した戻り防止弁１７８は、遊技球が通過して排出通路ＨＴ内側に復元した状態で、上記１０個目の遊技球と当接している。このような位置関係となることで、排出通路ＨＴが満タンの状態となっている状況で例えば後続の遊技球が１０個目の遊技球に衝突した場合であっても、保持されている遊技球の移動が極力抑えられる。よって、上記のように遊技球の衝突が発生しても、保持されている遊技球は大入賞口３２側から排出されないようになっている。換言すると、排出通路ＨＴの満タンの保持状態を保ちつつも、後続の遊技球を大入賞口３２へ入賞させない機能が担保される。
【００９４】
図６において拡大して示すように、排出通路ＨＴに遊技球が満タンの状態となった場合、大入賞口用入賞センサ３２ａは１０個目の遊技球を検知することができず、且つ後続の遊技球を検知することができないように、排出通路ＨＴ内に遊技球が保持される。より具体的には、大入賞口用入賞センサ３２ａの検知領域は、排出通路ＨＴの通路長の方向に見て大入賞口用入賞センサ３２ａの約中央付近となるように設定されている。また、大入賞口用入賞センサ３２ａが遊技球を検知する場合、遊技球の直径部分を被検知領域として検知する。そして、排出通路ＨＴに遊技球が満タンの状態となった場合には、１０個目の遊技球の被検知領域が、大入賞口用入賞センサ３２ａの検知領域よりも排出通路ＨＴの下流側に位置するように、１０個目の遊技球が保持される。一方、後続の遊技球が当該１０個目の遊技球に当接した場合、当該後続の遊技球の被検知領域は、大入賞口用入賞センサ３２ａの検知領域に到達しない。このようにすることで、１０個目の遊技球の入賞を検知しつつ、後続の遊技球を検知してしまう事象を回避することが可能となる。
【００９５】
また、上記可変入賞ユニット１５１においては、上方から流下する遊技球を受け部１６３によって受け、その流下方向を右方に変化させて大入賞口３２へ誘導する構成としている。そのため、大入賞口３２へ遊技球が流入する際には、当該遊技球の速度が低下した状態で流入する。このようにすれば、当該遊技球は、排出通路ＨＴに保持されている遊技球に対して比較的ゆっくりと衝突することになり、大入賞口用入賞センサ３２ａにおける誤検知を抑制することが可能となる。
【００９６】
＜パチンコ機１０の電気的構成＞
次に、パチンコ機１０の電気的構成について、図１０のブロック図に基づいて説明する。
【００９７】
主制御基板１１１には、ＭＰＵ１１２が搭載されている。ＭＰＵ１１２には、当該ＭＰＵ１１２により実行される各種の制御プログラムや固定値データを記憶したＲＯＭ１１３と、そのＲＯＭ１１３内に記憶される制御プログラムの実行に際して各種のデータ等を一時的に記憶するためのメモリであるＲＡＭ１１４と、割込回路、タイマ回路、データ入出力回路、乱数発生器としての各種カウンタ回路などが内蔵されている。なお、ＭＰＵ１１２に対してＲＯＭ１１３及びＲＡＭ１１４が１チップ化されていることは必須の構成ではなく、それぞれが個別にチップ化された構成としてもよい。これは主制御装置８１以外の制御装置のＭＰＵについても同様である。
【００９８】
ＭＰＵ１１２には、入力ポート及び出力ポートがそれぞれ設けられている。ＭＰＵ１１２の入力側には、主制御装置８１に設けられた停電監視基板１１５及び払出制御装置９７が接続されている。この場合に、停電監視基板１１５には動作電力を供給する機能を有する電源及び発射制御装置９８が接続されており、ＭＰＵ１１２には停電監視基板１１５を介して電力が供給される。
【００９９】
また、ＭＰＵ１１２の入力側には、各種センサが接続されている。各種センサには、一般入賞口３１、上作動口３３、下作動口３４、スルーゲート３５、可変入賞ユニット１５１への入賞を検知する一般入賞口用入賞センサ３１ａ、上作動口用入賞センサ３３ａ、下作動口用入賞センサ３４ｃ、スルー用入賞センサ３５ａ、大入賞口用入賞センサ３２ａ等が設けられている。ＭＰＵ１１２では、これら各種センサ３１ａ，３３ａ，３４ｃ，３５ａ，３２ａの検知結果に基づいて、各入球部への入賞判定（入球判定）等を行う。また、ＭＰＵ１１２では、上作動口３３、下作動口３４、スルーゲート３５への入賞に基づいて、各種抽選を実行する。
【０１００】
ＭＰＵ１１２の出力側には、停電監視基板１１５、払出制御装置９７及び演出制御装置８２等が接続されている。払出制御装置９７には、例えば、賞球が払い出されることに対応する賞球対応入球部への入賞判定結果に基づいて賞球コマンドが出力される。
【０１０１】
演出制御装置８２には、演出用の各種コマンドが出力される。これら各種コマンドの詳細については、後に説明する。ちなみに、演出制御装置８２は、信号線の両端にコネクタが設けられたコネクタユニット（接続ユニット）を介して主制御装置８１と電気的に接続されている。
【０１０２】
また、ＭＰＵ１１２の出力側には各種駆動部として、電動役物駆動部３４ｂ、可変入賞駆動部１８１が接続されている。主制御基板１１１には各種ドライバ回路が設けられており、当該ドライバ回路を通じてＭＰＵ１１２は各種駆動部の駆動制御を実行する。具体的には、開閉実行モードへの移行が発生すると、誘導部材１６２の変位制御が行われるようにＭＰＵ１１２において可変入賞駆動部１８１の駆動制御が実行される。また、電動役物３４ａの開放状態当選となった場合には、電動役物３４ａが開閉されるように、ＭＰＵ１１２において電動役物駆動部３４ｂの駆動制御が実行される。また、各遊技回に際しては、ＭＰＵ１１２においてメイン表示部４３における第１結果表示部ＡＳ又は第２結果表示部ＢＳの表示制御が実行されるとともに、可変入賞ユニット１５１の開閉実行モードに際してはメイン表示部４３におけるラウンド表示部ＲＳの表示制御が実行される。そして、電動役物３４ａを開放状態とするか否かの抽選結果を明示する場合に、ＭＰＵ１１２において役物用表示部４４の表示制御が実行される。
【０１０３】
さらには、ＭＰＵ１１２の出力側に外部出力端子９９が接続されており、この外部出力端子９９を通じて遊技ホール側の管理制御装置（ホールコンピュータＨＣ）に対して各種入球部への入球情報や大当たり等の抽選結果に関する情報が出力される。これにより、ホールコンピュータＨＣにてパチンコ機１０の状態等を把握することが可能となっている。
【０１０４】
停電監視基板１１５は、主制御基板１１１と電源及び発射制御装置９８とを中継し、また電源及び発射制御装置９８から出力される直流安定２４ボルトの電圧を監視する。払出制御装置９７は、主制御装置８１から入力した賞球コマンドに基づいて、払出装置９６により賞球や貸し球の払出制御を行うものである。
【０１０５】
電源及び発射制御装置９８は、例えば、遊技場等における商用電源（外部電源）に接続されている。そして、その商用電源から供給される外部電力に基づいて主制御基板１１１や払出制御装置９７等に対して各々に必要な動作電力を生成するとともに、その生成した動作電力を供給する。ちなみに、電源及び発射制御装置９８にはバックアップ用コンデンサなどの電断時用電源部が設けられており、パチンコ機１０の電源がＯＦＦ状態の場合であっても当該電断時用電源部から主制御装置８１のＲＡＭ１１４に記憶保持用の電力が供給される。
【０１０６】
また、電源及び発射制御装置９８は遊技球発射機構５３の発射制御を担うものであり、遊技球発射機構５３は所定の発射条件が整っている場合に駆動される。この場合、遊技球発射機構５３は、遊技盤２４の誘導レールに向けて延びる発射レールと、上皿７１に貯留されている遊技球を発射レール上に供給する球送り装置と、発射レール上に供給された遊技球を誘導レールに向けて発射させる電動アクチュエータであるソレノイドと、を備えており、当該ソレノイドに対して電源及び発射制御装置９８から駆動信号が供給されることで遊技球が発射される。
【０１０７】
演出制御装置８２は、主制御装置８１から入力した各種コマンドに基づいて、可変表示ユニット３６に設けられた各保留発光部４５〜４７及び前扉枠１４に設けられた表示発光部６３やスピーカ部６４を駆動制御するとともに、表示制御装置２１２を制御するものである。
【０１０８】
演出制御装置８２に設けられた演出制御基板２４１には、ＭＰＵ２４２が搭載されている。ＭＰＵ２４２には、当該ＭＰＵ２４２により実行される各種の制御プログラムや固定値データを記憶したＲＯＭ２４３と、そのＲＯＭ２４３内に記憶される制御プログラムの実行に際して各種のデータ等を一時的に記憶するためのメモリであるＲＡＭ２４４と、割込回路、タイマ回路、データ入出力回路などが内蔵されている。
【０１０９】
ＭＰＵ２４２には、入力ポート及び出力ポートがそれぞれ設けられている。ＭＰＵ２４２の入力側には主制御装置８１が接続されている。主制御装置８１からは、シフトコマンドや保留コマンドといった保留表示制御用コマンド（保留表示制御用情報）を受信する。また、変動用コマンド、種別コマンド、変動終了コマンドといった遊技回制御用コマンド（遊技回制御用情報）を受信する。また、開放コマンド、閉鎖コマンド、オープニングコマンド、エンディングコマンドといった開閉実行モード用コマンド（開閉実行モード用情報）を受信する。
【０１１０】
ＭＰＵ２４２は、主制御装置８１から受信する各種コマンドに基づいて、各種演出を実行するための処理を行う。受信したコマンドは、ＭＰＵ２４２のＲＡＭ２４４に設けられたコマンド格納エリアに格納される。そして、その格納されたコマンドを解析等する処理を行い、各種演出を実行する。ＭＰＵ２４２のＲＯＭ２４３には各種テーブル記憶エリアが設けられており、また、ＭＰＵ２４２のＲＡＭ２４４には各種フラグ格納エリアや各種カウンタエリアが設けられており、各種演出を実行する場合、これらのエリアを用いた処理を行うことが可能となっている。
【０１１１】
ＭＰＵ２４２の出力側には、可変表示ユニット３６に設けられた各保留発光部４５〜４７及び前扉枠１４に設けられた表示発光部６３やスピーカ部６４が接続されているとともに、表示制御装置２１２が接続されている。
【０１１２】
表示制御装置２１２は、プログラムＲＯＭ２７３及びワークＲＡＭ２７４が複合的にチップ化されたＭＰＵ２７２と、ビデオディスプレイプロセッサ（ＶＤＰ）２５５と、キャラクタＲＯＭ２７６と、ビデオＲＡＭ２７７とがそれぞれ搭載された表示制御基板２７１を備えている。
【０１１３】
ＭＰＵ２７２は、演出制御装置８２から、保留表示制御を行うための保留表示制御用コマンド（保留表示制御用情報）、図柄の変動表示を行うための遊技回制御用コマンド（遊技回制御用情報）、開閉実行モード中の動画表示を行うための開閉実行モード用コマンド（開閉実行モード用情報）などを受信する。そして、それら受信したコマンドを解析し又は受信したコマンドに基づき所定の演算処理を行ってＶＤＰ２７５の制御（具体的にはＶＤＰ２７５に対する内部コマンドの生成）を実施する。
【０１１４】
プログラムＲＯＭ２７３は、ＭＰＵ２７２により実行される各種の制御プログラムや固定値データを記憶するためのメモリであり、背景画像用のＪＰＥＧ形式画像データも併せて記憶保持されている。
【０１１５】
ワークＲＡＭ２７４は、ＭＰＵ２７２による各種プログラムの実行時に使用されるワークデータやフラグ等を一時的に記憶するためのメモリである。これらワークデータやフラグ等はワークＲＡＭ２７４の各エリアに記憶される。
【０１１６】
ＶＤＰ２７５は、図柄表示装置４１に組み込まれた液晶表示部ドライバとしての画像処理デバイスを直接操作する一種の描画回路である。ＶＤＰ２７５はＩＣチップ化されているため「描画チップ」とも呼ばれ、その実体は、描画処理専用のファームウェアを内蔵したマイコンチップとでも言うべきものである。ＶＤＰ２７５は、ＭＰＵ２７２、ビデオＲＡＭ２７７等のそれぞれのタイミングを調整してデータの読み書きに介在するとともに、ビデオＲＡＭ２７７に記憶させる画像データを、キャラクタＲＯＭ２７６から所定のタイミングで読み出して図柄表示装置４１に表示させる。
【０１１７】
キャラクタＲＯＭ２７６は、図柄表示装置４１に表示される図柄などのキャラクタデータを記憶するための画像データライブラリとしての役割を担うものである。このキャラクタＲＯＭ２７６には、各種の表示図柄のビットマップ形式画像データ、ビットマップ画像の各ドットでの表現色を決定する際に参照する色パレットテーブル等が保持されている。
【０１１８】
なお、キャラクタＲＯＭ２７６を複数設け、各キャラクタＲＯＭ２７６に分担して画像データ等を記憶させておくことも可能である。また、前記プログラムＲＯＭ２７３に記憶した背景画像用のＪＰＥＧ形式画像データをキャラクタＲＯＭ２７６に記憶する構成とすることも可能である。
【０１１９】
ビデオＲＡＭ２７７は、図柄表示装置４１に表示させる表示データを記憶するためのメモリであり、ビデオＲＡＭ２７７の内容を書き替えることにより図柄表示装置４１の表示内容が変更される。
【０１２０】
ここで、図柄表示装置４１の表示内容について図１１及び図１２に基づいて説明する。図１１は図柄表示装置４１にて変動表示される図柄を個々に示す図であり、図１２は図柄表示装置４１の表示画面Ｇを示す図である。
【０１２１】
図１１（ａ）〜（ｊ）に示すように、絵柄の一種である図柄は、「１」〜「９」の数字が各々付された９種類の主図柄と、貝形状の絵図柄からなる副図柄とにより構成されている。より詳しくは、タコ等の９種類のキャラクタ図柄に「１」〜「９」の数字がそれぞれ付されて主図柄が構成されている。
【０１２２】
図１２（ａ）に示すように、図柄表示装置４１の表示画面Ｇには、上段・中段・下段の３つの図柄列Ｚ１，Ｚ２，Ｚ３が設定されている。各図柄列Ｚ１〜Ｚ３は、主図柄と副図柄が所定の順序で配列されて構成されている。詳細には、上図柄列Ｚ１には、「１」〜「９」の９種類の主図柄が数字の降順に配列されると共に、各主図柄の間に副図柄が１つずつ配されている。下図柄列Ｚ３には、「１」〜「９」の９種類の主図柄が数字の昇順に配列されると共に、各主図柄の間に副図柄が１つずつ配されている。つまり、上図柄列Ｚ１と下図柄列Ｚ３は１８個の図柄により構成されている。これに対し、中図柄列Ｚ２には、数字の昇順に「１」〜「９」の９種類の主図柄が配列された上で「９」の主図柄と「１」の主図柄との間に「４」の主図柄が付加的に配列され、これら各主図柄の間に副図柄が１つずつ配されている。つまり、中図柄列Ｚ２に限っては、１０個の主図柄が配されて２０個の図柄により構成されている。そして、表示画面Ｇでは、これら各図柄列Ｚ１〜Ｚ３の図柄が周期性をもって所定の向きにスクロールするように変動表示される。また、図１２（ｂ）に示すように、表示画面Ｇは、図柄列毎に３個の図柄が停止表示されるようになっており、結果として３×３の計９個の図柄が停止表示されるようになっている。
【０１２３】
また、表示画面Ｇには、５つの有効ライン、すなわち左ラインＬ１、中ラインＬ２、右ラインＬ３、右下がりラインＬ４、右上がりラインＬ５が設定されている。そして、上図柄列Ｚ１→下図柄列Ｚ３→中図柄列Ｚ２の順に変動表示が停止し、いずれかの有効ラインに同一の数字が付された図柄の組合せが形成された状態で全図柄列Ｚ１〜Ｚ３の変動表示が終了すれば、大当たり結果の発生として大当たり動画が表示されるようになっている。
【０１２４】
本パチンコ機１０では、奇数番号（１，３，５，７，９）が付された主図柄は「特定図柄」に相当し、確変大当たり結果が発生する場合には、同一の特定図柄の組合せが停止表示される。また、偶数番号（２，４，６，８）が付された主図柄は「非特定図柄」に相当し、通常大当たり結果が発生する場合には、同一の非特定図柄の組合せが停止表示される。
【０１２５】
なお、図柄表示装置４１における図柄の変動表示の態様は上記のものに限定されることはなく任意であり、図柄列の数、図柄列における図柄の変動表示の方向、各図柄列の図柄数などは適宜変更可能である。
【０１２６】
表示画面Ｇの下部における左側には、第１保留表示領域Ｇａが設定されており、表示画面Ｇの下部における右側には、第２保留表示領域Ｇｂが設定されている。
【０１２７】
第１保留表示領域（非優先側保留表示領域）Ｇａは、遊技球が上作動口３３に入賞した場合の最大保留個数と同一の数の単位保留表示領域Ｇａ１〜Ｇａ４が左右方向に並設されるように区画表示されている。具体的には、遊技球が上作動口３３に入賞した場合の最大保留個数は４個であり、これに対応させて第１保留表示領域Ｇａには、第１単位保留表示領域Ｇａ１、第２単位保留表示領域Ｇａ２、第３単位保留表示領域Ｇａ３、第４単位保留表示領域Ｇａ４が設定されている。
【０１２８】
例えば、遊技球が上作動口３３に入賞した場合の保留個数が１個の場合には、第１単位保留表示領域Ｇａ１のみにて所定の保留用画像が表示され、遊技球が上作動口３３に入賞した場合の保留個数が４個の場合には、第１単位保留表示領域Ｇａ１〜第４単位保留表示領域Ｇａ４の全てにおいて所定の保留用画像が表示される。
【０１２９】
また、第２保留表示領域（優先側保留表示領域）Ｇｂは、遊技球が下作動口３４に入賞した場合の最大保留個数と同一の数の単位保留表示領域Ｇｂ１〜Ｇｂ４が左右方向に並設されるように区画表示されている。具体的には、遊技球が下作動口３４に入賞した場合の最大保留個数は４個であり、これに対応させて第２保留表示領域Ｇｂには、第１単位保留表示領域Ｇｂ１、第２単位保留表示領域Ｇｂ２、第３単位保留表示領域Ｇｂ３、第４単位保留表示領域Ｇｂ４が設定されている。
【０１３０】
例えば、遊技球が下作動口３４に入賞した場合の保留個数が１個の場合には、第１単位保留表示領域Ｇｂ１のみにて保留用画像が表示され、遊技球が下作動口３４に入賞した場合の保留個数が４個の場合には、第１単位保留表示領域Ｇｂ１〜第４単位保留表示領域Ｇｂ４の全てにおいて保留用画像が表示される。
【０１３１】
＜主制御装置８１のＭＰＵ１１２にて各種抽選を行うための電気的構成＞
次に、主制御装置８１のＭＰＵ１１２にて各種抽選を行うための電気的な構成について図１３を用いて説明する。
【０１３２】
ＭＰＵ１１２は遊技に際し各種カウンタ情報を用いて、大当たり発生抽選、メイン表示部４３の表示の設定、図柄表示装置４１の演出内容の設定、役物用表示部４４の表示の設定などを行うこととしており、具体的には、図１３に示すように、大当たり発生の抽選に使用する大当たり乱数カウンタＣ１と、大当たり種別を判定する際に使用する大当たり種別カウンタＣ２と、図柄表示装置４１が外れ変動する際のリーチ発生抽選に使用するリーチ乱数カウンタＣ３と、大当たり乱数カウンタＣ１の初期値設定に使用する乱数初期値カウンタＣＩＮＩと、メイン表示部４３及び図柄表示装置４１における変動表示時間を決定する変動種別カウンタＣＳと、を用いることとしている。さらに、下作動口３４の電動役物３４ａを電役開放状態とするか否かの抽選に使用する電動役物開放カウンタＣ４を用いることとしている。
【０１３３】
各カウンタＣ１，Ｃ２，Ｃ３，ＣＩＮＩ，ＣＳ，Ｃ４は、その更新の都度前回値に１が加算され、最大値に達した後０に戻るループカウンタとなっている。各カウンタは短時間間隔で更新され、その更新値がＲＡＭ１１４の所定領域に設定された抽選カウンタ用バッファ１１４ａに適宜格納される。抽選カウンタ用バッファ１１４ａにおいて、大当たり乱数カウンタＣ１、大当たり種別カウンタＣ２、リーチ乱数カウンタＣ３及び変動種別カウンタＣＳに対応した情報は、上作動口３３又は下作動口３４への入賞が発生した場合に、取得情報記憶手段としての保留球格納エリア１１４ｂに格納される。
【０１３４】
保留球格納エリア１１４ｂは、第１結果表示部用保留エリアＲａ及び第２結果表示部用保留エリアＲｂからなる保留エリアＲＥと、実行エリアＡＥとを備えている。保留エリアＲａ，Ｒｂは、それぞれ、第１エリア、第２エリア、第３エリア、第４エリアを備えており、上作動口３３又は下作動口３４への入賞履歴に合わせて、抽選カウンタ用バッファ１１４ａに格納されている大当たり乱数カウンタＣ１、大当たり種別カウンタＣ２、リーチ乱数カウンタＣ３及び変動種別カウンタＣＳの各数値情報が保留情報として、いずれかのエリアに格納される。なお、当該保留情報が特別情報に相当する。
【０１３５】
この場合、第１エリア〜第４エリアには、上作動口３３又は下作動口３４への入賞が複数回連続して発生した場合に、第１エリア→第２エリア→第３エリア→第４エリアの順に各数値情報が時系列的に格納されていく。このようにそれぞれ４つのエリアが設けられていることにより、上作動口３３又は下作動口３４への遊技球の入賞履歴がそれぞれ最大４個まで保留記憶されるようになっている。また、保留球格納エリア１１４ｂには総保留数記憶領域が設けられており、当該総保留数記憶領域には上作動口３３又は下作動口３４への入賞履歴を保留記憶している数を特定するための情報が格納される。
【０１３６】
なお、保留記憶可能な数は、４個に限定されることはなく任意であり、２個、３個又は５個以上といったように他の複数であってもよく、単数であってもよい。
【０１３７】
実行エリアＡＥは、メイン表示部４３の変動表示を開始する際に、保留エリアＲＥの第１エリアに格納された各値を移動させるためのエリアであり、１遊技回の開始に際しては実行エリアＡＥに記憶されている各種数値情報に基づいて、当否判定などが行われる。
【０１３８】
各カウンタについて詳しくは、大当たり乱数カウンタＣ１は、例えば０〜５９９の範囲内で順に１ずつ加算され、最大値（つまり５９９）に達した後０に戻る構成となっている。大当たり乱数カウンタＣ１が１周した場合、その時点の乱数初期値カウンタＣＩＮＩの値が当該大当たり乱数カウンタＣ１の初期値として読み込まれる。なお、乱数初期値カウンタＣＩＮＩは、大当たり乱数カウンタＣ１と同様のループカウンタである（値＝０〜５９９）。大当たり乱数カウンタＣ１は定期的に更新され、遊技球が上作動口３３又は下作動口３４に入賞したタイミングでＲＡＭ１１４の保留球格納エリア１１４ｂに格納される。より詳しくは、上作動口３３に遊技球が入賞したタイミングでＲＡＭ１１４の第１結果表示部用保留エリアＲａに格納され、下作動口３４に遊技球が入賞したタイミングでＲＡＭ１１４の第２結果表示部用保留エリアＲｂに格納される。
【０１３９】
大当たり当選となる乱数の値は、ＲＯＭ１１３における当否情報群記憶手段としての当否テーブル記憶エリア１１３ａに当否テーブル（当否情報群）として記憶されている。当否テーブルとしては、低確率モード用の当否テーブル（低確率用当否情報群）と、高確率モード用の当否テーブル（高確率用当否情報群）とが設定されている。つまり、本パチンコ機１０は、当否抽選手段における抽選モードとして、低確率モード（低確率状態）と高確率モード（高確率状態）とが設定されている。各当否テーブルでは、低確率モード用の当否テーブルよりも高確率モード用の当否テーブルの方が大当たり当選となる確率が高くなるように乱数の値が設定されている。
【０１４０】
また、各抽選モードにおいて、大当たり当選となる乱数の値以外は、抽選結果が外れ結果となる。
【０１４１】
大当たり種別カウンタＣ２は、０〜２９の範囲内で順に１ずつ加算され、最大値（つまり２９）に達した後０に戻る構成となっている。ここで、本実施の形態では、複数の大当たり結果が設定されている。これら複数の大当たり結果は、（１）開閉実行モード終了後の当否抽選手段における抽選モード、（２）開閉実行モード終了後の下作動口３４の電動役物３４ａにおけるサポートモード、という２つの条件に差異を設けることにより、複数の大当たり結果が設定されている。
【０１４２】
下作動口３４の電動役物３４ａにおけるサポートモードとしては、遊技領域ＰＥに対して同様の態様で遊技球の発射が継続されている状況で比較した場合に、下作動口３４の電動役物３４ａが単位時間当たりに開放状態となる頻度が相対的に高低となるように、低頻度サポートモード（低頻度サポート状態又は低頻度ガイド状態）と高頻度サポートモード（高頻度サポート状態又は高頻度ガイド状態）とが設定されている。
【０１４３】
具体的には、低頻度サポートモードと高頻度サポートモードとでは、電動役物開放カウンタＣ４を用いた電動役物開放抽選における電役開放状態当選となる確率は同一（例えば、共に１／２）となっているが、高頻度サポートモードでは低頻度サポートモードよりも、電役開放状態当選となった際に電動役物３４ａが開放状態となる回数が多く設定されており、さらに１回の開放時間が長く設定されている。この場合、高頻度サポートモードにおいて電役開放状態当選となり電動役物３４ａの開放状態が複数回発生する場合において、１回の開放状態が終了してから次の開放状態が開始されるまでの閉鎖時間は、１回の開放時間よりも短く設定されている。さらにまた、高頻度サポートモードでは低頻度サポートモードよりも、１回の電動役物開放抽選が行われてから次の電動役物開放抽選が行われる上で最低限確保される確保時間が短く設定されている。
【０１４４】
上記のように高頻度サポートモードでは、低頻度サポートモードよりも下作動口３４への入賞が発生する確率が高くなる。換言すれば、低頻度サポートモードでは、下作動口３４よりも上作動口３３への入賞が発生する確率が高くなるが、高頻度サポートモードでは、上作動口３３よりも下作動口３４への入賞が発生する確率が高くなる。そして、下作動口３４への入賞が発生した場合には、所定個数の遊技球の払出が実行されるため、高頻度サポートモードでは、遊技者は持ち球をあまり減らさないようにしながら遊技を行うことができる。
【０１４５】
なお、高頻度サポートモードを低頻度サポートモードよりも単位時間当たりに電役開放状態となる頻度を高くする上での構成は、上記のものに限定されることはなく、例えば電動役物開放抽選における電役開放状態当選となる確率を高くする構成としてもよい。さらには、回数、開放時間及び当選確率のうち、いずれか１条件又は任意の組合せの条件を相違させることで、高頻度サポートモードと低頻度サポートモードとの設定を行う構成としてもよい。
【０１４６】
大当たり種別カウンタＣ２は定期的に更新され、遊技球が上作動口３３又は下作動口３４に入賞したタイミングでＲＡＭ１１４の保留球格納エリア１１４ｂに格納される。より詳しくは、上作動口３３に遊技球が入賞したタイミングでＲＡＭ１１４の第１結果表示部用保留エリアＲａに格納され、下作動口３４に遊技球が入賞したタイミングでＲＡＭ１１４の第２結果表示部用保留エリアＲｂに格納される。
【０１４７】
大当たり種別カウンタＣ２に対する遊技結果の振分先は、ＲＯＭ１１３における振分情報群記憶手段としての振分テーブル記憶エリア１１３ｂに振分テーブル（振分情報群）として記憶されている。
【０１４８】
本実施形態では大当たり結果の種類として、通常大当たり結果と確変大当たり結果とが設定されている。通常大当たり結果は、開閉実行モードの終了後には、当否抽選モードが低確率モードとなるとともに、サポートモードが高頻度サポートモードとなる大当たり結果である。但し、この高頻度サポートモードは、移行後において遊技回数が終了基準回数（具体的には、１００回）に達した場合に低頻度サポートモードに移行する。
【０１４９】
確変大当たり結果は、開閉実行モードの終了後には、当否抽選モードが高確率モードとなるとともに、サポートモードが高頻度サポートモードとなる大当たり結果である。当該高頻度サポートモードは、当否抽選における抽選結果が大当たり状態当選となり、それによる大当たり状態に移行するまで継続する。
【０１５０】
なお、上記各遊技状態との関係で通常遊技状態とは、当否抽選モードが低確率モードであり、サポートモードが低頻度サポートモードである状態をいう。
【０１５１】
リーチ乱数カウンタＣ３は、例えば０〜２３８の範囲内で順に１ずつ加算され、最大値（つまり２３８）に達した後０に戻る構成となっている。リーチ乱数カウンタＣ３は定期的に更新され、遊技球が上作動口３３又は下作動口３４に入賞したタイミングでＲＡＭ１１４の保留球格納エリア１１４ｂに格納される。より詳しくは、上作動口３３に遊技球が入賞したタイミングでＲＡＭ１１４の第１結果表示部用保留エリアＲａに格納され、下作動口３４に遊技球が入賞したタイミングでＲＡＭ１１４の第２結果表示部用保留エリアＲｂに格納される。そして、ＲＯＭ１１３のリーチ用テーブル記憶エリアに記憶されたリーチ用テーブルに基づいてリーチを発生させるか否かを決定することとしている。但し、開閉実行モードに移行する遊技回においては、ＭＰＵ１１２では、リーチ乱数カウンタＣ３の値に関係なくリーチ発生の決定を行う。なお、リーチ表示の発生に対応したリーチ乱数カウンタＣ３の数は、各遊技状態において同一となっているが、遊技状態に応じて各々個別に設定されるものであってもよい。例えば、サポートモードが高頻度サポートモードである場合の方が、低頻度サポートモードよりも、リーチ表示の発生に対応したリーチ乱数カウンタＣ３の数が多く設定された構成としてもよい。
【０１５２】
ここで、リーチ表示（リーチ状態）とは、図柄（絵柄）の変動表示（又は可変表示）を行うことが可能な図柄表示装置４１を備え、可変入賞ユニット１５１の開閉実行モードとなる遊技回では変動表示後の停止表示結果が特別表示結果となる遊技機において、図柄表示装置４１における図柄（絵柄）の変動表示（又は可変表示）が開始されてから停止表示結果が導出表示される前段階で、前記特別表示結果となり易い変動表示状態であると遊技者に思わせるための表示状態をいう。
【０１５３】
換言すれば、図柄表示装置４１の表示画面に表示される複数の図柄列のうち一部の図柄列について図柄を停止表示させることで、開閉実行モードの発生に対応した大当たり図柄の組合せが成立する可能性があるリーチ図柄の組合せを表示し、その状態で残りの図柄列において図柄の変動表示を行う表示状態のことである。
【０１５４】
より具体的には、図柄の変動表示を終了させる前段階として、図柄表示装置４１の表示画面内の予め設定された有効ライン上に、開閉実行モードの発生に対応した大当たり図柄の組合せが成立する可能性のあるリーチ図柄の組合せを停止表示させることによりリーチラインを形成させ、当該リーチラインが形成されている状況下において最終停止図柄列により図柄の変動表示を行うことである。
【０１５５】
図１２の表示内容について具体的に説明すると、先ず全図柄列Ｚ１〜Ｚ３について高速変動表示が開始される。この場合、どの図柄が表示されているかは認識できない又は困難となっている。その後、上図柄列Ｚ１の変動表示態様が、高速変動表示から、遊技者が表示されている図柄を認識することが容易な又はできる低速変動表示に切り換わる。そして、上図柄列Ｚ１の変動表示が終了するとともに、下図柄列Ｚ３の変動表示態様が高速変動表示から低速変動表示に切り換わる。その後、下図柄列Ｚ３の変動表示が終了する。この場合、いずれかの有効ラインＬ１〜Ｌ５に同一の数字が付された主図柄が停止表示されることでリーチラインが形成される。そして、中図柄列Ｚ２の変動表示が高速変動表示から低速変動表示に切り換わり、開閉実行モードが発生する場合には、リーチラインを形成している主図柄と同一の数字が付された主図柄がリーチライン上に停止表示されるようにして中段の図柄列Ｚ２における図柄の変動表示が終了される。
【０１５６】
また、リーチ表示には、上記のようにリーチ図柄の組合せを表示した状態で、残りの図柄列において図柄の変動表示を行うとともに、その背景画面において所定のキャラクタなどを動画として表示することによりリーチ演出を行うものや、リーチ図柄の組合せを縮小表示させる又は非表示とした上で、表示画面の略全体において所定のキャラクタなどを動画として表示することによりリーチ演出を行うものが含まれる。また、リーチ表示が行われている場合又はリーチ表示の前に所定のキャラクタといった所定画像を用いた予告表示を行うか否かの決定を、リーチ乱数カウンタＣ３やその他のカウンタを用いて行うようにしてもよい。
【０１５７】
変動種別カウンタＣＳは、例えば０〜１９８の範囲内で順に１ずつ加算され、最大値（つまり１９８）に達した後０に戻る構成となっている。変動種別カウンタＣＳは、メイン表示部４３の第１結果表示部ＡＳ及び第２結果表示部ＢＳにおける変動表示時間と、図柄表示装置４１における図柄の変動表示時間と、をＭＰＵ１１２において決定する上で用いられる。変動種別カウンタＣＳは、後述する通常処理が１回実行される毎に１回更新され、当該通常処理内の残余時間内でも繰り返し更新される。そして、変動種別カウンタＣＳは、遊技球が上作動口３３又は下作動口３４に入賞したタイミングでＲＡＭ１１４の保留球格納エリア１１４ｂに格納される。より詳しくは、上作動口３３に遊技球が入賞したタイミングでＲＡＭ１１４の第１結果表示部用保留エリアＲａに格納され、下作動口３４に遊技球が入賞したタイミングでＲＡＭ１１４の第２結果表示部用保留エリアＲｂに格納される。
【０１５８】
電動役物開放カウンタＣ４は、例えば、０〜２５０の範囲内で順に１ずつ加算され、最大値（つまり２５０）に達した後０に戻る構成となっている。電動役物開放カウンタＣ４は定期的に更新され、スルーゲート３５に遊技球が入賞したタイミングでＲＡＭ１１４の電役保留エリア１１４ｃに格納される。そして、所定のタイミングにおいて、その格納された電動役物開放カウンタＣ４の値によって電動役物３４ａを開放状態に制御するか否かの抽選が行われる。例えば、Ｃ４＝０〜１９０であれば、電動役物３４ａを開放状態に制御し、Ｃ４＝１９１〜２５０であれば、電動役物３４ａを開放状態に制御しない。
【０１５９】
ＭＰＵ１１２では、実行エリアＡＥに格納されている変動種別カウンタＣＳの値を用いて、第１結果表示部ＡＳ及び第２結果表示部ＢＳにおける変動表示時間が決定されるが、その決定に際してはＲＯＭ１１３の変動表示時間テーブル記憶エリア１１３ｃが用いられる。また、ＭＰＵ１１２では、実行エリアＡＥに格納されている大当たり乱数カウンタＣ１の値及び大当たり種別カウンタＣ２の値を用いて、第１結果表示部ＡＳ及び第２結果表示部ＢＳにおける停止結果が決定されるが、その決定に際してはＲＯＭ１１３の停止結果テーブル記憶エリアが用いられる。
【０１６０】
＜主制御装置８１にて実行される各種処理について＞
次に、主制御装置８１内のＭＰＵ１１２にて遊技を進行させるために実行されるタイマ割込み処理及び通常処理を説明する。なお、ＭＰＵ１１２では、タイマ割込み処理及び通常処理の他に、電源投入に伴い起動されるメイン処理及びＮＭＩ端子（ノンマスカブル端子）への停電信号の入力により起動されるＮＭＩ割込み処理が実行されるが、これらの処理については説明を省略する。
【０１６１】
＜タイマ割込み処理＞
先ず、タイマ割込み処理について、図１４のフローチャートを参照しながら説明する。本処理はＭＰＵ１１２により定期的に（例えば２ｍｓｅｃ周期で）起動される。
【０１６２】
ステップＳ１０１では、各種検知センサの読み込み処理を実行する。当該読み込み処理では、各種検知センサ３１ａ，３３ａ，３４ｃ，３５ａ，３２ａの状態を読み込み、これら各種検知センサ３１ａ，３３ａ，３４ｃ，３５ａ，３２ａの状態を判定して検知情報を保存する処理を実行する。また、賞球の発生に対応した各種検知センサ３１ａ，３３ａ，３４ｃ，３２ａにおいて遊技球の入賞が検知されている場合には、払出制御装置９７に対して賞球の払い出し指示を行うための賞球コマンドを設定する。例えば、大入賞口用入賞センサ３２ａによって可変入賞ユニット１５１への入賞が検知されている場合には、対応する賞球個数である１５個の賞球を指示するための賞球コマンドを設定する。続くステップＳ１０２では、乱数初期値カウンタＣＩＮＩの更新を実行する。
【０１６３】
続くステップＳ１０３では、大当たり乱数カウンタＣ１、大当たり種別カウンタＣ２、リーチ乱数カウンタＣ３及び電動役物開放カウンタＣ４の更新を実行する。具体的には、大当たり乱数カウンタＣ１、大当たり種別カウンタＣ２、リーチ乱数カウンタＣ３及び電動役物開放カウンタＣ４をそれぞれ１加算するとともに、それらのカウンタ値が最大値に達した際それぞれ０にクリアする。そして、各カウンタＣ１，Ｃ２，Ｃ３，Ｃ４の更新値を、ＲＡＭ１１４の該当するバッファ領域に格納する。
【０１６４】
続くステップＳ１０４ではスルーゲート３５への入賞に伴うスルー用の入賞処理を実行する。スルー用の入賞処理では、スルーゲート３５への入賞が発生していた場合には、電役保留エリア１１４ｃに記憶されている役物保留記憶数が上限数（例えば、「４」）未満であることを条件として、前記ステップＳ１０３にて更新した電動役物開放カウンタＣ４の値を電役保留エリア１１４ｃに格納する。また、演出制御装置８２に対して、役物保留記憶数と対応する第３保留発光部４７を点灯させるための処理を実行する。
【０１６５】
その後、ステップＳ１０５にて作動口用の入賞処理を実行した後に、本タイマ割込み処理を終了する。作動口用の入賞処理では、各作動口３３，３４のいずれかに遊技球が入賞したことに基づいて、その入賞に基づいて遊技球を払い出させる賞球コマンドを設定するとともに、大当たり乱数カウンタＣ１、大当たり種別カウンタＣ２、リーチ乱数カウンタＣ３及び変動種別カウンタＣＳの各値を格納する情報取得処理を行う。
【０１６６】
情報取得処理では、遊技球が上作動口３３に入賞（始動入賞）したか否かを判定する。上作動口３３に入賞している場合には、第１結果表示部用保留エリアＲａに記憶されている保留情報の数を把握し、その把握した数を第１始動保留記憶数ＲａＮとしてセットする。一方、遊技球が上作動口３３に入賞していない場合には、遊技球が下作動口３４に入賞（始動入賞）したか否かを判定する。下作動口３４に入賞している場合には、第２結果表示部用保留エリアＲｂに記憶されている保留情報の数を把握し、その把握した数を第２始動保留記憶数ＲｂＮとしてセットする。そしてこれらセットした始動保留記憶数Ｎ（ＲａＮ又はＲｂＮ）が上限値（本実施形態では４）未満であるか否かを判定する。始動保留記憶数Ｎが上限値未満である場合には、対応する結果表示部用保留エリアの始動保留記憶数Ｎを１増加するように更新する。そして第１始動保留記憶数ＲａＮがセットされている場合には、大当たり乱数カウンタＣ１、大当たり種別カウンタＣ２、リーチ乱数カウンタＣ３及び変動種別カウンタＣＳの各値を、第１結果表示部用保留エリアＲａの空き記憶エリアのうち最初の記憶エリアに格納し、第２始動保留記憶数ＲｂＮがセットされている場合には、大当たり乱数カウンタＣ１、大当たり種別カウンタＣ２、リーチ乱数カウンタＣ３及び変動種別カウンタＣＳの各値を、第２結果表示部用保留エリアＲｂの空き記憶エリアのうち最初の記憶エリアに格納する。その後、演出制御装置８２に対して、始動保留記憶数と対応する第１保留発光部４５又は第２保留発光部４６を点灯させるための処理を実行する。
【０１６７】
＜通常処理＞
次に、通常処理の流れを図１５のフローチャートを参照しながら説明する。通常処理は電源投入に伴い起動されるメイン処理が実行された後に開始される処理であり、通常処理では遊技の主要な処理が実行される。その概要として、ステップＳ２０１〜Ｓ２０６の処理が４ｍｓｅｃ周期の定期処理として実行され、その残余時間でステップＳ２０９，Ｓ２１０のカウンタ更新処理が実行される構成となっている。
【０１６８】
通常処理においては先ず、ステップＳ２０１にて外部信号出力処理を実行する。ステップＳ２０１の外部信号出力処理では、タイマ割込み処理又は前回の通常処理で設定したコマンド等の出力データをサブ側の各制御装置に送信する。具体的には、賞球コマンドの有無を判定し、賞球コマンドが設定されていればそれを払出制御装置９７に対して送信する。また、演出用コマンドが設定されている場合にはそれを演出制御装置８２に対して送信する。
【０１６９】
次に、ステップＳ２０２では、変動種別カウンタＣＳの更新を実行する。具体的には、変動種別カウンタＣＳを１インクリメントするとともに、カウンタ値が最大値に達した際にはカウンタ値を０にクリアする。そして、変動種別カウンタＣＳの更新値を、ＲＡＭ１１４の該当するバッファ領域に格納する。
【０１７０】
続くステップＳ２０３では、各遊技回の遊技を進行させるための遊技回制御処理を実行する。この遊技回制御処理では、大当たり等の当否判定及び大当たり種別の振分判定を行うとともに、図柄表示装置４１による図柄の変動表示の設定、メイン表示部４３における変動表示の設定等を行う。
【０１７１】
ステップＳ２０３の遊技回制御処理を実行した後は、ステップＳ２０４に進み、遊技状態移行処理を実行する。この遊技状態移行処理により、遊技状態が開閉実行モード等に移行する。なお、ステップＳ２０３の遊技回制御処理及びステップＳ２０４の遊技状態移行処理についての詳細は後述する。
【０１７２】
続くステップＳ２０５では、下作動口３４に設けられた電動役物３４ａを駆動制御するための電役サポート用処理を実行する。この電役サポート用処理では、ＲＡＭ１１４の電役保留エリア１１４ｃに格納されている電動役物開放カウンタＣ４から取得した数値情報を用いて電動役物３４ａを開放状態とするか否かの電役開放抽選を行うとともに、電役開放状態当選となった場合には電動役物３４ａの開閉処理を実行する。また、電役開放抽選の抽選結果を教示するように、役物用表示部４４の表示制御などを行う。
【０１７３】
その後、ステップＳ２０６では、遊技球発射制御処理を実行する。遊技球発射制御処理では、電源及び発射制御装置９８から発射許可信号を入力していることを条件として、所定期間（例えば、０．６ｓｅｃ）に１回、遊技球発射機構５３のソレノイドを励磁する。これにより、遊技球が遊技領域に向けて打ち出される。
【０１７４】
続くステップＳ２０７では、ＲＡＭ１１４に停電フラグがセットされているか否かを判定する。停電フラグは、停電監視基板１１５において停電の発生が確認され当該停電監視基板１１５からＭＰＵ１１２のＮＭＩ端子に停電信号が入力されることによりセットされ、次回のメイン処理にて消去されるフラグである。
【０１７５】
停電フラグがセットされていない場合は、繰り返し実行される複数の処理の最後の処理が終了したこととなるので、ステップＳ２０８にて次の通常処理の実行タイミングに至ったか否か、すなわち前回の通常処理の開始から所定時間（本実施の形態では４ｍｓｅｃ）が経過したか否かを判定する。そして、次の通常処理の実行タイミングに至るまでの残余時間内において、乱数初期値カウンタＣＩＮＩ及び変動種別カウンタＣＳの更新を繰り返し実行する。
【０１７６】
つまり、ステップＳ２０９では、乱数初期値カウンタＣＩＮＩの更新を実行する。具体的には、乱数初期値カウンタＣＩＮＩを１加算するとともに、そのカウンタ値が最大値に達した際０にクリアする。そして、乱数初期値カウンタＣＩＮＩの更新値を、ＲＡＭ１１４の該当するエリアに格納する。また、ステップＳ２１０では、変動種別カウンタＣＳの更新を実行する。具体的には、変動種別カウンタＣＳを１加算するとともに、それらのカウンタ値が最大値に達した際０にクリアする。そして、変動種別カウンタＣＳの更新値を、ＲＡＭ１１４の該当するエリアに格納する。
【０１７７】
ここで、ステップＳ２０１〜Ｓ２０６の各処理の実行時間は遊技の状態に応じて変化するため、次の通常処理の実行タイミングに至るまでの残余時間は一定でなく変動する。故に、かかる残余時間を使用して乱数初期値カウンタＣＩＮＩの更新を繰り返し実行することにより、乱数初期値カウンタＣＩＮＩ（すなわち、大当たり乱数カウンタＣ１の初期値）をランダムに更新することができ、同様に変動種別カウンタＣＳについてもランダムに更新することができる。
【０１７８】
一方、ステップＳ２０７にて、停電フラグがセットされていると判定した場合は、電源遮断が発生したことになるので、ステップＳ２１１以降の電断時処理を実行する。つまり、ステップＳ２１１では、タイマ割込み処理の発生を禁止し、その後、ステップＳ２１２にてＲＡＭ判定値を算出、保存し、ステップＳ２１３にてＲＡＭ１１４のアクセスを禁止した後に、電源が完全に遮断して処理が実行できなくなるまで無限ループを継続する。
【０１７９】
＜遊技回制御処理＞
次に、ステップＳ２０３の遊技回制御処理を図１６のフローチャートを参照して説明する。
【０１８０】
遊技回制御処理では、先ずステップＳ３０１にて、開閉実行モード中か否かを判定する。具体的には、ＲＡＭ１１４の各種フラグ格納エリア１１４ｅに開閉実行モードフラグが格納（記憶）されているか否かを判定する。当該開閉実行モードフラグは、後述する遊技状態移行処理にて遊技状態を開閉実行モードに移行させる場合に格納され、同じく遊技状態移行処理にて開閉実行モードを終了させる場合に消去される。
【０１８１】
開閉実行モード中である場合には、ステップＳ３０２以降の処理、すなわちステップＳ３０３〜ステップＳ３０５の遊技回開始用処理及びステップＳ３０６〜ステップＳ３０９の遊技回進行用処理のいずれも実行することなく、本遊技回制御処理を終了する。つまり、開閉実行モード中である場合には、作動口３３，３４への入賞が発生しているか否かに関係なく、遊技回が開始されることはない。
【０１８２】
開閉実行モード中でない場合には、ステップＳ３０２にて、メイン表示部４３が変動表示中であるか否かを判定する。具体的には、第１結果表示部ＡＳ又は第２結果表示部ＢＳのいずれか一方が変動表示中であるか否かを判定する。なお、この判定は、ＲＡＭ１１４の各種フラグ格納エリア１１４ｅに変動表示中フラグが格納されているか否かを判定することにより行う。変動表示中フラグは、第１結果表示部ＡＳ又は第２結果表示部ＢＳのいずれか一方について変動表示を開始させる場合に格納され、その変動表示が終了する場合に消去される。
【０１８３】
メイン表示部４３が変動表示中でない場合には、ステップＳ３０３〜ステップＳ３０５の遊技回開始用処理に進む。遊技回開始用処理では、先ずステップＳ３０３にて、第１結果表示部及び第２結果表示部の始動保留記憶数の合計である共通保留数ＣＲＮが「０」か否かを判定する。共通保留数ＣＲＮが「０」である場合とは、上作動口３３及び下作動口３４のいずれについても始動保留記憶数ＲａＮ，ＲｂＮが「０」であることを意味する。したがって、そのまま遊技回制御処理を終了する。共通保留数ＣＲＮが「０」でない場合には、ステップＳ３０４にて第１結果表示部用保留エリアＲａ又は第２結果表示部用保留エリアＲｂに記憶されているデータを変動表示用に設定するためのデータ設定処理を実行し、さらにステップＳ３０５にてメイン表示部４３における変動表示及び図柄表示装置４１における変動表示を開始させるための変動開始処理を実行した後に、本遊技回制御処理を終了する。変動開始処理では、データ設定処理にて設定されたデータ（保留情報）に基づいて当否抽選を実行するとともに、当該当否抽選の結果に対応する停止結果で遊技回が終了するように、停止結果の設定を行う。また、今回実行する遊技回の変動表示時間を変動種別カウンタＣＳ等に基づいて設定する。また、変動開始処理では、今回実行する遊技回に対応する演出が行われるように、遊技結果の情報が含まれる変動用コマンドや変動表示時間の情報が含まれる種別コマンドを、演出制御装置８２へ出力設定する。変動用コマンドや種別コマンドは、通常処理（図１５）におけるステップＳ２０１にて、演出制御装置８２に送信される。演出制御装置８２では、受信したコマンドをその情報形態を維持したまま表示制御装置２１２に送信する。表示制御装置２１２では、当該コマンドを受信することにより、その遊技回の演出を開始するように図柄表示装置４１等の表示制御を実行する。
【０１８４】
メイン表示部４３が変動表示中である場合には、ステップＳ３０６〜ステップＳ３０９の遊技回進行用処理を実行する。遊技回進行用処理では、先ずステップＳ３０６にて、今回の遊技回の変動表示時間が経過したか否かを判定する。具体的には、ＲＡＭ１１４の変動表示時間カウンタエリアに格納されている変動表示時間情報の値が「０」となったか否かを判定する。当該変動表示時間情報の値は、遊技回の開始に際して変動開始処理においてセットされる。また、このセットされた変動表示時間情報の値は、タイマ割込み処理（図１４）が起動される度に、１ディクリメントされる。
【０１８５】
変動表示時間が経過していない場合には、ステップＳ３０７にて変動表示用処理を実行する。変動表示用処理では、今回の遊技回に係る結果表示部において各表示用セグメントが所定の順番で点灯及び消灯されていくように当該結果表示部を表示制御（各表示用セグメントの発光制御）し、本遊技回制御処理を終了する。
【０１８６】
変動表示時間が経過している場合には、ステップＳ３０８にて変動終了処理を実行する。変動終了処理では、変動開始処理の当否抽選の結果に基づいて設定された情報を特定し、その情報に対応した絵柄がメイン表示部４３にて停止表示されるように当該メイン表示部４３を制御する。
【０１８７】
続くステップＳ３０９では、変動終了コマンドを設定する。その後、本遊技回制御処理を終了する。ステップＳ３０９にて設定された変動終了コマンドは、通常処理（図１５）におけるステップＳ２０１にて、演出制御装置８２に送信される。演出制御装置８２では、受信した変動終了コマンドをその情報形態を維持したまま表示制御装置２１２に送信する。表示制御装置２１２では、当該変動終了コマンドを受信することにより、その遊技回における最終停止図柄の組合せを確定表示（最終停止表示）させる。
【０１８８】
＜遊技状態移行処理＞
次に、通常処理（図１５）における、ステップＳ２０４の遊技状態移行処理について、図１７〜図１８のフローチャート等を参照しながら説明する。
【０１８９】
先ず、ステップＳ４０１では、開閉実行モード中か否かを判定する。開閉実行モード中でない場合にはステップＳ４０２に進み、１の遊技回の第１結果表示部ＡＳ又は第２結果表示部ＢＳにおける絵柄の変動表示が終了したタイミングか否かを判定する。変動表示が終了したタイミングでない場合には、そのまま本遊技状態移行処理を終了する。
【０１９０】
変動表示が終了したタイミングである場合には、ステップＳ４０３にて、今回の遊技回の遊技結果が開閉実行モードへの移行に対応したものであるか否かを判定する。開閉実行モードへの移行に対応したものではない場合には、そのまま本遊技状態移行処理を終了する。
【０１９１】
開閉実行モードの移行に対応したものである場合には、ステップＳ４０４にて開閉実行モードの開始処理を実行する。当該開始処理では、開閉実行モードの開始前において可変入賞ユニット１５１が閉鎖状態であることをチェックしたりする。また、開閉実行モードの開始処理では、開閉実行モードの開始に際して可変入賞ユニット１５１の開放を開始することなく待機するためのオープニング期間の設定処理を実行する。オープニング期間の設定処理では、ＲＡＭ１１４の各種カウンタエリア１１４ｄに設けられたタイマカウンタＴに、ＲＯＭ１１３に予め記憶されているオープニング用の待機時間情報をセットする。タイマカウンタＴの値は、所定周期（例えば２ｍｓｅｃ周期、タイマ割込み処理が起動される度）で１ディクリメントされる。
【０１９２】
続くステップＳ４０５では、ラウンド表示の開始処理として、メイン表示部４３におけるラウンド表示部ＲＳにて今回実行する開閉実行モードのラウンド数（本実施形態ではいずれの大当たり結果でも「１５」）が表示されるように制御する。
【０１９３】
続くステップＳ４０６では、オープニングコマンドを設定する。この設定されたオープニングコマンドは、通常処理（図１５）におけるステップＳ２０１にて、演出制御装置８２に送信される。演出制御装置８２では、受信したオープニングコマンドに基づいて、開閉実行モードに対応した演出の内容を決定し、その決定した演出の内容が実行されるように各種機器を制御する。この演出の内容としては、図柄表示装置４１における表示態様が含まれており、この決定された表示態様は演出制御装置８２から表示制御装置２１２に表示内容コマンドとして出力される。表示制御装置２１２では、演出制御装置８２から受信した表示内容コマンドに基づいて、今回の開閉実行モードに対応した表示（例えば、動画表示）が行われるように図柄表示装置４１を表示制御する。
【０１９４】
そして、ステップＳ４０７にて、外部信号設定処理を実行した後に、本遊技状態移行処理を終了する。外部信号設定処理では、外部出力端子９９に設けられた大当たり信号用の出力端子の信号出力状態を大当たり信号出力状態とする。これにより、大当たり信号用の出力端子が遊技ホール側の管理制御装置に接続されている場合には、当該管理制御装置に大当たり信号が出力され、当該管理制御装置においてパチンコ機１０にて大当たりが発生したことを把握することができる。
【０１９５】
一方、開閉実行モード中である場合には、ステップＳ４０１にて肯定判定をし、ステップＳ４０８に進む。ステップＳ４０８では、オープニング用の待機時間が経過したか否かを判定する。オープニング用の待機時間が経過していない場合には、そのまま本遊技状態移行処理を終了する。オープニング用の待機時間が経過している場合には、ステップＳ４０９にて大入賞口開閉処理を実行する。ここで、大入賞口開閉処理について、図１８のフローチャートを参照しながら説明する。
【０１９６】
先ず、ステップＳ５０１にて、可変入賞ユニット１５１が開放状態であり大入賞口３２が開放されているか否かを判定する。具体的には、可変入賞駆動部１８１の駆動状態に基づいてかかる判定を行う。大入賞口３２が開放されていない場合には、ステップＳ５０２にてラウンドカウンタＲＣの値が「０」か否かを判定すると共に、ステップＳ５０３にてタイマカウンタＴの値が「０」か否かを判定する。
【０１９７】
ラウンドカウンタＲＣの値が「０」である場合又はタイマカウンタＴの値が「０」でない場合には、そのまま本大入賞口開閉処理を終了する。一方、ラウンドカウンタＲＣの値が「０」でなく且つタイマカウンタＴの値が「０」である場合には、ステップＳ５０４に進み、可変入賞ユニット１５１を開放状態とすべく可変入賞駆動部１８１を駆動状態とする。
【０１９８】
続くステップＳ５０５では、ラウンドの開放時間の設定処理を実行する。開放時間の設定処理では、タイマカウンタＴにラウンドの上限開放時間（上限開放期間）に相当する「１５０００」（３０ｓｅｃ）を入力する。
【０１９９】
続くステップＳ５０６では、各ラウンドの上限入賞個数の設定処理を行う。各ラウンドの上限入賞個数の設定処理では、ＲＡＭ１１４の各種カウンタエリア１１４ｄに設けられた入賞カウンタＰＣに上限入賞個数に相当する「１０」を入力する処理を行う。
【０２００】
そして、ステップＳ５０７にて、開放コマンドを設定し、本開閉処理を終了する。この設定された開放コマンドは、通常処理（図１５）におけるステップＳ２０１にて、演出制御装置８２に送信される。演出制御装置８２では、受信した開放コマンドに基づいて、各ラウンドに対応した演出の内容を決定し、その決定した演出の内容が実行されるように各種機器を制御する。
【０２０１】
また、ステップＳ５０１にて可変入賞ユニット１５１が開放状態である場合にはステップＳ５０８に進み、タイマカウンタＴの値が「０」か否かを判定する。タイマカウンタＴの値が「０」でない場合、ステップＳ５０９にて可変入賞ユニット１５１に遊技球が入賞したか否かを、大入賞口用入賞センサ３２ａの検知状態により判定する。入賞が発生していない場合には、そのまま本開閉処理を終了する。一方、入賞が発生している場合には、ステップＳ５１０にて入賞カウンタＰＣの値を１ディクリメントした後にステップＳ５１１にて入賞カウンタＰＣの値が「０」か否かを判定し、「０」でない場合にはそのまま本開閉処理を終了する。
【０２０２】
ステップＳ５０８にてタイマカウンタＴの値が「０」であり上限開放時間が経過した場合、又はステップＳ５１１にて入賞カウンタＰＣの値が「０」であり上限入賞個数の入賞が発生した場合には、ラウンドの終了条件が成立したことを意味する。かかる場合にはステップＳ５１２にて可変入賞ユニット１５１を閉鎖すべく可変入賞駆動部１８１を非駆動状態とする。
【０２０３】
続くステップＳ５１３ではラウンドカウンタＲＣの値を１ディクリメントしてラウンドカウンタＲＣの更新処理を実行する。続く、ステップＳ５１４では、ラウンドカウンタＲＣの値が「０」か否かを判定する。
【０２０４】
ラウンドカウンタＲＣの値が「０」でない場合には、ステップＳ５１５にてラウンドとラウンドとの間、すなわち可変入賞ユニット１５１を開放状態から閉鎖状態としてから、再び開放状態とするまでの閉鎖時間の設定処理を実行する。閉鎖時間の設定処理では、タイマカウンタＴにラウンドとラウンドとの間の待機時間（インターバル）に相当する「２０００」（４ｓｅｃ）を入力する処理を行う。
【０２０５】
ここで、本実施形態における可変入賞ユニット１５１では、排出通路ＨＴから遊技球が１個排出されるのに要する期間が０．３ｓｅｃ（排出期間Ｈ）となるように、排出通路ＨＴの傾斜や排出口１７４が設定されている。そして、上記ステップＳ５１５にて入力する閉鎖時間は、各ラウンドの上限入賞個数分の排出期間（３ｓｅｃ、Ｈ×１０）よりも長くなるように設定されている。このようにすることで、ラウンドとラウンドとの間の待機時間において、排出通路ＨＴに保持された遊技球が全て排出口１７４を介して排出されることになる。
【０２０６】
その後、ステップＳ５１６にて閉鎖コマンドを設定し、本開閉処理を終了する。閉鎖コマンドは、通常処理（図１５）におけるステップＳ２０１にて、演出制御装置８２に送信される。演出制御装置８２では、受信した閉鎖コマンドに基づいて、ラウンド遊技のインターバルに対応した演出の内容を決定し、その決定した演出の内容が実行されるように各種機器を制御する。この演出の内容としては、図柄表示装置４１における表示態様が含まれており、この決定された表示態様は演出制御装置８２から表示制御装置２１２に表示内容コマンドとして出力される。表示制御装置２１２では、演出制御装置８２から受信した表示内容コマンドに基づいて、ラウンド遊技のインターバルに対応した表示（例えば、動画表示）が行われるように図柄表示装置４１を表示制御する。
【０２０７】
ステップＳ５１４にて、ラウンドカウンタＲＣの値が「０」であると判定した場合には、ステップＳ５１７にて、エンディングの開始処理を実行する。当該開始処理では、開閉実行モードのエンディング用に次の遊技回を開始することなく待機するためのエンディング用待機時間を設定する。具体的には、タイマカウンタＴに、ＲＯＭ１１３に予め記憶されているエンディング用の待機時間情報をセットする。本実施形態では、エンディング用待機時間は５ｓｅｃとなるように設定されており、ステップＳ５１７では、タイマカウンタＴに「２５００」を入力する処理を行う。
【０２０８】
その後、ステップＳ５１８にて、エンディングコマンドを設定した後に、本開閉処理を終了する。エンディングコマンドは、通常処理（図１５）におけるステップＳ２０１にて、演出制御装置８２に送信される。演出制御装置８２では、受信したエンディングコマンドに基づいて、開閉実行モードの終了に対応した演出の内容を決定し、その決定した演出の内容が実行されるように各種機器を制御する。この演出の内容としては、図柄表示装置４１における表示態様が含まれており、この決定された表示態様は演出制御装置８２から表示制御装置２１２に表示内容コマンドとして出力される。表示制御装置２１２では、演出制御装置８２から受信した表示内容コマンドに基づいて、今回の開閉実行モードの終了に対応した表示（例えば、動画表示）が行われるように図柄表示装置４１を表示制御する。
【０２０９】
遊技状態移行処理（図１７）の説明に戻り、ステップＳ４０９にて大入賞口開閉処理を実行した後は、ステップＳ４１０にてラウンドカウンタＲＣが「０」か否かを判定する。ラウンドカウンタＲＣの値が「０」でない場合には、そのまま本遊技状態移行処理を終了する。一方、ラウンドカウンタＲＣの値が「０」である場合には、ステップＳ４１１にてエンディング用の待機時間が終了したか否かをタイマカウンタＴにより判定する。エンディング用の待機時間が終了していない場合には、そのまま本遊技状態移行処理を終了する。一方、エンディング用の待機時間が終了している場合には、ステップＳ４１２にて開閉実行モード終了時の移行処理を実行する。
【０２１０】
開閉実行モード終了時の移行処理では、開閉実行モード後の当否抽選モード及びサポートモードの設定を行う。具体的には、今回の開閉実行モードの契機が確変大当たり結果であった場合には、開閉実行モード終了後は高確率モード且つ高頻度サポートモードの遊技状態に移行し、通常大当たり結果となっている場合には、開閉実行モード終了後は低確率モード且つ回数限定の高頻度サポートモードの遊技状態に移行する。
【０２１１】
そして、ステップＳ４１３にてラウンド表示部ＲＳの表示を終了するための処理を実行し、ステップＳ４１４にて開閉実行モードの終了処理を実行してから、本遊技状態移行処理を終了する。開閉実行モードの終了処理では、開閉実行モードへの移行や開閉実行モード中に使用した各種カウンタやフラグの消去を行う。
【０２１２】
＜各ラウンドの入賞態様＞
次に、各ラウンドにおいて可変入賞ユニット１５１へ遊技球が入賞する様子について、図１９のタイミングチャートを参照しながら説明する。
【０２１３】
ｔ０のタイミングでラウンドが開始されて、可変入賞駆動部１８１が駆動状態となると、誘導機構１６１の誘導部材１６２が第１リンク部材１８２及び第２リンク部材１８３を介して誘導状態となる。その結果、受け部１６３によって遊技球を受けることが可能となるとともに、大入賞口３２は開放され、可変入賞ユニット１５１は開放状態となる。
【０２１４】
また、誘導部材１６２が誘導状態となると、誘導部材１６２の当接部１６８が排出扉１７５と当接する状態となり、排出扉１７５は閉鎖状態となる。その結果、大入賞口３２からの排出通路ＨＴは遊技球を排出口１７４から排出しない状態（排出通路ＨＴに保持する状態）となる。
【０２１５】
ｔ１のタイミングで、大入賞口３２へ遊技球が入賞すると、当該遊技球は大入賞口用入賞センサ３２ａにより検知される。この検知タイミングは、大入賞口３２を通過してから期間ａだけ（０．１ｓｅｃ）遅れたタイミングとなる。この遅れは、大入賞口３２と大入賞口用入賞センサ３２ａとの位置関係によるものである。
【０２１６】
既に説明したとおり、大入賞口用入賞センサ３２ａは、大入賞口３２を通過した遊技球をできるだけ早く検知可能なように、大入賞口３２から連続するように設けられている。しかし、センサの物理的なサイズを小さくすることも限度があるし、センサの検知領域を大入賞口３２に近付けようとしても技術的に困難なことも考えられる。そのため、上記のように通過（入賞）から検知までには、少なからず遅れが生じてしまうことになる。
【０２１７】
この遅れは、大入賞口３２への入賞の度に発生するものであり、ｔ１〜ｔ９の各タイミングで大入賞口３２への入賞が発生すると、それぞれ期間ａだけ遅れたｔ１ａ〜ｔ９ａのタイミングでその入賞した遊技球の検知が行われる。そして、これらｔ１〜ｔ９のタイミングで入賞した遊技球は、排出通路ＨＴに保持された状態で維持される。
【０２１８】
そして、ｔ１０のタイミングで、今回のラウンドにおける上限入賞個数となる１０個目の遊技球が大入賞口３２へ入賞すると、排出通路ＨＴに保持されている遊技球の個数も１０個となり、当該１０個目の遊技球が後続の遊技球と衝突することによって、当該後続の遊技球は大入賞口３２へ入賞することができなくなる。そして、ｔ１０のタイミングから期間ａだけ遅れたｔ１０ａのタイミングで、主制御装置８１はラウンドの上限入賞個数の入賞が発生したことを把握して、今回のラウンドを終了すべく可変入賞ユニット１５１を閉鎖状態とする。具体的には、可変入賞駆動部１８１の駆動状態を非駆動状態とすることで、誘導機構１６１の誘導部材１６２が第１リンク部材１８２及び第２リンク部材１８３を介して非誘導状態となる。その結果、受け部１６３によって遊技球を受けることが不可能となるとともに、大入賞口３２は閉鎖され、可変入賞ユニット１５１は閉鎖状態となる。
【０２１９】
また、誘導部材１６２が非誘導状態となると、誘導部材１６２の当接部１６８が排出扉１７５と当接しない状態となり、排出扉１７５は開放状態となる。その結果、大入賞口３２からの排出通路ＨＴは遊技球を排出口１７４から排出する状態（排出通路ＨＴに保持しない状態）となる。これにより、ラウンド中に排出通路ＨＴに保持された遊技球は、排出口１７４を介して排出される。上記のとおり、本実施形態におけるラウンドとラウンドとの間のインターバル（閉鎖時間）は、排出通路ＨＴに保持可能な個数（ラウンドの上限入賞個数）の遊技球が排出される期間よりも長い期間となるように設定される。これにより、インターバル中に全ての遊技球が排出され、次のラウンドにおいては排出通路ＨＴに再度上限入賞個数の遊技球を保持することが可能となる。
【０２２０】
＜球詰まりの検知＞
次に、主制御装置８１のＭＰＵ１１２にて実行される大入賞口用の球詰まり判定処理にて、図２０のフローチャートを参照しながら説明する。本球詰まり判定処理は、ＭＰＵ１１２にて所定周期（例えば２ｍｓｅｃ周期）で起動される処理である。
【０２２１】
ステップＳ６０１にて、大入賞口用入賞センサ３２ａの検知状態が遊技球を検知している状態か否かを判定する。検知している場合には、ステップＳ６０２に進み、ＲＡＭ１１４の各種フラグ格納エリア１１４ｅに判定用フラグが格納されているか否かを判定する。判定用フラグは、大入賞口３２からの排出通路ＨＴの球詰まりを判定するためのフラグである。
【０２２２】
判定用フラグが格納されていない場合には、ステップＳ６０３にて判定用フラグを格納する。続くステップＳ６０４では、ＲＡＭ１１４の各種カウンタエリア１１４ｄに設けられた判定用カウンタに「１００」（０．２ｓｅｃ）を入力する処理を実行する。判定用カウンタは、球詰まりの判定を行うためのカウンタであり、タイマ割込み処理（図１４）が起動される度に１ずつ減算されるカウンタである。ステップＳ６０４の処理を実行した後は、本判定処理を終了する。
【０２２３】
ステップＳ６０１にて遊技球を検知していない場合には、ステップＳ６０５に進み、上記判定用カウンタが「０」であるか否かを判定する。「０」ではない場合には、そのまま本判定用処理を終了する。一方、「０」である場合には、ステップＳ６０６にて判定用フラグの有無を確認し、格納されていない場合にはその状態を維持し、格納されている場合には消去する処理を実行してから本判定用処理を終了する。すなわち、大入賞口用入賞センサ３２ａにて入賞を検知してから、所定時間（０．２ｓｅｃ）経過するまでは判定用カウンタが「０」ではなく、所定時間が経過することで判定用カウンタは「０」となる。そして、入賞検知していない状況で判定用カウンタが「０」であれば、判定用フラグが消去される。この場合、本判定処理では球詰まりとは判定しない。
【０２２４】
一方、ステップＳ６０１にて大入賞口３２への入賞を検知している状況であって、ステップＳ６０２にて判定用フラグが格納されている場合、ステップＳ６０７にて、判定用カウンタが「０」であるか否かを判定する。「０」ではない場合には、そのまま本判定用処理を終了する。
【０２２５】
一方、判定用カウンタが「０」である場合には、ステップＳ６０８にて、入賞カウンタＰＣが「３」以下であるか否かを判定する。入賞カウンタＰＣは、上記のように、開閉実行モード中の各ラウンドの上限入賞個数を把握するためのカウンタである。「３」以下である場合とは、例えば開閉実行モード中であれば、今回のラウンドにおいて、ラウンドの上限入賞個数である１０個のうち、７個以上の入賞が発生している状況である。この場合、排出通路ＨＴに７個以上の遊技球が保持されていると考えられる。ステップＳ６０８にて肯定判定した場合、ステップＳ６０９にて、開閉実行モード中であるか否かを判定する。すなわち、ステップＳ６０８にて肯定判定する場合とは、開閉実行モード中以外（入賞カウンタＰＣ＝０）も考えられる。開閉実行モード中である場合には、そのまま本判定処理を終了する。
【０２２６】
一方、入賞カウンタＰＣが「４」以上である場合、又は開閉実行モード中以外で入賞カウンタＰＣが「３」以下である場合には、ステップＳ６１０にて、球詰まり報知用処理を実行してから、本判定処理を終了する。球詰まり報知用処理では、球詰まりが発生している可能性が高い球詰まり状態であることを示すコマンドを、演出制御装置８２へ出力する。演出制御装置８２では、当該球詰まり状態であることを報知するように、例えばスピーカ部６４から警告音を発生させたり、球詰まり状態である旨の表示を行うように表示制御装置２１２を制御する。
【０２２７】
すなわち、上記のように、球詰まり状態の判定では、開閉実行モード中以外で所定期間に亘って大入賞口用入賞センサ３２ａの検知状態が継続した場合には、球詰まり状態と判定する。一方、開閉実行モード中においては、大入賞口用入賞センサ３２ａの検知状態が所定期間に亘って継続した場合であっても、排出通路ＨＴに７個以上の遊技球が保持されている状況であれば、球詰まり状態と判定しない構成とした。これは、排出通路ＨＴにおいては、保持される遊技球の個数が多くなるほど、最後に入球した遊技球が保持される箇所と大入賞口用入賞センサ３２ａとの距離が短くなり、遊技球の挙動によっては、大入賞口用入賞センサ３２ａに所定期間に亘って検知され続ける可能性が高くなることに起因している。このようにすることで、球詰まり状態の誤検知を好適に回避している。
【０２２８】
ちなみに、ラウンドが終了して排出通路ＨＴから遊技球が排出されると、排出通路ＨＴに７個以上の遊技球が保持されている状況は解消される。そして、ラウンドが終了して次のラウンドが開始されると、入賞カウンタＰＣには再度「１０」が入力される。換言すると、ラウンドが終了しているのにもかかわらず（新たに入賞カウンタＰＣが設定がされたのにもかかわらず）、大入賞口用入賞センサ３２ａの検知状態が継続している場合には、ラウンド間の排出がうまく行われなかった可能性が高い。そのような場合には、ステップＳ６０８にて否定判定して、ステップＳ６１０に進み、球詰まり報知用処理が行われる。
【０２２９】
また、開閉実行モードの最終ラウンドにおいては、入賞カウンタＰＣの再設定は行われないものの、ステップＳ６０９にて否定判定することになり、この場合も球詰まり報知用処理が行われる。
【０２３０】
以上詳述した本実施形態によれば、以下の優れた効果を奏することができる。
【０２３１】
可変入賞ユニット１５１において、大入賞口３２からの排出通路ＨＴに排出扉１７５を設けた。これにより、排出通路ＨＴに遊技球を保持することが可能となり、排出通路ＨＴが遊技球が満タンとなると、後続の遊技球は大入賞口３２へ入賞することができなくなる。このようにすることで、大入賞口３２の開閉（誘導部材１６２の切替制御）だけでなく、遊技球が入球できない状況を作り出すことができる。
【０２３２】
排出通路ＨＴに保持可能な個数がラウンドの上限入賞個数となるように、排出通路ＨＴの通路長を設定した。具体的には、排出扉１７５が閉鎖されれている状況で遊技球が排出通路ＨＴに保持された場合、上限入賞個数目の１０個目よりも上流側であって、受け部１６３に受けられる１１個目の遊技球の中心よりも下流側に配置されるように、扉部１６５の位置を設定した。これにより、排出通路ＨＴが遊技球で満タンとなった状態がラウンドの上限入賞個数の入賞が発生した状態となり、大入賞口３２の閉鎖が行われるよりも先に大入賞口３２への入賞を回避することが可能となる。よって、各ラウンドにおいて上限入賞個数を超える遊技球が大入賞口３２へ入賞してしまう事象を回避することが可能となる。
【０２３３】
ここで、各ラウンドの上限入賞個数を超える入賞が発生し得るものである場合には、当該上限入賞個数を超える入賞が発生した場合と、発生しなかった場合とで、各ラウンドにおいて得られる賞球は差が生じることになる。そのため、各ラウンドの上限入賞個数を超える入賞が発生すれば遊技者としては喜ばしいものと考えられる。しかし、上記のように得られる賞球に差が生じると、１の大当たりによって得られる特典の多い少ないが遊技者によって異なることとなり、遊技の公平性を担保する、という観点からは好ましくない。また、遊技ホールやメーカーとしては、上限入賞個数を超える入賞が発生することを加味して営業方針の決定や遊技機の設計を行う必要が生じ、その結果として、遊技者が得られる特典が少なくなったり、特典が得にくくなったりするものと考えられる。そうすると、上限入賞個数を超える入賞が生じ得る構成では、巡り巡って遊技者に不利益を生じさせてしまう可能性があるといえる。そこで、本実施形態のような可変入賞ユニット１５１を用いれば、上限入賞個数を超える入賞が発生し得ない構成であるため、遊技者に不利益を生じさせないようにすることが可能となる。
【０２３４】
誘導機構１６１の誘導部材１６２が非誘導状態から誘導状態となることで大入賞口３２への入賞が可能となるとともに、排出扉１７５が閉鎖状態となり、非誘導状態となることで大入賞口３２への入賞が不可となるとともに、排出扉１７５が開放状態となる。このようにしたことで、大入賞口３２から入賞した遊技球を排出する機能を担保しつつも、大入賞口３２から入賞した遊技球を保持する機能を、排出通路ＨＴが有するようにすることができる。
【０２３５】
排出扉１７５の変位は、誘導機構１６１において誘導部材１６２の変位によって生じる構成とした。具体的には、誘導部材１６２の変位を生じさせるための可変入賞駆動部１８１を制御することで、排出扉１７５の変位が行われる構成とした。このようにしたことで、排出扉１７５に別途駆動部を設ける構成と比較して、構成の簡素化を図ることが可能となる。また、本実施形態のように扉部１６５の動作に基づいて排出扉１７５も動作する構成とすれば、駆動部の共通化が図られるだけでなく、駆動タイミングや駆動契機も共通のものとなり、入球の可否や排出のタイミングを遊技者にわかり易くすることが可能となる。
【０２３６】
排出通路ＨＴの入口に戻り防止弁１７８を設けたことで、大入賞口３２へ入賞した遊技球が例えば排出通路ＨＴに保持されている遊技球と衝突するなどして、排出通路ＨＴから大入賞口３２を介して排出されてしまう事象が抑制されている。これにより、排出通路ＨＴに保持される個数が減少することが抑制されるし、大入賞口用入賞センサ３２ａの誤検知も抑制される。
【０２３７】
＜第２の実施形態＞
本実施形態では、開閉実行モードにおけるラウンドとラウンドとの間の待機時間の設定が、上記第１の実施形態と異なっている。図２１は、本実施形態における閉鎖時間の設定処理を示すフローチャートである。既に説明したとおり、閉鎖時間の設定処理は大入賞口開閉処理においてステップＳ５１５にて実行される処理である。
【０２３８】
本実施形態における閉鎖時間の設定処理では、ステップＳ７０１にて、今回の開閉実行モードの契機となった遊技回が、第１結果表示部ＡＳによるものであったか否か、すなわち、上作動口３３への入賞に基づく当否判定により大当たり当選となって移行した開閉実行モードであるか否かを判定する。第１結果表示部ＡＳによるものである場合には、ステップＳ７０２にて、ラウンドとラウンドとの間の待機時間としてタイマカウンタＴへ「２０００」（４ｓｅｃ）を入力する。ステップＳ７０２にて入力する値は、上記第１の実施形態と同じであり、排出通路ＨＴに保持されている全て（１０個）の遊技球が排出されるための時間（３ｓｅｃ、１０×Ｈ）よりも長くなっている。
【０２３９】
一方、ステップＳ７０１にて、今回の開閉実行モードの契機となった遊技回が、第１結果表示部ＡＳではなく、第２結果表示部ＢＳである場合、すなわち、下作動口３４への入賞に基づく当否判定により大当たり当選となって移行した開閉実行モードである場合には、ステップＳ７０３にて、ラウンドとラウンドとの間の待機時間としてタイマカウンタＴへ「１４００」を入力する。ステップＳ７０３にて入力する値は、排出通路ＨＴに保持されている遊技球のうち、９個分の遊技球が排出される時間（２．７ｓｅｃ、９×Ｈ）よりも長く、１０個分の遊技球が排出される時間よりも短くなっている。ステップＳ７０２又はステップＳ７０３の処理を実行した後は、本設定処理を終了する。
【０２４０】
本実施形態における、ラウンド中の遊技球の入球、及びラウンド間の待機時間中の遊技球の排出の関係を図２２を参照しながら説明する。
【０２４１】
図２２（ａ）に示すように、第１結果表示部ＡＳ側の遊技回に基づく開閉実行モードでは、上記第１の実施形態と同様に、ラウンド間の待機時間Ｔ１は、１０個分の排出時間よりも長くなるように設定される。そのため、例えばＮラウンド目において、大入賞口３２へ１０個の遊技球が入賞し、当該Ｎラウンドが終了してからＮ＋１ラウンドが開始されるまでの待機時間Ｔ１において、排出通路ＨＴに保持された遊技球は全て（１０個）排出される。その結果、Ｎ＋１ラウンドが開始される状況では、排出通路ＨＴに保持されている遊技球は存在せず（０個保持されており）、当該Ｎ＋１ラウンドにおいても１０個の遊技球を大入賞口３２へ入賞させることができる。
【０２４２】
これに対して、図２２（ｂ）に示すように、第２結果表示部ＢＳ側の遊技回に基づく開閉実行モードでは、ラウンド間の待機時間Ｔ１は、９個分の排出時間よりも長く且つ１０個分の排出時間より短くなるように設定される。そのため、例えば、Ｎラウンド目において、大入賞口３２へ１０個の遊技球が入賞し、当該Ｎラウンドが終了してからＮ＋１ラウンドが開始されるまでの待機時間Ｔ１において、排出通路ＨＴに保持されていた遊技球は９個だけ排出され、１個残ることになる。その結果、Ｎ＋１ラウンドが開始される状況では、排出通路ＨＴに遊技球が１個保持されている状況となり、当該Ｎ＋１ラウンドにおいては、１０個ではなく９個の遊技球を大入賞口３２へ入賞させることが可能となる。換言すると、上限入賞個数の設定（ＰＣに１０を入力する処理）は変更することなく、Ｎ＋１ラウンドにおける上限入賞個数も１０であるのにもかかわらず、Ｎ＋１ラウンドにおいては実質的に９個の遊技球しか入賞することができなくなる。
【０２４３】
次に、本実施形態における開閉実行モード用の演出について、図２３を参照しながら説明する。図２３は、開閉実行モード用演出処理を示すフローチャートである。開閉実行モード用演出処理は、演出制御装置８２のＭＰＵ２４２にて所定周期（例えば２ｍｓｅｃ）で起動される処理である。
【０２４４】
本演出処理では、ステップＳ８０１にてラウンドの開始タイミングか否かを判定する。なお、演出制御装置８２のＭＰＵ２４２は、ＲＡＭ２４４に設けられた経過カウンタを参照することで、開閉実行モード中の演出タイミングを把握することができる。この経過カウンタには、主制御装置８１側のタイマカウンタＴと同様の数値が入力されており、経過カウンタの数値はタイマカウンタＴと同様に所定周期毎に１ずつ減算される。ちなみに、主制御装置８１からは開閉実行モード中の各種タイミング（オープニングの開始、ラウンドの開始、待機時間の開始、エンディングの開始等のタイミング）で、タイマカウンタＴに入力した情報を含むコマンドが出力される。演出制御装置８２では当該コマンドに基づいて、経過カウンタにタイマカウンタＴと同様に数値を入力する。
【０２４５】
ステップＳ８０１にてラウンドの開始タイミングである場合には、ステップＳ８０２にてラウンド演出を実行するように、各種機器を制御する。ラウンド演出とは、例えば開閉実行モードを祝福するような動画演出であり、また、例えば現在のラウンド数や開閉実行モードの移行契機となった遊技回で停止した図柄を遊技者が把握可能となるように各種情報が表示される演出である。ステップＳ８０２の処理を実行した後は、本演出処理を終了する。
【０２４６】
ステップＳ８０１にてラウンドの開始タイミングではない場合には、ラウンド中である可能性がある。この場合、ステップＳ８０３にてラウンドの上限入賞個数の入賞が発生したか否かを判定する。なお、主制御装置８１側のステップＳ５０９にて大入賞口３２への入賞を検知する度に、その旨のコマンドを演出制御装置８２へ出力する構成とすることで、演出制御装置８２では大入賞口３２への入賞を把握可能となる。また、演出制御装置８２においても、入賞カウンタＰＣと同様のカウンタを設け、ラウンドの開始に際して、又は上記入賞の際のコマンドの受信に際して、当該カウンタの更新を行う構成とすれば、現状の入賞個数、及び上限入賞個数に達したことを演出制御装置８２側でも把握可能となる。
【０２４７】
ステップＳ８０３にて上限入賞個数の入賞が発生していない場合には、ステップＳ８０４にてラウンドの上限開放時間が経過したか否かを判定する。ステップＳ８０３又はステップＳ８０４のいずれかで肯定判定した場合には、ステップＳ８０５にて、ラウンド間の待機時間用の待機演出を設定して、本演出処理を終了する。待機演出とは、例えば、大入賞口３２への入賞が発生しない状態であることを示す動画演出であり、また、次に開始されるラウンドが何回目のラウンドかといった情報を遊技者が把握可能となるような表示が行われる演出である。
【０２４８】
ステップＳ８０３及びステップＳ８０４にて否定判定して、ラウンドの終了条件がいずれも成立していない場合には、ステップＳ８０６にて、９個入賞が発生したか否かを判定する。９個入賞が発生した場合には、ステップＳ８０７にて、現状のラウンドが２ラウンド目以降であるか否か、すなわち２ラウンド〜１５ラウンド目であるか否かを判定する。２ラウンド目以降である場合には、ステップＳ８０８にて、今回の開閉実行モードが第１結果表示部ＡＳの遊技回に基づくものであるか否かを判定する。
【０２４９】
第１結果表示部ＡＳではなく、第２結果表示部ＢＳの遊技回に基づくものであり、２ラウンド目以降で９個入賞が発生した場合とは、上記のように、上限入賞個数の遊技球の入賞は発生していないのにもかかわらず、大入賞口３２への入賞が制限されている場合である。この場合、ステップＳ８０９にて、特定演出を設定してから、本演出処理を終了する。特定演出は、例えば、ストーリー性を有する動画演出であり、長く継続するほど遊技者が有利な情報を得られる（例えば、レア画像が表示される、レア画像のデータ取得が可能となる等）ような演出である。なお、本実施形態では、特定演出が複数回発生した場合（例えば２ラウンド目以降の各ラウンドで発生した場合）は、前回の演出を引き継ぐ構成としている。
【０２５０】
ステップＳ８０６にて９個入賞していない場合、ステップＳ８０７にて１ラウンド目である場合、又はステップＳ８０８にて第１結果表示部ＡＳの遊技回に基づく開閉実行モードである場合には、ステップＳ８１０にてその他の処理を実行してから、本演出処理を終了する。その他の処理では、例えばオープニングやエンディング用の演出を設定したり、開閉実行モード後の遊技状態が高確率モードとなること等を事後的に報知する所謂昇格演出を実行するための処理を行ったりする。
【０２５１】
以上のように本実施形態によれば、ラウンド間の待機時間の長さを変更することで、当該待機時間中に排出される個数を変化させて、ラウンド中の上限入賞個数の設定を変更することなく、実質的な上限入賞個数を変化させることが可能となる。
【０２５２】
このように実質的な入賞個数を変化させる場合であっても、排出通路ＨＴの通路長は変化しない。すなわち、待機時間の調節だけで、排出通路ＨＴに貯留可能な個数を変化させることが可能となり、簡素な構成で実質的な入賞個数を変化させることができる。
【０２５３】
ラウンド間の待機時間を、上限入賞個数の排出時間よりも短い時間としたことで、次のラウンドの開始時において排出通路ＨＴに未だ排出されていない遊技球が存在するようになり、当該次のラウンドにおいては、未だ排出されていない遊技球の分だけ、実質的に入球可能な個数が少なくなる。このようにすることで、開閉実行モードにおけるラウンド中の入賞個数を変化させ、得られる賞球を変化させることが可能となる。
【０２５４】
ここで、第１の実施形態にて示したように、第１結果表示部ＡＳと第２結果表示部ＢＳとでは、大当たり当選となる確率は同じであり、振分テーブルも共通のものを使用する構成としている。一方で、第１結果表示部ＡＳと第２結果表示部ＢＳとでは、開閉実行モード中の得られる賞球が異なる。具体的には、第１結果表示部ＡＳでの大当たりでは、大入賞口３２へ１５ラウンド×１０個＝１５０個の遊技球の入賞が期待できる。一方、第２結果表示部ＢＳでの大当たりでは、大入賞口３２へ１ラウンド×１０個＋１４ラウンド×９個＝１３６個の遊技球の入賞が期待でき、第１結果表示部ＡＳのものよりも少ない。このようにすることで、当否抽選の確率や、大当たり結果の種類の振分等によらず、大当たり結果の有利度を異ならせることが可能となり、新たな遊技性を実現することができる。
【０２５５】
第２結果表示部ＢＳの遊技回に基づく開閉実行モードにおいては、２ラウンド目以降は９個入賞させると、以降の入賞が制限される。そして、上限入賞個数に達するといった終了条件は成立しないため、上限開放時間が経過するまでラウンドは継続する。この場合、開閉実行モード中の演出として、特定演出が行われる。特定演出は、継続すればするほど遊技者に有利な特典が付与されるような内容となっている。つまり、２ラウンド目以降においては、より早期に９個入賞させるほど、特定演出が行われる時間が長くなり、特定演出に基づいて遊技者に有利な特典が付与され易くなる。このようにすることで、早期に９個入賞させる意義を生じさせることが可能となり、ラウンド中の待ち時間を解消することができる。
【０２５６】
＜第３の実施形態＞
本実施形態の遊技盤２４には、可変入賞ユニット１５１が複数設けられている。図２４は、本実施形態における遊技盤２４の正面図である。
【０２５７】
本実施形態では、遊技盤２４の右側領域ＰＥ３において、第１可変入賞ユニット２０１と第２可変入賞ユニット２０２が設けられている。第１可変入賞ユニット２０１及び第２可変入賞ユニット２０２は、いずれも可変入賞ユニット１５１と同じ構造である。
【０２５８】
第１可変入賞ユニット２０１は第２可変入賞ユニット２０２よりも上流側に配置されており、第１可変入賞ユニット２０１の通過領域ＴＥと第２可変入賞ユニット２０２の通過領域ＴＥとが上下に重なるように配置されている。
【０２５９】
図２５は、本実施形態における大入賞口開放処理を示すフローチャートである。大入賞口開放処理は、大入賞口開閉処理（図１８）におけるステップＳ５０４にて実行されるしょりである。
【０２６０】
ステップＳ９０１では、ラウンドカウンタＲＣが奇数であるか否かを判定する。そして、ラウンドカウンタＲＣが奇数である場合には、ステップＳ９０２にて第１可変入賞ユニット２０１を開放状態とし、ラウンドカウンタＲＣが偶数である場合には、ステップＳ９０３にて第２可変入賞ユニット２０２を開放状態とする。ステップＳ９０２又はステップＳ９０３の処理を実行した後は、本開放処理を終了する。
【０２６１】
すなわち、本実施形態では、開閉実行モード中の各ラウンドが、第１可変入賞ユニット２０１と第２可変入賞ユニット２０２で交互に実行される。
【０２６２】
図による詳細な説明は省略するが、本実施形態における閉鎖時間の設定処理（ステップＳ５１５）では、上記第１の実施形態で入力する数値よりも小さい数値、具体的には「０」を入力する。すなわち、第１の実施形態のように、排出通路ＨＴに保持されている遊技球が全て排出されるのに要する時間よりも長い時間となるようにインターバルの時間を設定するのではなく、当該排出されるのに要する時間よりも短い時間、より具体的には０ｓｅｃを設定する。これにより、１のラウンドの終了後、より短い時間で（直ちに）次のラウンドが開始される。なお、インターバルの時間は、全遊技球が排出されるのに要する時間（１０×Ｈ）よりも短い時間であればよい。
【０２６３】
本実施形態における、ラウンド中の遊技球の入球、及びラウンド間の待機時間中の遊技球の排出の関係を図２６を参照しながら説明する。
【０２６４】
ラウンドカウンタＲＣが奇数であるＮラウンド目においては、図２６（ａ）に示すように、第１可変入賞ユニット２０１が開放状態とされる。この場合、第１可変入賞ユニット２０１における排出通路ＨＴでは１０個の遊技球を保持可能であり、Ｎラウンド目においては、ラウンドの上限入賞個数分の入賞が発生する。上記のように、続くＮ＋１ラウンド目は、Ｎラウンド目が終了すると直ちに開始される。Ｎ＋１ラウンド目は、図２６（ｂ）に示すように、第２可変入賞ユニット２０２が開放状態とされる。第２可変入賞ユニット２０２における排出通路ＨＴでは１０個の遊技球を保持可能であり、Ｎ＋１ラウンド目においては、ラウンドの上限入賞個数分の入賞が発生する。また、Ｎ＋１ラウンド目が第２可変入賞ユニット２０２にて実行されることにより、Ｎ＋１ラウンド目に閉鎖状態とされている第１可変入賞ユニット２０１側では、排出通路ＨＴの遊技球の排出が行われる。そして、Ｎ＋１ラウンド目が終了するよりも先に、Ｎラウンド目に入賞した遊技球の排出が完了する。Ｎ＋１ラウンド目が終了して、続くＮ＋２ラウンド目が第１可変入賞ユニット２０１側で実行される際には、第１可変入賞ユニット２０１における排出通路ＨＴには遊技球が残っておらず、Ｎ＋２ラウンド目においてもラウンドの上限入賞個数分の入賞が発生し得る。Ｎ＋２ラウンド目が実行されている最中に、閉鎖状態とされている第２可変入賞ユニット２０２側の遊技球の排出が行われる。
【０２６５】
以上のように、本実施形態では、排出が行われることで入賞が可能となる可変入賞ユニット２０１，２０２を複数設け、これらを交互に使用して各ラウンドを実行する構成としたことで、一方のユニットにて排出が行われている最中に他方のユニットにてラウンドを行うことが可能となり、より迅速なラウンドの消化を実現することが可能となる。
【０２６６】
これら複数の可変入賞ユニット２０１，２０２を上下に配置し、通過領域ＴＥが上下に重なるようにした。これにより、一方のユニットを狙って遊技球を発射させれば、他方のユニットにも当該遊技球は到達可能となり、交互に実行されるラウンドを遊技球の発射態様の変更を要さず消化することが可能となる。
【０２６７】
上記の構成を、第２の実施形態のように上限入賞個数の入賞が発生しない状態で大入賞口３２への入賞が制限される構成に適用する場合、以下のようにしてもよい。
【０２６８】
すなわち、開閉実行モードの所定のラウンドとして１ラウンド目と次のラウンドである２ラウンド目を同じユニット（第１可変入賞ユニット２０１）にて行う構成とする。また、１ラウンド目と２ラウンド目とのインターバル（閉鎖時間）は、上記第２の実施形態と同様に１個の遊技球の排出時間（Ｈ）と上限入賞個数（１０）との積よりも短く、排出時間（Ｈ）と上限入賞個数から所定個数（１）分減算した個数（９）との積よりも長い時間となるように設定する。その後、３ラウンド目は２ラウンド目とは異なる側のユニット（第２可変入賞ユニット２０２）にて行い、以降は各ユニットで交互にラウンドを実行する。
【０２６９】
このようにすると、２ラウンド目においては上限入賞個数の遊技球の入賞が発生するよりも前に遊技球の入賞が制限される。ここで、このような状況においては、大入賞口３２への入賞は制限される一方で、受け部１６３は遊技盤２４から前方へ起立した状態であり通過領域ＴＥを通過する遊技球を受けることが可能な状態となっている。
【０２７０】
そして、図２７に示すように、９個を上限として大入賞口３２へ入賞が可能なＮラウンド目においては、上記のように１０個目の大入賞口３２への入賞は発生しないものの（図２７（ａ））、第１可変入賞ユニット２０１を狙えば、当該ユニット２０１の受け部１６３に遊技球を受けさせることは可能である。そうすると、上限開放時間が経過するまで、図２７（ｃ１）に示すように、受け部１６３に多数の遊技球が留まることになる。
【０２７１】
Ｎラウンド目の上限開放時間が経過すると、次のＮ＋１ラウンド目は第２可変入賞ユニット２０２が開放状態とされる（図２７（ｂ））。また、Ｎラウンド目の終了に際して、第１可変入賞ユニット２０１は閉鎖状態となり、受け部１６３は遊技盤２４と平行となるように非誘導状態に切替えられる。そうすると、図２６（ｃ２）に示すように、第１可変入賞ユニット２０１の受け部１６３にて受けられていた遊技球は、そのまま第２可変入賞ユニット２０２に向けて落下することになる。第２可変入賞ユニット２０２は開放状態となることで、上記第１可変入賞ユニット２０１から落下する遊技球を受けることが可能となり、当該受けた遊技球は大入賞口３２から入賞する。
【０２７２】
その結果、図２７（ｂ）、図２７（ｃ３）に示すように、Ｎ＋１ラウンド目においては、上記第１可変入賞ユニット２０１に留まっていた遊技球分だけ、早期に上限入賞個数の入賞が発生することになる。より具体的には、Ｎ＋１ラウンド目は、上限入賞個数（１０）と遊技球の発射周期（０．６ｓｅｃ）との積よりも短い時間で、上限入賞個数の入賞が発生して終了することになる。
【０２７３】
Ｎ＋１ラウンド目が上記のように早期に終了することにより、第１可変入賞ユニット２０１側では、Ｎラウンド目の遊技球の排出が完了するよりも前に、次のＮ＋２ラウンド目が開始されることになる。すなわち、例えば、第１可変入賞ユニット２０１の排出通路ＨＴにおいて１個の遊技球が未排出であるタイミングで、Ｎ＋１ラウンド目において第２可変入賞ユニット２０２への１０個の入賞が発生すると、第１可変入賞ユニット２０１の排出通路ＨＴに１個残存した状態で、Ｎ＋１ラウンド目が終了してＮ＋２ラウンド目が開始される（図２７（ｃ４））。その結果、Ｎ＋２ラウンド目においても、第１可変入賞ユニット２０１へ上限入賞個数の遊技球の入賞は発生せず、第１可変入賞ユニット２０１側の受け部１６３にて遊技球が受けられ且つ大入賞口３２への入賞が発生しない状況が生じる。そうすると、Ｎ＋３ラウンド目においては、上記Ｎ＋１ラウンド目と同様に、当該Ｎ＋３ラウンド目を早期に終了させることが可能となる。
【０２７４】
以上のようにすれば、上限入賞個数が発生しないラウンドを実現しつつも、受け部１６３に留保される分の遊技球を利用して、次のラウンドを早期に終了させることが可能となる。よって、第２の実施形態のように、開閉実行モードの閉鎖時間を利用して有利度を変化させる構成において、開閉実行モードの迅速な消化をも実現することができる。
【０２７５】
＜第４の実施形態＞
本実施形態では、当否抽選に用いられる当否テーブル及び大当たり結果の振分判定に用いられる振分テーブルが上記各実施形態と異なっている。
【０２７６】
図２８は、本実施形態における当否テーブルである。
【０２７７】
本実施形態では、低確率モード用の当否テーブル（図２８（ａ））、及び高確率モード用の当否テーブル（図２８（ｂ））のいずれにおいても、大当たり当選となる乱数の値以外の外れ結果として、特別外れ結果及び通常外れ結果が設定されている。
【０２７８】
外れ結果となった場合に比較的高確率で発生する通常外れ結果では、開閉実行モードに移行することはなく、さらに当否抽選モード及びサポートモードの変更は発生しない。
【０２７９】
一方、外れ結果となった場合に比較的低確率で発生する特別外れ結果では、特別外れ状態となる。特別外れ状態では、当否抽選において外れ結果となった状況において開閉実行モードに移行することとなる。また、開閉実行モードの終了後には、当否抽選モード及びサポートモードの移行は発生しない。
【０２８０】
特別外れ結果に基づく開閉実行モードでは、１ラウンドの開閉実行モードが実行される。当該開閉実行モードでは、１ラウンド中に可変入賞ユニット１５１の開閉制御が４回行われる。
【０２８１】
図２９は、本実施形態における振分テーブルである。
【０２８２】
振分テーブルとしては、図２９（ａ）の第１結果表示部用の振分テーブルと、図２９（ｂ）の第２結果表示部用の振分テーブルとが設定されている。
【０２８３】
第１結果表示部用の振分テーブルでは、図２９（ａ）に示すように、遊技結果の振分先として、通常大当たり結果、非明示２Ｒ確変大当たり結果、明示２Ｒ確変大当たり結果、１５Ｒ確変大当たり結果が設定されている。このうち、通常大当たり結果は、上記各実施形態にて説明したとおりであり、１５Ｒ確変大当たり結果は、上記各実施形態における確変大当たり結果に対応するものである。これら通常大当たり結果及び１５Ｒ確変大当たり結果は、上記のように１５ラウンドの開閉実行モードが実行される大当たり結果である。
【０２８４】
非明示２Ｒ確変大当たり結果は、２ラウンドの開閉実行モードが実行されるとともに、さらに開閉実行モードの終了後には、当否抽選モードが高確率モードとなり、サポートモードが低頻度サポートモードとなる大当たり結果である。２ラウンドの開閉実行モードにおける各ラウンドでは、２回の開閉制御が可変入賞ユニット１５１にて行われる。
【０２８５】
明示２Ｒ確変大当たり結果は、２ラウンドの開閉実行モードが実行されるとともに、さらに開閉実行モードの終了後には、当否抽選モードが高確率モードとなり、サポートモードが高頻度サポートモードとなる大当たり結果である。当該高頻度サポートモードは、当否抽選における抽選結果が大当たり状態当選となり、それによる大当たり状態に移行するまで継続する。非明示２Ｒ確変大当たり結果と同様に、２ラウンドの開閉実行モードにおける各ラウンドでは、２回の開閉制御が可変入賞ユニット１５１にて行われる。
【０２８６】
第１結果表示部用の振分テーブルでは、「０〜２９」の大当たり種別カウンタＣ２の値のうち、「０〜９」が通常大当たり結果に対応しており、「１０〜１４」が非明示２Ｒ確変大当たり結果に対応しており、「１５〜１９」が明示２Ｒ確変大当たり結果に対応しており、「２０〜２９」が１５Ｒ確変大当たり結果に対応している。
【０２８７】
上記のように、確変大当たり結果として、非明示２Ｒ確変大当たり結果及び明示２Ｒ確変大当たり結果が設定されていることにより、確変大当たり結果の態様が多様化する。すなわち、３種類の確変大当たり結果を比較した場合、遊技者にとっての有利度合いは、１５Ｒ確変大当たり結果が最も高く、明示２Ｒ確変大当たり結果が次に高く、非明示２Ｒ確変大当たり結果が最も低くなる。これにより、遊技の単調化が抑えられ、遊技への注目度を高めることが可能となる。
【０２８８】
一方、第２結果表示部用の振分テーブルでは、図２９（ｂ）に示すように、遊技結果の振分先として、通常大当たり結果及び１５Ｒ確変大当たり結果のみが設定されている。そして、「０〜２９」の大当たり種別カウンタＣ２の値のうち、「０〜９」が通常大当たり結果に対応しており、「１０〜２９」が１５Ｒ確変大当たり結果に対応している。
【０２８９】
ここで、非明示２Ｒ確変大当たり結果及び明示２Ｒ確変大当たり結果と、特別外れ結果では、開閉実行モード中の可変入賞ユニット１５１の開閉態様が共通している。すなわち、各２Ｒ確変大当たり結果では、２ラウンドの開閉実行モードが行われ、各ラウンドでは２回の開閉制御が行われる。一方、特別外れ結果では、１ラウンドの開閉実行モードが行われ、当該１ラウンドでは４回の開閉制御が行われ、開閉制御の回数が共通している。また、各開放時の開放継続時間と、閉鎖時の閉鎖継続時間とが、２Ｒ確変大当たり結果と特別外れ結果とで共通している。
【０２９０】
上記のように特別外れ結果と２Ｒ確変大当たり結果を設定することで、可変入賞ユニット１５１の大入賞口３２の開放を演出として用いることができる。ここで、特別外れ結果となった場合、４回の開放が実行される開閉実行モードに移行するのみであり、その後には開閉実行モード前の遊技状態に復帰する。これに対して、上記非明示２Ｒ確変大当たり結果が発生した場合には、４回の開放が実行される開閉実行モードに移行し、その後にはサポートモードが低頻度サポートモードであるものの当否抽選モードが高確率モードとなる。そうすると、特別外れ結果の発生及び非明示２Ｒ確変大当たり結果の発生は、同一の開放回数である開閉実行モードに移行すること及びその後にサポートモードが低頻度サポートとなることで共通し、両者の差異は前者においては当否抽選モードが低確率モードとなるのに対して後者においては高確率モードとなることで相違する。つまり、特別外れ結果の発生及び非明示２Ｒ確変大当たり結果の発生は、可変入賞ユニット１５１の挙動及び下作動口３４の電動役物３４ａの挙動といった各可動物の挙動が共通し、内部的な抽選状態のみが相違することとなる。これにより、４回の開放が行われる開閉実行モードが発生した場合には、その後に当否抽選モードが高確率モードに移行しているか否かを想像させることが可能となり、遊技への注目度を高めることが可能となる。
【０２９１】
なお、各遊技回において、表示画面Ｇにて特別外れ結果及び非明示２Ｒ確変大当たり結果である場合に表示される停止結果は、共通の停止結果（例えば、３・４・１）となるように設定されている。これにより、表示画面Ｇにおいて実施される遊技回の停止結果からも、遊技者は、いずれの遊技結果に基づいて開閉実行モードに移行したかが把握できなくなっている。
【０２９２】
さらに、開閉実行モード中の演出も、特別外れ結果に基づく開閉実行モードと非明示２Ｒ確変大当たり結果に基づく開閉実行モードとで共通の演出が実行される。そのため、開閉実行モード中の開閉態様だけでなく、演出態様からも、遊技者はいずれの遊技結果に基づく開閉実行モードであるかを把握することができない。
【０２９３】
但し、表示画面Ｇよりも小さい表示部であるメイン表示部４３における停止結果は、特別外れ結果及び非明示２Ｒ確変大当たり結果とで異なる停止結果となるように設定される。そのため、例えば遊技ホールの管理者が、いずれの遊技結果に基づいて開閉実行モードに移行したかを把握したい場合には、その把握が可能となっている。
【０２９４】
ちなみに、明示２Ｒ確変大当たり結果に基づく表示画面Ｇにおける遊技回の停止結果や、メイン表示部４３における停止結果は、特別外れ結果や非明示２Ｒ確変大当たり結果とは異なるように設定されている。また、明示２Ｒ確変大当たり結果に基づく開閉実行モードの演出も、特別外れ結果や非明示２Ｒ確変大当たり結果に基づく開閉実行モードの演出と異なるように設定されている。
【０２９５】
以上のような当否テーブル及び振分テーブルを用いて行われる開閉実行モードの処理について、図３０〜図３２を参照しながら説明する。
【０２９６】
図３０は、本実施形態におけるラウンド表示の開始処理を示すフローチャートである。ラウンド表示の開始処理は、遊技状態移行処理（図１７）におけるステップＳ４０５にて実行される処理である。
【０２９７】
ステップＳ１００１では、今回開始する開閉実行モードが１５Ｒの大当たり結果（通常大当たり結果又は１５Ｒ確変大当たり結果）に基づくものであるか否かを判定する。ステップＳ１００１にて肯定判定した場合には、ステップＳ１００２にてラウンドカウンタＲＣに「１５」を入力してラウンド表示部ＲＳの表示を開始してから、ラウンド表示の開始処理を終了する。
【０２９８】
ステップＳ１００１にて否定判定した場合、ステップＳ１００３にて今回開始する開閉実行モードが特別外れ結果に基づくものであるか否かを判定する。ステップＳ１００３にて否定判定する場合とは、今回の開閉実行モードが非明示２Ｒ確変大当たり結果又は明示２Ｒ確変大当たり結果に基づくものであることを意味し、この場合、ステップＳ１００４にてラウンドカウンタＲＣに「２」を入力してラウンド表示部ＲＳの表示を開始してから、ラウンド表示の開始処理を終了する。一方、ステップＳ１００３にて肯定判定した場合は、ステップＳ１００５にてラウンドカウンタＲＣに「１」を入力してラウンド表示部ＲＳの表示を開始してから、ラウンド表示の開始処理を終了する。
【０２９９】
図３１は、本実施形態における大入賞口開閉処理を示すフローチャートである。
【０３００】
本実施形態では、上記ステップＳ５０１〜ステップＳ５０４と同様に、ステップＳ１１０１〜ステップＳ１１０４にて大入賞口３２を開放させるための処理を行う。ステップＳ１１０５では、ＲＡＭ１１４の各種カウンタエリア１１４ｄに設けられたオープンカウンタＯＣが「０」であるか否かを判定する。オープンカウンタＯＣは、１ラウンド中の大入賞口３２の開放回数をＭＰＵ１１２が把握するためのカウンタである。
【０３０１】
オープンカウンタＯＣが「０」である場合とは、ラウンドの開始時であり、この場合、ステップＳ１１０６にて今回の開閉実行モードが１５Ｒの大当たり結果に基づくものであるか否かを判定する。ステップＳ１１０６にて肯定判定した場合には、ステップＳ１１０７にてオープンカウンタＯＣに「１」を入力し、ステップＳ１１０８にてタイマカウンタＴに「１５０００」を入力する。そして、ステップＳ１１０９にて入賞カウンタＰＣに「１０」を入力する。すなわち、１５Ｒの大当たり結果に基づく開閉実行モードでは、各ラウンドにおいて大入賞口３２は１回開放され、１回の開放時間は３０ｓｅｃを上限として継続する。
【０３０２】
ステップＳ１１０６にて１５Ｒの大当たり結果に基づくものではないと判定した場合には、ステップＳ１１１０にて特別外れ結果に基づくものか否かを判定する。特別外れ結果に基づくものではない場合には、ステップＳ１１１１にてオープンカウンタＯＣに「２」を入力する。また、特別外れ結果に基づくものである場合には、ステップＳ１１１２にてオープンカウンタＯＣに「４」を入力する。そして、ステップＳ１１１３にてタイマカウンタＴに「１４００」を入力する。その後、ステップＳ１１０９にて入賞カウンタＰＣに「１０」を入力する。また、ステップＳ１１０５にてオープンカウンタＯＣが「０」ではない場合には、ステップＳ１１１４にてタイマカウンタＴに「１４００」を入力する。
【０３０３】
すなわち、非明示２Ｒ確変大当たり結果、明示２Ｒ確変大当たり結果及び特別外れ結果に基づく開閉実行モードでは、いずれかの２Ｒ確変大当たり結果においては各ラウンドにおいて大入賞口３２は２回開放され、１回の開放時間は２．８ｓｅｃを上限として継続する。一方、特別外れ結果においては、１ラウンドにおいて大入賞口３２は４回開放され、１回の開放時間は２．８ｓｅｃを上限として継続する。
【０３０４】
ステップＳ１１０９又はステップＳ１１１４の処理を実行した後は、ステップＳ１１１５にて開放コマンドを設定してから、大入賞口開閉処理を終了する。
【０３０５】
ステップＳ１１０１にて大入賞口３２を開放中であると判定した場合には、ステップＳ１１１６〜ステップＳ１１２０にて、ステップＳ５０８〜ステップＳ５１２と同様に大入賞口３２を閉鎖するための処理を実行する。ステップＳ１１２１では、オープンカウンタＯＣの更新処理として、オープンカウンタＯＣを１減算する処理を実行する。続くステップＳ１１２２ではオープンカウンタＯＣが「０」であるか否かを判定する。「０」である場合には、ステップＳ１１２３にてラウンドカウンタＲＣの更新処理として、ラウンドカウンタＲＣを１減算する処理を実行する。そして、ステップＳ１１２４にて、ラウンドカウンタＲＣが「０」であるか否かの判定を行う。
【０３０６】
ステップＳ１１２２又はステップＳ１１２４にて否定判定した場合、ステップＳ１１２５にて閉鎖時間の設定処理を実行する。本実施形態における閉鎖時間の設定処理では、図３２のフローチャートに示すように、ステップＳ１２０１にて、今回の開閉実行モードが１５Ｒの大当たり結果に基づくものであるか否かを判定し、１５Ｒの大当たり結果に基づくものである場合には、ステップＳ１２０２にてタイマカウンタＴに「２０００」を入力する。また、１５Ｒの大当たり結果に基づくものではない場合には、ステップＳ１２０３にてタイマカウンタＴに「１００」を入力する。ステップＳ１２０２又はステップＳ１２０３の処理を実行した後は、本設定処理を終了する。
【０３０７】
ステップＳ１２０３にて入力する値は、０．２ｓｅｃに相当し、排出通路ＨＴから遊技球が１個排出されるのに要する期間（Ｈ＝０．３ｓｅｃ）よりも短い時間である。そのため、非明示２Ｒ確変大当たり結果、明示２Ｒ確変大当たり結果、特別外れ結果に基づく開閉実行モードにおいて、ラウンド間の待機時間やラウンド中の１開放と１開放との間の待機時間において、可変入賞ユニット１５１が閉鎖状態となっても、排出通路ＨＴから遊技球は排出されない。
【０３０８】
ステップＳ１１２５の処理を実行した後は、ステップＳ１１２６にて閉鎖コマンドを設定してから、大入賞口開閉処理を終了する。また、ステップＳ１１２４にてラウンドカウンタＲＣが「０」である場合には、ステップＳ１１２７及びステップＳ１１２８の処理を実行してから、大入賞口開閉処理を終了する。ステップＳ１１２７及びステップＳ１１２８の処理はステップＳ５１７及びステップＳ５１８の処理と同様である。
【０３０９】
本実施形態における、可変入賞ユニット１５１の開閉制御の態様について、図３３〜図３５を参照しながら説明する。
【０３１０】
本実施形態では、ラウンドとラウンドとの間の待機時間として、図３３（ａ）に示す長時間態様となる待機時間（Ｔ１）と、図３３（ｂ）に示す短時間態様となる待機時間（Ｔ２）とが設定されている。長時間態様となる待機時間（Ｔ１）は、上記各実施形態における待機時間と同様であり、排出通路ＨＴから遊技球が１個排出されるのに要する期間（Ｈ）と上限入賞個数（１０）との積よりも長い時間となるように設定されている。
【０３１１】
一方、短時間態様となる待機時間（Ｔ２）は、１個分の排出時間（Ｈ）よりも短い時間となるように設定されている。また、図３３（ｃ）に示すように、ラウンド中の１開放と１開放との間の閉鎖時間（単閉鎖時間、Ｔ３）も、１個分の排出時間（Ｈ）よりも短い時間となるように設定されている。そのため、上記のように、短時間態様となる待機時間（Ｔ２）や、単閉鎖時間（Ｔ３）においては、排出通路ＨＴから遊技球は排出されない。
【０３１２】
上記のように、いずれかの２Ｒ確変大当たり結果に基づく開閉実行モードと、特別外れ結果に基づく開閉実行モードとでは、可変入賞ユニット１５１の開閉態様が共通する。そして、１開放と１開放との間の待機時間（Ｔ２，Ｔ３）では排出通路ＨＴからの排出は発生しないため、これらの開閉実行モードにおいて実質的な上限入賞個数は１０個で共通する。
【０３１３】
図３４（ａ）に示すように、いずれかの２Ｒ確変大当たり結果に基づく開閉実行モードでは、それぞれ２回の開放を行うラウンドを２回実行し、各ラウンドにおいて上限入賞個数（１０）の設定が行われる。すなわち、開閉実行モードを通じた実質的な上限入賞個数は１０である一方で、各ラウンドの上限入賞個数の設定は２回行われ、設定上の上限入賞個数と実質的な上限入賞個数とが相違する。一方、図３４（ｂ）に示すように、特別外れ結果に基づく開閉実行モードでは、４回の開放を行うラウンドを１回実行するため、開閉実行モードを通じた実質的な上限入賞個数は１ラウンドの上限入賞個数と共通である。
【０３１４】
このような相違によって、可変入賞ユニット１５１の閉鎖タイミングを相違させることが可能となる。先ず、図３５（ａ）に示す２Ｒ確変大当たり結果に基づく開閉実行モードにおいて、ｔａのタイミングからｔｂのタイミングで行われる１ラウンド目と、ｔｃのタイミングからｔｄのタイミングで行われる２ラウンド目で遊技球がそれぞれ入球した場合について説明する。この場合、ｔ１〜ｔ１０のタイミングで遊技球の入球が発生すると、排出通路ＨＴに保持される遊技球も入球に応じて増加する。一方で、例えば、ｔ６のタイミングで６個目の遊技球が入賞した後に、１ラウンド目が終了した場合（ｔｂ）、ｔｃのタイミングで２ラウンド目が開始されると、当該２ラウンド目では上限入賞個数の再設定が行われる。そうすると、２ラウンド目が開始されてからｔ７のタイミングで入賞する遊技球は、排出通路ＨＴにおいて保持される遊技球としては７個目であるものの、２ラウンド目の入賞個数としてみると１個目の入賞となる。よって、ｔ１０のタイミングで、当該開閉実行モードを通じて１０個目の遊技球が入賞して、排出通路ＨＴが満タンとなった場合であっても、２ラウンド目の入賞個数としては４個であり、２ラウンド目の上限入賞個数には達していない。この場合、ｔ１０のタイミング以降においては、大入賞口３２への入賞が発生し得ないものの、可変入賞ユニット１５１は開放状態のまま維持され、上限開放時間が経過するｔｄのタイミングで可変入賞ユニット１５１は閉鎖状態となる。
【０３１５】
これに対して、特別外れ結果に基づく開閉実行モードでは、図３５（ｂ）に示すように、開閉実行モードを通じた入賞個数と１ラウンド中の入賞個数に相違は生じない。すなわち、ｔａのタイミングから開始された開閉実行モードにおいて、ｔ１〜ｔ１０のタイミングで入球が発生すると、排出通路ＨＴに保持される遊技球も入球に応じて増加する。そして、ｔ１０のタイミングで上限入賞個数である１０個目の入球が発生すると、その入球に基づいてｔｅのタイミングで可変入賞ユニット１５１が閉鎖状態となり、開閉実行モードが終了する。
【０３１６】
以上のように、本実施形態によれば、２Ｒ確変大当たり結果と特別外れ結果という、開放時間や閉鎖時間の設定上の開閉実行モード中の開閉態様が共通する開閉実行モードにおいて、上限入賞個数の再設定が行われるか否かといった相違点によって、可変入賞ユニット１５１の閉鎖タイミングを相違させることが可能となる。このようにすれば、遊技機側が設定する開閉態様が共通する開閉実行モードであっても、入賞を発生させることによって開閉態様を相違させることが可能となり、斬新な遊技性を実現することができる。
【０３１７】
特に、上記２Ｒ確変大当たり結果のうち、非明示２Ｒ確変大当たり結果と特別外れ結果とでは、各遊技回の停止結果や開閉実行モード中の演出態様が共通している。そのため、遊技者としてはいずれの遊技結果に基づく開閉実行モードかを演出態様や当初の開閉態様からは把握することができない。その一方で、非明示２Ｒ確変大当たり結果に基づく開閉実行モードであれば、当該開閉実行モード後の当否抽選モードは高確率モードに設定され、特別外れ結果に基づく開閉実行モードであれば、当該開閉実行モード後の当否抽選モードは開閉実行モード前の当否抽選モードを引き継ぐ。そのため、遊技者としては、開閉実行モード後に高確率モードであることを期待して遊技を行う（すなわち非明示２Ｒ確変大当たり結果であったことを期待して遊技を行う）ことができ、遊技の多様化が図られている。そして、本実施形態においては、いずれの遊技結果に基づく開閉実行モードかを、当該開閉実行モード中に１０個の入賞を発生させることで、把握することが可能となる。つまり、１０個の入賞を発生させて可変入賞ユニット１５１が閉鎖状態となれば、当該開閉実行モードは特別外れ結果に基づくものであり、１０個の入賞を発生させて可変入賞ユニット１５１が閉鎖状態とならなければ、当該開閉実行モードは非明示２Ｒ確変大当たり結果に基づくものである。このように、遊技者が入賞させるか否かによっていずれの結果かを把握可能としたことによって、開閉実行モード後の当否抽選モードの高低の予測を楽しみたい場合と、早期に知りたい場合とを、遊技者に選択させることが可能となり、遊技の多様化が図られる。
【０３１８】
この場合、遊技者が入賞させることができる個数は、非明示２Ｒ確変大当たり結果と特別外れ結果のいずれであっても１０個であり、得られる特典は同じである。つまり、開閉実行モード後の当否抽選モードの高低を先に知ることができるか否か、といった点のみが異なり、遊技者の有利度に差を生じさせない範囲で遊技の多様化を図ることが可能となる。
【０３１９】
＜第５の実施形態＞
本実施形態では、可変入賞ユニット１５１の配置が上記各実施形態とは異なっている。図３６（ａ）は、本実施形態における遊技盤２４を示す正面図である。
【０３２０】
本実施形態における可変入賞ユニット１５１（以下の説明では、第３可変入賞ユニット２０４という）は、受け部１６３が上下方向に延在するように配置する。そして、左右方向において大入賞口３２を挟んで受け部１６３と反対側であって、大入賞口３２よりも下流側に、遊技球が入球可能な特別入球部２６を設ける。特別入球部２６に遊技球が入球すると、所定個数（例えば１０個）の賞球が払い出される。
【０３２１】
なお、本実施形態では特別入球部２６への入球が発生しても、大当たり判定等の抽選は行われない。但し、特別入球部２６への入球に基づいて、例えば遊技者に所定の特典（大当たり状態の発生や高確率モードへの移行等）が付与されるか否か抽選が行われる構成としてもよい。
【０３２２】
図３６（ａ）に示すように、右側領域ＰＥ３を流下するように遊技球を発射させた場合において、第３可変入賞ユニット２０４が非誘導状態である場合には、受け部１６３は遊技盤２４と平行となり、通過領域ＴＥを素通りするように遊技球は流下する（ルートＲ１）。その一方で、第３可変入賞ユニット２０４における可変入賞駆動部１８１が駆動制御されて非誘導状態から誘導状態となると、右側領域ＰＥ３を流下する遊技球は、受け部１６３によって大入賞口３２へと誘導される（ルートＲ２）。
【０３２３】
この場合、上記第２の実施形態のように、ラウンド間の待機時間をラウンドの上限入賞個数と排出に要する時間との積よりも短い時間とすると、排出通路ＨＴに残存している遊技球の分、次のラウンドの入賞個数は減る。そして、当該次のラウンドにおいて、排出通路ＨＴが満タンの状態となってから上限開放時間が経過するまでの間は、大入賞口３２への入賞が発生しないものの当該ラウンドが継続する状態となる。
【０３２４】
ラウンド中に上記の満タン状態となって上限開放時間が経過するまでの間は、右側領域ＰＥ３を流下するように遊技球を発射させると、当該遊技球は受け部１６３によって受けられるとともに、大入賞口３２へ誘導される。ところが、大入賞口３２へは上記のとおり入球できない状態となっており、大入賞口３２を挟んで受け部１６３と反対側に当該遊技球は落下する。上記のとおり、当該落下する位置には特別入球部２６が配置されており、当該落下する遊技球は特別入球部２６へ入球する。
【０３２５】
以上の結果、ラウンド中に排出通路ＨＴが満タン状態となり、上限開放時間が経過するまでの間、大入賞口３２へ入賞させることができなくなる一方で、特別入球部２６への入賞が発生し易くなる。これにより、上限開放時間が経過するまでの間が長く続けば続くほど、特別入球部２６への入賞に基づく賞球を得ることができる、といった斬新な遊技を実現することができる。
【０３２６】
ちなみに、本実施形態においては、誘導機構１６１における誘導部材１６２の駆動制御用の可変入賞駆動部１８１とは別途、排出扉１７５の開閉を実行するための駆動部（排出駆動部１９１）が設けられている。排出駆動部１９１は主制御装置８１と接続されており、排出駆動部１９１が駆動状態とされると排出扉１７５は閉鎖状態となり、排出駆動部１９１が非駆動状態とされると排出扉１７５は開放状態となる。
【０３２７】
図３６（ｂ）は、主制御装置８１のＭＰＵ１１２にて実行される排出駆動部用処理を示すフローチャートである。
【０３２８】
排出駆動部用処理では、ステップＳ１３０１にて可変入賞駆動部１８１の駆動状態を把握して、大入賞口３２が開放状態か否かを判定する。開放状態である場合には、ステップＳ１３０２にて排出駆動部１９１を駆動制御して、排出扉１７５を閉鎖状態とする。また、ステップＳ１３０１にて大入賞口３２が閉鎖状態である場合には、ステップＳ１３０３にて排出駆動部１９１を駆動制御して、排出扉１７５を開放状態とする。ステップＳ１３０２又はステップＳ１３０３の処理を実行した後は、本駆動用処理を終了する。
【０３２９】
このように、大入賞口３２の開閉用の駆動部（可変入賞駆動部１８１）とは別途、排出扉１７５用の駆動部を設けた場合であっても、大入賞口３２の開閉に基づいて排出扉１７５を開閉する構成とすれば、排出扉１７５の開閉タイミングは明確となり、遊技の透明性は担保される。
【０３３０】
以上のように、本実施形態によれば、排出通路ＨＴに保持される遊技球が排出されないで残存している状況で次のラウンドが開始された場合に生じる特定状況を利用して、新たな遊技性を実現している。すなわち、排出通路ＨＴに遊技球が１０個保持されてそれ以上の入球が発生しない状態となってもラウンドが継続して受け部１６３が誘導状態に保持される状況を利用して、当該受け部１６３によって受けられるとともに、大入賞口３２へ誘導されて、且つ当該大入賞口３２へ入賞しなかった遊技球が入賞し易い位置に特別入球部２６を配置した。これにより、上記状況において特別入球部２６への入賞を発生させることが可能となる。
【０３３１】
上記実施形態では、特別入球部２６への入賞が発生することで、１０個の賞球が得られる構成としたため、上記特定状況において持ち球の増加が見込める構成となっている。このようにすることで、開閉実行モード中においてなるべく早く特定状況が発生させれば遊技者はより多くの賞球を得ることが可能となり、開閉実行モード中に単に大入賞口３２へ入賞させる、といった遊技とは異なる新たな遊技を創出し、遊技への注目度は大幅に高められるものと考えられる。
【０３３２】
なお、例えば特別入球部２６への入賞に基づく賞球を１個とする等して、持ち球の増加が見込めないものの遊技球の減少が抑制される構成としてもよい。このようにすれば、上記特定状況が発生しても遊技者は遊技球の発射を停止させる必要が生じず、少なくとも遊技者が損をすることは回避される。その結果、遊技球の発射を停止させる止め打ち行為を行わせないようにすることができる。
【０３３３】
＜第６の実施形態＞
本実施形態では、排出通路ＨＴの途中において、排出口１７４側とは異なる領域に遊技球を誘導する分岐を設ける。図３７は、本実施形態における排出通路ＨＴの概略を示す図である。
【０３３４】
図３７（ａ）に示すように、排出通路ＨＴにおいて大入賞口３２と排出口１７４との間の中途位置において、遊技球を排出口１７４側とは異なる領域に誘導可能な分岐通路ＢＴを設ける。分岐通路ＢＴにはその下流側において、遊技球の通過を検知する検知センサ２８が設けられている。検知センサ２８により遊技球の通過が検知されると、所定の特典が遊技者に付与される。
【０３３５】
本実施形態においては、上記所定の特典として、開閉実行モード中に当該検知センサ２８によって遊技球の通過が検知されることで、開閉実行モード後の当否抽選モードが高確率モードとなる構成とする。また、本実施形態の排出通路ＨＴは、分岐通路ＢＴとの分岐点よりも下流側において、開閉実行モードのラウンドにおける上限入賞個数（１０）よりも多い数である特定個数Ｎ個の遊技球を保持することが可能なように、排出通路ＨＴの通路長が設定されている（図３７（ｂ））。
【０３３６】
以上のような構成とすることで、例えば第２の実施形態において示したように、ラウンド間の待機時間を排出時間（Ｈ）と上限入賞個数（１０）との積よりも短い時間とすると、次のラウンドにおいては遊技球が排出通路ＨＴに残存した状況で開始される。この場合、当該次のラウンドにおいて、特定個数Ｎ個の遊技球が排出通路ＨＴに保持される可能性が高まる。そうすると、特定個数Ｎ個の遊技球が保持された状況で入賞した後続の遊技球は、当該保持されたＮ個目の遊技球と衝突することで分岐通路ＢＴ側へ誘導される。分岐通路ＢＴへ誘導されると、検知センサ２８によって検知され、当該開閉実行モードの終了後の当否抽選モードが高確率モードに設定される。
【０３３７】
これにより、ラウンド間の待機時間を異ならせることで、開閉実行モード後の当否抽選モードが高確率モードとなり易くする、といった斬新な遊技を実現することができる。
【０３３８】
＜第７の実施形態＞
本実施形態では、上記第６の実施形態において、排出通路ＨＴへ他の入球部からの排出通路が合流している。図３８は本実施形態における排出通路ＨＴの概略を示す図である。
【０３３９】
図３８（ａ）に示すように、本実施形態では一般入賞口３１からの排出通路が大入賞口３２からの排出通路ＨＴと合流する構成としている。一般入賞口３１からの排出通路は、分岐通路ＢＴとの分岐点よりも上流側で合流する構成としている。
【０３４０】
上記のような構成とすることにより、開閉実行モード中に一般入賞口３１への入賞が発生すると、排出通路ＨＴに保持される遊技球の個数が増加し、その結果、保持された遊技球の個数が特定個数Ｎ個に至り易くなる。そして、後続の遊技球が分岐通路ＢＴ側へ誘導され易くなり、開閉実行モード後の当否抽選モードが高確率モードに設定され易くなる。
【０３４１】
この場合、上記のように一般入賞口３１からの排出通路が分岐通路ＢＴとの分岐点よりも上流側で合流する構成としていることから、分岐通路ＢＴへは大入賞口３２へ入賞した遊技球又は一般入賞口３１へ入賞した遊技球が誘導され得る。このようにすることで、開閉実行モード中において、検知センサ２８によって検知されるための入賞経路が多様化し、遊技性が大幅に高められる。
【０３４２】
図３８（ｂ）では、分岐通路ＢＴへの分岐点よりも下流側において一般入賞口３１からの排出通路と合流する構成としている。このようにすると、検知センサ２８へ誘導される遊技球を、大入賞口３２へ入賞した遊技球に限定することができる。換言すると、一般入賞口３１から入賞した遊技球は、排出通路ＨＴにおいて保持され得るものの、当該一般入賞口３１から入賞した遊技球が検知センサ２８によって検知される事象は発生し得ない。
【０３４３】
＜第８の実施形態＞
本実施形態では、可変入賞ユニット１５１を作動口に設ける。図３９（ａ）は本実施形態における遊技盤２４を示す正面図である。また、図３９（ｂ１）及び図３９（ｂ２）は、作動口の縦断面図である。
【０３４４】
本実施形態においては、上作動口３３及び下作動口３４の代わりに、第１作動口４８及び第２作動口４９が設けられている。第１作動口４８は遊技盤２４の前方において上方に向けて開放されており、遊技領域ＰＥを流下する遊技球が直接入球可能となっている。一方、第２作動口４９は、第１作動口４８の奥側に配置されている（図３９（ｂ１）及び図３９（ｂ２）参照）。第１作動口４８へ遊技球が入賞すると、第１作動口４８からの排出通路ＨＴに設けられた第１センサ４８ａによりそれが検知され、内部抽選による当否判定が行われる。また、第２作動口４９へ遊技球が入賞すると、第２作動口４９からの排出通路に設けられた第２センサ４９ａによりそれが検知され、内部抽選による当否判定が行われる。
【０３４５】
ここで、本実施形態では、第１作動口４８への入賞に基づく当否判定と、第２作動口４９への入賞に基づく当否判定とは、遊技者にとっての有利度に差が設けられており、第２作動口４９への入賞に基づく当否判定の方が遊技者にとって有利な判定となるように設定されている。より具体的には、例えば、大当たり当選となる確率が、第１作動口４８への入賞に基づく当否判定では実質的に約２００分の１とし、第２作動口４９への入賞に基づく当否判定では実質的に約１分の１とする。
【０３４６】
本実施形態においては、可変入賞ユニット１５１として第１作動口４８の入口を開閉する部材は設けられていない。一方で、第１作動口４８からの排出通路ＨＴの最下流部においては、排出口１７４を開閉する排出扉１７５が設けられている。排出扉１７５は通常は閉鎖状態となっており、大当たり当選となって開閉実行モードへの移行が発生すると、（例えば開閉実行モードにおいて開閉制御される扉の制御に合わせて）、排出扉１７５が開放状態にされる。
【０３４７】
本実施形態では、排出扉１７５が閉鎖状態である状況において、第１作動口４８からの排出通路ＨＴに特定個数Ｎ個（例えば２００個）の遊技球が保持されることが可能なように、排出通路ＨＴの通路長が設定されている。
【０３４８】
以上のような構成とすることで、排出通路ＨＴに保持されている遊技球の個数が特定個数Ｎ個に達していない状況においては、図３９（ｂ１）に示すように、第２作動口４９よりも第１作動口４８に入賞し易く、約２００分の１の当否判定が行われる。当該当否判定によって大当たり当選となると、遊技者は大当たり状態の遊技（開閉実行モード）を行うことが可能となるとともに、排出通路ＨＴの排出扉１７５は開放状態とされ、排出通路ＨＴから遊技球が排出される。
【０３４９】
第１作動口４８への入賞に基づく当否判定の結果が２００回に亘って連続で外れ結果となると、図３９（ｂ２）に示すように、排出通路ＨＴに保持されている遊技球の個数は特定個数Ｎ個に達する。その結果、後続の遊技球が特定個数Ｎ個目の遊技球に衝突して、第２作動口４９へ入賞し易くなる。第２作動口４９への入賞に基づく当否判定は、実質的に１分の１で大当たり当選となり、当該当選に基づいて、遊技者は大当たり状態の遊技を行うことが可能となるとともに、排出通路ＨＴの排出扉１７５が開放状態とされて、排出通路ＨＴから遊技球が排出される。したがって、排出通路ＨＴに遊技球が保持される事象を利用して、実質的な天井当たりを実現することが可能となる。
【０３５０】
＜第９の実施形態＞
本実施形態における排出通路ＨＴには、排出扉１７５が複数設けられている。
【０３５１】
図４０に示すように、本実施形態では、排出扉１７５として第１排出扉１７５ａと第２排出扉１７５ｂとが設けられている。第１排出扉１７５ａと第２排出扉１７５ｂとは、排出通路ＨＴにおいて位置が異なるように設けられており、第１排出扉１７５ａの方が第２排出扉１７５ｂよりも下流側となるように配置されている。そして、いずれの排出扉１７５ａ，１７５ｂによって遊技球の排出が制限されるかによって、排出通路ＨＴにおいて保持される遊技球の個数が異なるように設定されている。第１排出扉１７５ａは第１排出用駆動部１９１ａに接続されており、第２排出扉１７５ｂは第２排出用駆動部１９１ｂに接続されている。第１排出用駆動部１９１ａ及び第２排出用駆動部１９１ｂは、主制御装置８１に接続されており、主制御装置８１のＭＰＵ１１２によって、第１排出用駆動部１９１ａ及び第２排出用駆動部１９１ｂの駆動制御が実行される。
【０３５２】
例えば、図４０（ａ）に示すように、下流側の第１排出扉１７５ａが閉鎖状態となるとともに、上流側の第２排出扉１７５ｂが開放状態である状況では、大入賞口３２から第１排出扉１７５ａまでの通路長において、遊技球を保持することが可能であり、この場合の遊技球の保持個数は、例えば１０個（第１個数）に設定されている。
【０３５３】
一方、図４０（ｂ）に示すように、上流側の第２排出扉１７５ｂが閉鎖状態となると、大入賞口３２から第２排出扉１７５ｂまでの通路長において、遊技球を保持することが可能であり、この場合の遊技球の保持個数は、例えば５個（第２個数）に設定されており、上記の場合よりも保持個数が少なくなる。
【０３５４】
このような構成を用いれば、排出通路ＨＴに保持する遊技球の個数を容易に変化させることが可能となる。換言すると、排出通路ＨＴにおいて保持される箇所を、容易に変化させることが可能となる。
【０３５５】
上記の一の排出扉よりも上流側において遊技球が保持される構成を、例えば第１の実施形態の構成等に適用する場合、以下のようにしてもよい。
【０３５６】
図４０（ｃ）に示すように、第１排出扉１７５ａの直前に第２排出扉１７５ｂとしての突起を設ける。当該第２排出扉１７５ｂは、排出通路ＨＴの底部に形成された凹みに埋没した状態と、突出した状態とに変位可能となっている。そして、埋没した状態が、遊技球が通過可能な開放状態に相当し、突出した状態が、遊技球が通過できない閉鎖状態に相当する。第２排出扉１７５ｂと第１排出扉１７５ａとの間隔は、遊技球１個分の直径未満となっており、両扉１７５ａ，１７５ｂ間に遊技球が挟まれることはない。
【０３５７】
そして、本変形例では、少なくとも第１排出扉１７５ａが開放状態とされる場合には、第２排出扉１７５ｂが閉鎖状態となっているように第２排出用駆動部１９１ｂを駆動制御する。このようにすると、第１排出扉１７５ａが開放状態となっても、第２排出扉１７５ｂが開放状態とならない限り、遊技球は排出通路ＨＴから排出されない構成となる。
【０３５８】
このような構成を、例えば、第４の実施形態において示した短時間態様の待機時間を有する開閉実行モードに適用する。そして、短時間態様の待機時間を設定する場合には、第２排出扉１７５ｂを閉鎖状態に保持し、長時間態様の待機時間を設定する場合には、第２排出扉１７５ｂを開放状態に保持する。そうすると、短時間態様の待機時間において、遊技球が排出口１７４から排出されてしまうことを、より好適に回避することができる。
【０３５９】
＜第１０の実施形態＞
本実施形態では、排出通路ＨＴに分岐通路ＢＴを設ける構成とする。図４１は、本実施形態における排出通路ＨＴの概略を示す図である。
【０３６０】
図４１に示すように、排出通路ＨＴにおいて排出口１７４よりも下流側に位置には、遊技球を排出通路ＨＴとは異なる領域に誘導可能な分岐通路ＢＴを設ける。分岐通路ＢＴにはその下流側において、遊技球の通過を検知する検知センサ２８が設けられている。検知センサ２８により遊技球の通過が検知されると、所定の特典が遊技者に付与される。
【０３６１】
排出通路ＨＴから分岐通路ＢＴへ分岐する位置には、遊技球を分岐通路ＢＴへ振り分ける態様と分岐通路ＢＴへ振り分けない態様とに切換可能な振分部３０１が設けられている。より詳しくは、振分部３０１が分岐通路ＢＴへ振り分ける態様となる場合、振分部３０１は、排出通路ＨＴ内に突出して、排出通路ＨＴを流下する遊技球を受けるとともに分岐通路ＢＴ側へ遊技球を導出する。また、振分部３０１が分岐通路ＢＴへ振り分けない態様となる場合、振分部３０１は、排出通路ＨＴの壁部を通路領域とは逆側に凹ませた部位に収容されることで排出通路ＨＴに突出せず、排出通路ＨＴを流下する遊技球の妨げとならないようになり、当該流下する遊技球は分岐通路ＢＴへ分岐することなくそのまま排出用の領域へ流下することになる。
【０３６２】
振分部３０１は振分駆動部３０２と接続されており、当該振分駆動部３０２が主制御装置８１によって駆動制御されることにより、遊技球を分岐通路ＢＴへ振り分ける態様と分岐通路ＢＴへ振り分けない態様とに切り換えられる。
【０３６３】
本実施形態においては、上記第６の実施形態と同様に、検知センサ２８により検知されたことに対する所定の特典として、開閉実行モード後の当否抽選モードが高確率モードとなる構成とする。この処理については、後に詳細に説明する。なお、検知センサ２８により検知されたことを、以下の説明ではＶ入賞が発生したとも表現する。また、本実施形態の排出通路ＨＴは、排出口１７４（排出扉１７５）よりも上流側において、開閉実行モードのラウンドにおける上限入賞個数（１０）よりも多い数である特定個数Ｎ個（２０個）の遊技球を保持することが可能なように、排出通路ＨＴの通路長が設定されている。
【０３６４】
また、本実施形態では、遊技球が排出口１７４から振分部３０１に到達するまでに約０．４ｓｅｃ要する構成としている。
【０３６５】
第１の実施形態と同様に、排出通路ＨＴには透明性を有する前側カバーが取り付けられている。そのため、排出通路ＨＴ（より詳しくは、排出扉１７５や振分部３０１、検知センサ２８等も含めて排出通路ＨＴ及び分岐通路ＢＴの全体）が遊技機前方から視認可能となっている。
【０３６６】
当否抽選モードを高確率モードに設定するための構成について、以下詳細に説明する。なお、かかる構成は上記第６の実施形態等においても適用可能である。
【０３６７】
図４２に示すように、本実施形態の当否テーブルとしては、図４２（ａ）の低確率モード用の当否テーブルと、図４２（ｂ）の高確率モード用の当否テーブルとが設定されている。低確率モード用の当否テーブルでは、大当たり結果となる大当たり乱数カウンタＣ１の値は２つ設定されており（３００分の１）、高確率モード用の当否テーブルでは、大当たり結果となる大当たり乱数カウンタＣ１の値は６つ設定されている（１００分の１）。
【０３６８】
図４３は、本実施形態における振分テーブルを示している。振分テーブルとしては、図４３（ａ）の第１結果表示部用の振分テーブルと、図４３（ｂ）の第２結果表示部用の振分テーブルとが設定されている。本実施形態では、大当たり結果となった場合の振分先として、１５Ｒ大当たり結果Ａと１５Ｒ大当たり結果Ｂと１５Ｒ大当たり結果Ｃとが設定されている。
【０３６９】
いずれの１５Ｒ大当たり結果Ａ〜Ｃも、開閉実行モードに移行した場合、１５回のラウンド遊技が行われる遊技結果である一方、ラウンド間の待機時間としてインターバル期間の長さが相違している。
【０３７０】
ここで、本実施形態においても、大入賞口３２の扉部１６５が開放されると、排出通路ＨＴの排出扉１７５は閉鎖され、扉部１６５が閉鎖されると、排出扉１７５は開放される。そして、開閉実行モードにおいて扉部１６５が開放されると、ラウンド遊技が開始されて大入賞口３２への入賞が許容されるとともに、排出扉１７５が閉鎖されているため、当該ラウンド遊技中は排出通路ＨＴに遊技球が貯留されることになる。ラウンド遊技が終了して扉部１６５が閉鎖されると、大入賞口３２への入賞が制限されるとともに、排出扉１７５が開放されるため、排出通路ＨＴに貯留された遊技球が排出口１７４から排出されることになる。つまり、排出扉１７５が開放されている期間中において排出口１７４から遊技球が排出されるため、上記のようにラウンド間の待機時間としてのインターバル期間の長さが相違するということは、排出口１７４から排出される期間が相違することになる。
【０３７１】
１５Ｒ大当たり結果Ａは、第１結果表示部用の振分テーブル及び第２結果表示部用の振分テーブルのいずれにおいても、いずれのインターバル期間も６ｓｅｃが設定される遊技結果である。各ラウンド遊技においては、上限入賞個数として１０個が設定され、上限開放期間として当該上限入賞個数の遊技球の入球が見込める３０ｓｅｃが設定される。この場合、各インターバル期間において、排出口１７４から排出される遊技球の個数は１０個以上（実質的に１０個）の排出が見込める。
【０３７２】
１５Ｒ大当たり結果Ｂは、第１結果表示部用の振分テーブル及び第２結果表示部用の振分テーブルのいずれにおいても、１ラウンド目から１３ラウンド目のインターバル期間は６ｓｅｃが設定される一方、１４ラウンド目から１５ラウンド目（１４回目のラウンド遊技の終了から１５回目のラウンド遊技の開始）のインターバル期間は、第１結果表示部用の振分テーブルにおいては２．５ｓｅｃが設定され、第２結果表示部用の振分テーブルにおいては２．２ｓｅｃが設定される。各ラウンド遊技においては、上限入賞個数として１０個が設定され、上限開放期間として当該上限入賞個数の遊技球の入球が見込める３０ｓｅｃが設定される。この場合、１３ラウンド目までのインターバル期間においては１０個以上（実質的に１０個）の遊技球の排出が見込める一方、１４ラウンド目から１５ラウンド目のインターバル期間においては第１結果表示部側では概ね６個〜７個（０．４ｓｅｃ×６個＝２．４ｓｅｃ、０．４ｓｅｃ×７個＝２．８ｓｅｃ）、第２結果表示部側では概ね５個（０．４ｓｅｃ×５個＝２．０ｓｅｃ）の遊技球の排出が見込める。そうすると、開閉実行モード終了時のエンディング中（１５回目のラウンド遊技の終了後）において、１５回目のラウンド遊技で入賞した遊技球（１０個）と、１４回目のラウンド遊技で入賞し且つ排出されなかった遊技球（３個〜４個又は５個）が排出されることになる。
【０３７３】
１５Ｒ大当たり結果Ｃは、第１結果表示部用の振分テーブル及び第２結果表示部用の振分テーブルのいずれにおいても、１ラウンド目から１３ラウンド目のインターバル期間は６ｓｅｃが設定される一方、１４ラウンド目から１５ラウンド目（１４回目のラウンド遊技の終了から１５回目のラウンド遊技の開始）のインターバル期間は２ｓｅｃが設定される。各ラウンド遊技においては、上限入賞個数として１０個が設定され、上限開放期間として当該上限入賞個数の遊技球の入球が見込める３０ｓｅｃが設定される。この場合、１３ラウンド目までのインターバル期間においては１０個以上（実質的に１０個）の遊技球の排出が見込める一方、１４ラウンド目から１５ラウンド目のインターバル期間においては概ね５個の遊技球の排出が見込める。そうすると、開閉実行モード終了時のエンディング中（１５回目のラウンド遊技の終了後）において、１５回目のラウンド遊技で入賞した遊技球（１０個）と、１４回目のラウンド遊技で入賞し且つ排出されなかった遊技球（約５個）が排出されることになる。
【０３７４】
つまり、１５Ｒ大当たり結果Ａ、１５Ｒ大当たり結果Ｂ及び１５Ｒ大当たり結果Ｃは、１４回目のラウンド遊技と１５回目のラウンド遊技との間の待機時間としてのインターバル期間の長さが相違するものであり、その結果、１５回目のラウンド遊技の終了後に排出口１７４から排出される遊技球の個数が異なり得るものとなっている。そして、当該１５回目のラウンド遊技の終了後に排出される遊技球の個数は、第１結果表示部用の振分テーブルにおいては、１５Ｒ大当たり結果Ａが最も少なく、１５Ｒ大当たり結果Ｃが最も多くなるように設定されている。一方、第２結果表示部用の振分テーブルにおいては、１５Ｒ大当たり結果Ａが最も少なく、１５Ｒ大当たり結果Ｂと１５Ｒ大当たり結果Ｃとが同じ個数となるように設定されている。
【０３７５】
図４４（ａ）のフローチャートは、高確率モードへの移行用処理を示している。高確率モード用の移行処理は、主制御装置８１のＭＰＵ１１２にて所定周期（例えば４ｍｓｅｃ周期）で起動される処理である。
【０３７６】
ステップＳ１４０１では、今回の起動タイミングが開閉実行モード中であるか否かを判定する。開閉実行モード中ではない場合には、そのまま本移行用処理を終了する。開閉実行モード中であれば、Ｖ入賞が発生したか否か、すなわち、分岐通路ＢＴへ遊技球が誘導されたか否かを、検知センサ２８の検知状態に基づいて判定する。Ｖ入賞が発生していなければ、そのまま本移行用処理を終了する。Ｖ入賞が発生している場合には、ステップＳ１４０３にてＲＡＭ１１４の各種フラグ格納エリア１１４ｅに高確率モード移行用フラグをセットする処理を実行してから、本移行用処理を終了する。高確率モード移行用フラグとは、開閉実行モード中にＶ入賞が発生したことをＭＰＵ１１２が把握するためのフラグである。
【０３７７】
図４４（ｂ）のフローチャートは、本実施形態における開閉実行モード終了時の移行処理を示している。開閉実行モード終了時の移行処理は、遊技状態移行処理（図１７）において、エンディング終了と判定した後（ステップＳ４１１：ＹＥＳ）、ステップＳ４１２にて起動される処理である。
【０３７８】
ステップＳ１５０１では、上記ステップＳ１４０３にてセットした高確率モード移行用フラグがセットされているか否かを判定する。高確率モード移行用フラグがセットされている場合とは、今回の開閉実行モード中にＶ入賞が発生したことを意味し、この場合、ステップＳ１５０２にてＲＡＭ１１４の各種フラグ格納エリア１１４ｅに高確率モードフラグをセットする処理を実行する。高確率モードフラグは、当否抽選モードが高確率モードであることをＭＰＵ１１２が把握するためのフラグであり、ステップＳ１５０２の処理にて、当否抽選モードが高確率モードに設定されることになる。
【０３７９】
ステップＳ１５０１にてＶ入賞が発生していないと判定した場合、又はステップＳ１５０２の処理を実行した後は、ステップＳ１５０３に進む。ステップＳ１５０３では、ＲＡＭ１１４の各種フラグ格納エリア１１４ｅに高頻度サポートモードフラグをセットする処理を実行する。高頻度サポートモードフラグは、サポートモードが高頻度サポートモードであることをＭＰＵ１１２が把握するためのフラグであり、ステップＳ１５０３の処理によって、サポートモードが高頻度サポートモードに設定されることになる。
【０３８０】
そしてステップＳ１５０４にて、ＲＡＭ１１４の各種カウンタエリア１１４ｄにおける遊技回数カウンタＧＣに１００をセットする処理を実行してから、本移行処理を終了する。遊技回数カウンタＧＣは、開閉実行モード後において高確率モードや高頻度サポートモードが継続される遊技回の回数をＭＰＵ１１２が把握するためのカウンタであり、遊技回の開始毎に１ずつ減算される。当該遊技回数カウンタＧＣが０となることで、高確率モードフラグが消去されるとともに、高頻度サポートモードフラグが消去される。これにより、遊技状態が低確率モード且つ低頻度サポートモードに設定される。なお、遊技回数カウンタＧＣが０となった場合に、高確率モードフラグがセットされていなければその状態が維持されるとともに、高頻度サポートモードフラグの消去処理のみが行われる。
【０３８１】
このように、開閉実行モード中にＶ入賞が発生すると、高確率モード移行用フラグがセットされ、開閉実行モード後の遊技状態が高確率モード且つ高頻度サポートモードに設定される。一方、開閉実行モード中にＶ入賞が発生しないと、高確率モード移行用フラグがセットされないため、開閉実行モード後の遊技状態は低確率モード且つ高頻度サポートモードに設定される。当否抽選モードが高確率モードであれば、大当たり結果となり易い構成（図４２）であるため、開閉実行モード中にＶ入賞を発生させたほうが、Ｖ入賞を発生させないよりも遊技者にとって有利な遊技状態に移行する構成といえる。
【０３８２】
なお、高確率モード且つ高頻度サポートモードに設定された場合や低確率モード且つ高頻度サポートモードに設定された場合は、開閉実行モード後に１００回の遊技回が実施されることで、低確率モード且つ低頻度サポートモードに設定される。
【０３８３】
図４５は、本実施形態における閉鎖時間の設定処理を示すフローチャートである。既に説明したとおり、閉鎖時間の設定処理は大入賞口開閉処理（図１８）のステップＳ５１５にて実施される処理であり、ラウンド間のインターバル期間を設定するための処理である。
【０３８４】
ステップＳ１６０１では、ラウンドカウンタＲＣの値が１であるか否かを判定する。すなわち、今回設定するインターバル期間が、１４ラウンド目と１５ラウンド目との間のインターバル期間であるか否かを判定する。ステップＳ１６０１にて否定判定した場合、ステップＳ１６０２にてタイマカウンタＴに「３０００」を入力する処理を実行してから、本設定処理を終了する。この場合、ラウンド間のインターバル期間は６ｓｅｃとなり、当該インターバル期間中に１０個以上の遊技球が排出可能となる。
【０３８５】
ステップＳ１６０１にて肯定判定し、１４ラウンド目と１５ラウンド目との間のインターバル期間である場合、ステップＳ１６０３にて今回の開閉実行モードが１５Ｒ大当たり結果Ｂに基づくものであるか否かを判定する。１５Ｒ大当たり結果Ｂである場合、ステップＳ１６０４にて、第１結果表示部側の当否判定に基づく１５Ｒ大当たり結果Ｂであるか否かを判定する。
【０３８６】
第１結果表示部側の当否判定に基づく１５Ｒ大当たり結果Ｂであれば、ステップＳ１６０５にて、タイマカウンタＴに「１２５０」を入力する処理を実行してから、本設定処理を終了する。この場合、ラウンド間のインターバル期間は２．５ｓｅｃとなり、当該インターバル期間中に概ね６個から７個の遊技球が排出可能となる。
【０３８７】
ステップＳ１６０３及びステップＳ１６０４のいずれかで否定判定した場合、ステップＳ１６０６にて、タイマカウンタＴに「１１００」を入力する処理を実行してから、本設定処理を終了する。この場合、ラウンド間のインターバル期間は２．２ｓｅｃとなり、当該インターバル期間中に概ね５個の遊技球が排出可能となる。
【０３８８】
なお、本実施形態における大入賞口開閉処理（図１８）のエンディングの開始処理（ステップＳ５１７）では、タイマカウンタＴに「４０００」を入力する処理を行う。つまり、本実施形態におけるエンディング用の待機時間は８ｓｅｃとなるように設定されている。これは、最終ラウンド後であって開閉実行モード終了前に排出可能となる遊技球の個数を多くするための変更である。上記のようにすることで、最終ラウンド後において開閉実行モード終了前に概ね２０個（残存球＋上限入賞個数以上）の遊技球が排出可能となっている。
【０３８９】
＜振分駆動用処理＞
次に、振分部３０１の切替制御に関する振分駆動用処理について、図４６のフローチャートを参照しながら説明する。振分駆動用処理は、主制御装置８１のＭＰＵ１１２にて周期的（例えば２ｍｓｅｃ周期）に起動される処理である。
【０３９０】
ステップＳ１７０１では、振分駆動部３０２の駆動状態を把握することで、振分部３０１が分岐通路ＢＴへ遊技球を振り分ける態様となっているか否かを判定する。振分駆動部３０２が駆動中であり、振分部３０１が分岐通路ＢＴへ遊技球を振り分ける態様となっている場合、ステップＳ１７０２に進む。ステップＳ１７０２では、大入賞口３２の入口扉である扉部１６５の閉鎖タイミングか否かを判定する。かかる判定は、上記大入賞口開閉処理において入力されたタイマカウンタＴの値が０であるか否か、及び可変入賞駆動部１８１の駆動状態に基づいて判定することができる。すなわち、可変入賞駆動部１８１が駆動状態であって扉部１６５が開放状態となっており、且つタイマカウンタＴが０である場合に、入口扉の閉鎖タイミングであると判定する。
【０３９１】
入口扉の閉鎖タイミングである場合は、ステップＳ１７０３にて振分周期の設定処理を実行する。振分周期の設定処理は、予め定められた所定のタイミングから振分部３０１が切換制御される振分周期を設定するための処理である。本実施形態では、予め定められた所定のタイミングとして、入口扉の閉鎖タイミングとしている。そして、ステップＳ１７０３では、ＲＡＭ１１４の各種カウンタエリア１１４ｄに設けられた振分タイマカウンタＨＴに「２７５０」を入力する処理を行う。振分タイマカウンタＨＴは、振分部３０１の振分制御タイミングを把握するためのカウンタであり、タイマ割込み処理が起動される度に１ずつ減算される。すなわち、ステップＳ１７０３にて入力する数値は５．５ｓｅｃに相当し、本実施形態では、大入賞口３２が閉鎖されてから５．５ｓｅｃ後に振分部３０１の振分制御が行われる構成としている。
【０３９２】
続くステップＳ１７０４では、振分回数の設定処理を実行する。振分回数の設定処理は、１回の振分契機に対して、振分部３０１が分岐通路ＢＴへ遊技球を振り分ける態様となる回数を設定するための処理である。なお、本実施形態では、大入賞口３２が閉鎖されることが１回の振分契機に相当する。ステップＳ１７０４では、ＲＡＭ１１４の各種カウンタエリア１１４ｄに設けられた振分回数カウンタＨＣに「１」を入力する処理を実行する。振分回数カウンタＨＣは、１回の振分契機に対して振分部３０１の振分制御が行われる回数をＭＰＵ１１２が把握するためのカウンタである。
【０３９３】
ステップＳ１７０２にて否定判定した場合、又はステップＳ１７０４の処理を実行した後は、ステップＳ１７０５に進む。ステップＳ１７０５では、上記振分回数カウンタＨＣが「１」であるか否かを判定する。また、ステップＳ１７０６にて振分タイマカウンタＨＴが「０」であるか否かを判定する。ステップＳ１７０５にて振分回数カウンタＨＣが「１」ではない場合（「０」である場合）や、ステップＳ１７０６にて振分タイマカウンタＨＴが「０」ではない場合には、そのまま本振分駆動用処理を終了する。
【０３９４】
振分回数カウンタＨＣが「１」であり、且つ振分タイマカウンタＨＴが「０」である場合には、振分部３０１の振分タイミングであるとして、ステップＳ１７０７に進む。ステップＳ１７０７では、振分駆動部３０２の駆動制御を開始し、振分部３０１を分岐通路ＢＴへ遊技球を振り分ける態様とする処理を行う。そして、ステップＳ１７０８にて、振分タイマカウンタＨＴに「５００」を入力する処理を行う。ここで入力する数値は１ｓｅｃに相当し、振分部３０１が分岐通路ＢＴへ遊技球を振り分ける態様となってから、分岐通路ＢＴへ遊技球を振り分けない態様に切り換えられるまでの期間を特定するための数値である。そして、ステップＳ１７０９にて、振分回数カウンタＨＣを１減算する処理を行ってから、振分駆動用処理を終了する。
【０３９５】
ステップＳ１７０１にて振分駆動部３０２が駆動中であって、振分部３０１が分岐通路ＢＴへ遊技球を振り分ける態様となっていると判定した場合、ステップＳ１７１０に進む。ステップＳ１７１０では、振分タイマカウンタＨＴが「０」であるか否かを判定し、「０」ではない場合には、そのまま本振分駆動用処理を終了する。
【０３９６】
振分タイマカウンタＨＴが「０」であり、振分部３０１を分岐通路ＢＴへ遊技球を振り分けない態様に切り換えるタイミングである場合には、ステップＳ１７１１にて、振分駆動部３０２の駆動制御を終了する。これにより振分部３０１が分岐通路ＢＴへ遊技球を振り分けない態様に切り換えられる。その後、本振分駆動用処理を終了する。
【０３９７】
このように、本実施形態では、分岐通路ＢＴへ遊技球が振り分けられるか否かは、予め定められた周期で動作する振分部３０１によって決定されるものとなっている。そして、振分部３０１は、大入賞口３２が開放状態から閉鎖状態に切り換えられてから５．５ｓｅｃ後に動作するものとして一律でその動作タイミングが設定されている。
【０３９８】
ここで、開閉実行モード中において、大入賞口３２が開放状態から閉鎖状態に切り換えられるタイミングは、一のラウンド遊技が終了するタイミングである。上記のように本実施形態では、大当たり結果の種類にかかわらず、各ラウンド遊技の継続条件は同じものとして設定し、具体的には、いずれのラウンド遊技も上限開放期間を３０ｓｅｃとするとともに、上限入賞個数を１０個としている。したがって、いずれの大当たり結果においても、更に、いずれのラウンド遊技においても、一のラウンド遊技は、大入賞口３２が３０ｓｅｃ経過するか、１０個の遊技球が入賞するかのいずれかの終了条件が成立することで終了するものとなっており、当該終了条件が成立することで大入賞口３２は開放状態から閉鎖状態に切り換わる。つまり、大入賞口３２が閉鎖されてから５．５ｓｅｃ後の切換制御が行われる振分部３０１の振分タイミングについても、大当たり結果の種類や、ラウンド遊技の回数によらず、一律で同じタイミングとして設定されている。
【０３９９】
＜Ｖ入賞を発生させるためのしくみ＞
次に、開閉実行モード中の大入賞口３２の開閉タイミングと振分部３０１の振分タイミングとの関係に基づいて、Ｖ入賞を発生させるためのしくみを、図４７のタイミングチャートを参照しながら説明する。
【０４００】
ｔ１のタイミングで所定のラウンド遊技が開始された場合、入口扉としての扉部１６５は開放状態となるとともに、同タイミングにて排出扉１７５は閉鎖状態となる。これにより、大入賞口３２へ遊技球が入賞可能となるとともに、入賞した遊技球は排出通路ＨＴにおいて排出扉１７５より上流側に貯留されるようになる。
【０４０１】
ｔ１のタイミングからｔ２のタイミングにかけて、大入賞口３２へ遊技球が入賞する。ｔ２のタイミングで大入賞口３２への入賞個数が１０個に達した場合、当該ｔ２のタイミングでラウンド遊技が終了する。この場合、ｔ２のタイミングでは、排出通路ＨＴにおける排出扉１７５より上流側に１０個の遊技球が貯留されていることになる。そしてｔ２のタイミングで、扉部１６５は閉鎖状態となり、排出扉１７５は開放状態となると、大入賞口３２へ入賞できなくなるとともに、排出通路ＨＴに貯留された遊技球は排出口１７４を介してそれより下流側に流下する。
【０４０２】
ｔ２のタイミングで大入賞口３２が閉鎖状態となると、同タイミングから予め定められた期間（５．５ｓｅｃ）の経過後であるｔ４のタイミングで、振分部３０１の振分制御が行われる。具体的には、ｔ４のタイミングで振分部３０１は分岐通路ＢＴへ遊技球を振り分ける態様に切り換えられるとともに、ｔ４のタイミングから１ｓｅｃ後であるｔ５のタイミングで分岐通路ＢＴへ遊技球を振り分けない態様に切り換えられる。
【０４０３】
また、ｔ２のタイミングで大入賞口３２が閉鎖状態となると、上記のとおり、排出通路ＨＴに貯留された遊技球が排出口１７４を介して流下可能となる。本実施形態では、遊技球が排出口１７４から振分部３０１に到達するまでに約０．４ｓｅｃ要する構成としており、ｔ２のタイミングから約０．４ｓｅｃと貯留個数（１０個）の積である約４ｓｅｃ後のｔ３のタイミングで、貯留されていた遊技球が全て振分部３０１へ到達する。そうすると、振分部３０１はｔ３のタイミングよりも後であるｔ４のタイミングで分岐通路ＢＴ側へ振り分ける態様に切り換えられるため、ｔ２からｔ３のタイミングで排出される遊技球は、全て分岐通路ＢＴとは異なる排出用の領域に排出されることになる。換言すると、ｔ２からｔ３のタイミングでは、Ｖ入賞が発生しない。
【０４０４】
ここで、本実施形態では、ラウンド間のインターバル期間が、大当たり結果の種類や、ラウンド数によって相違している（図４３）。具体的には、インターバル期間として長期間態様である６ｓｅｃが設定される場合と、長期間態様よりも短い短期間態様である２．２ｓｅｃが設定される場合と、長期間態様よりも短く且つ短期間態様よりも長い中期間態様である２．５ｓｅｃが設定される場合と、がある。長期間態様は、一のラウンド遊技の上限入賞個数（１０個）の遊技球が排出口１７４から振分部３０１に排出されるよりも長い期間として設定されている。一方、中期間態様及び短期間態様は、一のラウンド遊技の上限入賞個数（１０個）の遊技球が排出口１７４から振分部３０１に排出されるよりも短い期間として設定されている。そのため、長期間態様のインターバル期間が設定されると、当該インターバル期間前のラウンド遊技にて入賞した遊技球が全て排出される一方、中期間態様や短期間態様のインターバル期間が設定されると、当該インターバル期間前のラウンド遊技にて入賞した遊技球は一部が排出されずに残存することになる。
【０４０５】
例えば、ｔ２のタイミングで終了するラウンド遊技と、ｔ６のタイミングで開始する次のラウンド遊技との間のインターバル期間が長期間態様であると、ｔ１からｔ２のタイミングで入賞した遊技球はｔ６のタイミング前に全て排出される。そのため、ｔ６のタイミングでラウンド遊技が開始される場合、排出通路ＨＴの排出扉１７５上流に貯留されている遊技球の個数は０個である。
【０４０６】
ｔ６のタイミングから開始されたラウンド遊技がｔ７のタイミングまで実施されるとして、ｔ７のタイミングで大入賞口３２への入賞個数が１０個に達すると、同ｔ７のタイミングで扉部１６５は閉鎖状態とされるとともに、排出扉１７５は開放状態とされる。
【０４０７】
ｔ７のタイミングで、大入賞口３２が閉鎖状態とされる場合、同ｔ７のタイミングから５．５ｓｅｃ後であるｔ９のタイミングから、同ｔ９のタイミングから１ｓｅｃ後のｔ１０のタイミングまでの間で振分部３０１の振分制御が行われて、分岐通路ＢＴ側へ遊技球を振り分ける態様となる。これは、ｔ２のタイミングで大入賞口３２が閉鎖状態となった場合と同様である。
【０４０８】
一方、ｔ７のタイミングで一のラウンド遊技が終了した場合において、次のラウンド遊技までのインターバル期間として、短期間態様のインターバル期間が設定されたとすると、ｔ７から２．２ｓｅｃ後であるｔ８のタイミングで次のラウンド遊技が開始されるようになる。そうすると、ｔ８のタイミングで大入賞口３２が開放状態となるため、同ｔ８のタイミングで扉部１６５が開放状態となるとともに、排出扉１７５は閉鎖状態となる。
【０４０９】
ｔ８のタイミングでは、ｔ７のタイミングから貯留個数分の排出に要する期間（約０．４ｓｅｃ×１０個＝４ｓｅｃ）は経過していないため、排出通路ＨＴの排出扉１７５よりも上流側に遊技球が残存した状態で排出扉１７５が閉鎖状態となることになる。具体的には、ｔ７からｔ８のタイミングで、１０個中５個の遊技球が排出され、残る５個は排出通路ＨＴにおける排出扉１７５上流側に残存することになる。
【０４１０】
なお、ｔ８のタイミングは、振分部３０１の振分制御が行われるｔ９のタイミングよりも前のタイミングであるため、ｔ７からｔ８のタイミングにかけて排出された遊技球は、いずれも分岐通路ＢＴ側ではなく排出用の領域に排出されることになる。換言すると、ｔ７からｔ８のタイミングではＶ入賞は発生しない。
【０４１１】
ｔ８のタイミングで次のラウンド遊技が開始されると、上限入賞個数の再設定が行われるので、当該ｔ８のタイミングから実施されるラウンド遊技では、再度１０個の遊技球を入賞させることが可能となる。なお、排出通路ＨＴにおいて排出扉１７５よりも上流側の領域には、本実施形態では、遊技球を予め定められたＮ個として２０個貯留することが可能なように排出通路ＨＴの通路長が設定されている。そのため、ｔ８のタイミングで５個の遊技球が残存した状態でラウンド遊技が開始されたとしても、新たに１０個の遊技球を収容する領域は存在し、ｔ８のタイミングで開始されるラウンド遊技において上限入賞個数の遊技球を入賞させることが可能となっている。
【０４１２】
ｔ１１のタイミングで当該ラウンド遊技が終了すると、同ｔ１１のタイミングで扉部１６５が閉鎖状態となるとともに、排出扉１７５は開放状態とされる。図４３に示すように、短期間態様や中期間態様のインターバル期間が設定される場合とは、最終ラウンド（１５ラウンド）の直前のインターバル期間である。そのため、ｔ１１のタイミングで終了するラウンド遊技とは一の開閉実行モードにおいて最終回のラウンド遊技といえる。なお、ｔ１１のタイミング後は、エンディング期間が設定されているため、すぐに開閉実行モードが終了するわけではない。
【０４１３】
ｔ１１のタイミングから排出される遊技球は、ｔ８のタイミングから入賞した遊技球に加え、ｔ８のタイミングで排出通路ＨＴに残存していた遊技球である。つまり、ｔ１１のタイミングから排出される遊技球の個数は１０個以上であり、この場合は、１５個となっている。１個の排出に要する期間が約０．４ｓｅｃとすると、この１５個が全て排出されるのに要する期間は６ｓｅｃとなり、ｔ１３のタイミングまで要することになる。つまり、ｔ２やｔ７のタイミングでラウンド遊技が終了した場合より、貯留している全遊技球を排出するために要する期間が長くなる。
【０４１４】
一方、振分部３０１は、ｔ１１のタイミングで大入賞口３２が閉鎖状態となってから、予め定められたタイミングであるｔ１２のタイミングで分岐通路ＢＴ側に振り分ける態様となり、ｔ１４のタイミングで当該態様から復帰する。より具体的には、ｔ１２のタイミングはｔ１１のタイミングから５．５ｓｅｃが経過したタイミングであり、ｔ１４のタイミングはｔ１２のタイミングから１ｓｅｃが経過したタイミングである。
【０４１５】
つまり、ｔ１１のタイミングでラウンド遊技が終了した場合において、全遊技球が排出されるまでのｔ１３のタイミングまでの期間と、振分部３０１が遊技球を分岐通路ＢＴ側に振り分ける態様となっているｔ１２からｔ１４のタイミングまでの期間とが重複する期間（ｔ１２からｔ１３）が存在する。そうすると、当該重複する期間において振分部３０１に到達した遊技球は、分岐通路ＢＴ側に振り分けられることになる。その結果、Ｖ入賞が発生することになり、当該開閉実行モードの終了後の当否抽選モードが高確率モードに設定される。
【０４１６】
これに対して、例えば今回の大当たり結果が１５Ｒ大当たり結果Ａであった場合には、最終ラウンド前のインターバル期間は長期間態様である６ｓｅｃが設定されるため、当該最終ラウンド前のインターバル期間においても、全遊技球が排出されることになる。つまり、最終ラウンド後に排出される遊技球の個数は、他のラウンド後に排出される遊技球の個数と同じ１０個である。この場合、Ｖ入賞は発生せず、開閉実行モード終了後の当否抽選モードは低確率モードに設定される。
【０４１７】
また、例えば今回の大当たり結果が１５Ｒ大当たり結果Ｂであり、当選時の当否抽選モードが低確率モードであった場合、最終ラウンド前のインターバル期間は中期間態様である２．５ｓｅｃが設定される。中期間態様の２．５ｓｅｃでは、６個から７個の遊技球が排出可能であるため、最終ラウンドは、３個から４個の遊技球が残存した状況で開始されることとなる。そうすると、最終ラウンド後に排出される遊技球の個数は、他のラウンド後に排出される遊技球の個数よりも多い１３個から１４個となる。１３個の遊技球が排出される場合、当該排出に要する期間としては５．２ｓｅｃであり、１４個の遊技球が排出される場合、当該排出に要する期間としては５．６ｓｅｃである。この場合、振分部３０１が遊技球を分岐通路ＢＴ側に振り分ける態様となっている期間と重複する場合と重複しない場合とが生じ得る。つまり、中期間態様のインターバル期間が設定された場合よりも長期間態様のインターバル期間が設定される場合の方がＶ入賞が発生し易くなっており、中期間態様においては、約６０％の確率でＶ入賞が発生するようになっている。
【０４１８】
以上、詳述した本実施形態によれば、以下の優れた効果を奏する。
【０４１９】
大入賞口３２へ入賞した遊技球を排出するための排出通路ＨＴに、当該入賞した遊技球が貯留する状態と貯留しない状態とに切換可能な排出扉１７５を有する構成において、排出扉１７５から排出される個数が少ないほど、その後にＶ入賞が発生する可能性が高い構成とした。排出扉１７５から排出される個数が少ない場合とは、貯留される遊技球の個数が多い場合であり、当該貯留個数が多いほど、その後にＶ入賞が発生する可能性が高い構成となる。このようにすることで、入賞個数が多いほどＶ入賞が発生する可能性が高くなることはもちろんのこと、貯留される個数が多いほどＶ入賞が発生する可能性が高くなり、貯留する状態と貯留しない状態との切り換えタイミングもＶ入賞に関与することになる。よって、大入賞口３２へ入賞させて賞球を得るという遊技や、大入賞口３２へ入賞後にＶ入賞させて特典を得る（高確率モードへ移行させる）という遊技だけでなく、排出通路ＨＴに多くの遊技球を貯留させる、という遊技が加わることになり、遊技の多様化を図ることができる。
【０４２０】
振分部３０１は、大入賞口３２が閉鎖状態となってから予め定められた周期で振分制御が行われる。また、各ラウンド遊技において、上限開放期間や上限入賞個数は相違しないように設定されている。つまり、開閉実行モード中において大入賞口３２への入賞個数は異ならないし、それに基づく賞球数も異ならないものの、Ｖ入賞の確率だけが異なる構成といえる。このようにすることで、各開閉実行モード中に付与される特典やその構成に大きな差を生じさせることなく、その後の特典を大きく異ならせることが可能となる。Ｖ入賞が発生し易い場合と発生しにくい場合とで、各開閉実行モード中に付与される特典やその構成（開閉態様）に差があると、Ｖ入賞の発生前であってもその後にＶ入賞が発生することや発生しないことを遊技者が容易に察知できてしまう可能性がある。例えば、そもそも開閉実行モード中に大入賞口３２への入賞が発生しないようにしたり、入賞が発生しても、Ｖ入賞側に振り分ける振分手段の動作態様からＶ入賞が発生しないことが察知されてしまう場合等である。この場合、せっかく遊技球の挙動でＶ入賞を発生させて特典を付与するという遊技を用意したのにもかかわらず、その挙動を存分に楽しませることができない。そこで、本実施形態のように、大入賞口３２の開閉態様や振分部３０１の振分制御のタイミングを変えることなく、Ｖ入賞の確率を変化させる構成としたため、Ｖ入賞が発生するか否かについて、最後まで遊技球の挙動を楽しませることが可能となる。
【０４２１】
第１結果表示部用の振分テーブルと第２結果表示部用の振分テーブルとでは、大当たり結果の振分先がいずれも１５Ｒ大当たり結果Ａ〜Ｃと共通しており、それぞれの大当たり結果に対応する大当たり種別カウンタＣ２の値も共通している。相違点としては、第１結果表示部用の振分テーブルで１５Ｒ大当たり結果Ｂとなった場合と、第２結果表示部用の振分テーブルで１５Ｒ大当たり結果Ｂとなった場合とにおける、最終ラウンド前のインターバル期間の長短のみである（図４３において太い枠線にて示した部分）。つまり、第１結果表示部用の振分テーブルと第２結果表示部用の振分テーブルとは同じものとして扱うことが可能であり、記憶容量の削減を図ることができる。その一方で、上記のように最終ラウンド前のインターバル期間を相違させるだけでＶ入賞確率を変化させることが可能であり、大当たり結果の振分先を共通なものとしつつも、第１結果表示部側と第２結果表示部側とで有利度に大きな差を生じさせることが可能となる。
【０４２２】
相違させるインターバル期間を最終ラウンド前のインターバル期間とした。このようにしたことで、排出される期間を調整する必要が生じず、各大当たり結果間で相違させる構成を少なくすることができる。つまり、仮に途中のラウンド間のインターバル期間で短期間態様等を設定する構成とすると、当該設定したインターバル期間後のラウンド遊技終了後に１０個以上の遊技球が貯留されることになる。そして、この１０個以上の遊技球が貯留されることによって生じるＶ入賞率の差を実現しようとするのであれば、その後のインターバル期間で１０個以上の遊技球が排出される期間を確保する（大入賞口３２が開放状態とならないようにする）必要が生じ、一のインターバル期間の調整に留まらないことになる。これに対して、本実施形態のようにすれば、最終ラウンド後においては全ての遊技球が排出される（大入賞口３２が閉鎖状態である期間が継続する）ことを前提としている構成であるため、他の構成を大きく異ならせる必要が生じず、小さな構成の変更で大きな効果を得ることが可能となる。
【０４２３】
上記のように最終ラウンド直前のインターバル期間を変更する構成において、エンディング期間を全遊技球が排出されるのに要するであろう期間よりも十分に長く設定した。このようにしたことで、Ｖ入賞が発生したのにもかかわらずその発生タイミングが開閉実行モード後（エンディング期間の経過後）であって、高確率モードに設定されないといった事象の発生を回避することが可能となる。
【０４２４】
インターバル期間として、その後にＶ入賞が発生しない長期間態様と、Ｖ入賞が発生する短期間態様と、の他にＶ入賞の発生確率が長期間態様と短期間態様との間の確率となる中期間態様とを設定した。これにより、全くＶ入賞が発生しない場合や、高確率でＶ入賞が発生するであろう場合の他、遊技球の挙動によってはＶ入賞が発生し得る場合を生じさせることができ、遊技球が排出される様により関心を持たせることが可能となる。
【０４２５】
＜第１１の実施形態＞
本実施形態では、インターバル期間の長さを抽選によって決定する。図４８は、本実施形態における閉鎖時間の設定処理を示すフローチャートである。
【０４２６】
ステップＳ１８０１では、ＲＡＭ１１４の各種カウンタエリア１１４ｄから、抽選用のカウンタを取得する処理を実行する。当該抽選用のカウンタは例えば０から１００までのループカウンタとなっており、所定周期で１ずつ更新される。そして、最大値（最小値）まで更新されることで、初期値（最小値又は最大値）に設定される。
【０４２７】
ステップＳ１８０２では、ＲＯＭ１１２の各種テーブル記憶エリアから抽選用のテーブルを取得する処理を実行する。当該抽選用のテーブルは、例えば、遊技結果の種類、結果表示部の種類、当否抽選モードの高低、サポートモードの高低、ラウンド数等によって、インターバル期間を短期間態様とするか否かの当選確率が異なるように設定されている。
【０４２８】
ステップＳ１８０３では、ステップＳ１８０１及びステップＳ１８０２にて取得したカウンタ及びテーブルを参照して、短期間態様当選（短閉鎖当選）であるか否かを判定する。短期間態様非当選である場合、ステップＳ１８０４にてタイマカウンタＴに「３０００」を入力する処理を実行してから、本設定処理を終了する。また、短期間態様当選である場合、ステップＳ１８０５にてタイマカウンタＴに「１１００」を入力する処理を実行してから、本設定処理を終了する。なお、ステップＳ１８０４にて設定する値は６ｓｅｃに相当し、ステップＳ１８０５にて設定する値は２．２ｓｅｃに相当する。
【０４２９】
大入賞口開閉処理において、閉鎖時間の設定処理の後に実行される閉鎖コマンドの設定処理では、上記設定するインターバル期間の長さの情報が含まれるように閉鎖コマンドを設定する。演出制御装置８２では、かかる閉鎖コマンドを受信することにより、今回のインターバル期間の長さを把握し、その長さに応じた演出を行うように表示制御装置２１２等を制御する。例えば、短期間態様のインターバル期間が設定された場合には、当該インターバル期間に全遊技球が排出されずに残存球が発生すること、及びその後のラウンド遊技において上限入賞個数の入賞を発生させれば、その後にＶ入賞が発生し易いことを報知する。また、長期間態様のインターバル期間が設定された場合には、当該インターバル期間では全遊技球が排出されることを報知する。さらに、長期間態様のインターバル期間が設定された場合において、それ以前のインターバル期間で短期間態様のインターバル期間が設定されていた場合は、今回の長期間態様のインターバル期間においてＶ入賞が発生し得ることを報知する。
【０４３０】
以上のようにすることで、Ｖ入賞が発生するタイミングが、最終ラウンド終了後に限定されず多様化する。また、各ラウンド遊技の終了時にいずれのインターバル期間が設定されるか、といった面白味が追加され、開閉実行モード中の注目度を好適に高めることが可能となる。
【０４３１】
また、各ラウンド遊技の終了時にインターバル期間を抽選にて決定する構成としたため、開閉実行モード後に高確率モードに設定される確率が、開閉実行モードへの移行時（当否抽選時）ではなく、移行後の事後的に設定される構成である。このようにしたことで、開閉実行モードが複数種類設定されている構成において、遊技者にとって好ましくない（ラウンド数が少ない等の）開閉実行モードに移行した場合であっても、当該開閉実行モードを最後まで楽しませることが可能となる。
【０４３２】
ここで、短期間態様のインターバル期間が設定された場合には、その後にＶ入賞が発生し得るため遊技者にとって有利となるものと考えられる。その一方で、短期間態様のインターバル期間が設定されると、排出通路ＨＴに残存球が生じ得ることから、短期間態様のインターバル期間が連続して設定された場合には、その後のラウンド遊技において、上限入賞個数の遊技球の入賞が発生しない場合が生じる。
【０４３３】
具体的には、例えば、３ラウンド目終了時に短期間態様のインターバル期間が設定されたとすると、当該インターバル期間では５個の遊技球の排出が行われ、排出通路ＨＴ内に５個の残存球が生じる。そのため、次の４ラウンド目終了時には排出通路ＨＴ内に１５個の遊技球が貯留されていることになる。そして、４ラウンド目終了時に長期間態様のインターバル期間が設定されると、当該インターバル期間中に全遊技球（１５個）が排出され、Ｖ入賞が発生する。
【０４３４】
一方、上記の場合において、４ラウンド目終了時に再度短期間態様のインターバル期間が設定されると、当該インターバル期間においても５個の遊技球が排出され、排出通路ＨＴ内に１０個の残存球が生じることになる。そうすると、次の５ラウンド目終了時には排出通路ＨＴ内に２０個の遊技球が貯留されていることになる。
【０４３５】
上記第１０の実施形態にて説明したとおり、排出通路ＨＴ内には特定個数Ｎ個として２０個の遊技球を貯留可能な構成としている。そのため、上記例においては、５ラウンド目終了時に特定個数の遊技球が貯留されていることになる。
【０４３６】
このような場合において、５ラウンド目終了時に更に短期間態様のインターバル期間が設定されると、当該インターバル期間においても５個の遊技球が排出され、排出通路ＨＴ内には１５個の残存球が生じる。そうすると、次の６ラウンド目においては、上限入賞個数である１０個の遊技球の入賞を発生させようとしても、排出通路ＨＴ内に特定個数の遊技球しか貯留できない関係上、５個までしか入賞させることができなくなる。
【０４３７】
つまり、上記構成のように、短期間態様のインターバル期間が設定されることで、その後にＶ入賞が発生するので遊技者にとって有利となるものの、短期間態様のインターバル期間が所定回数連続して設定されると、ラウンド遊技の上限入賞個数を入賞させることができないという遊技者にとって不利となる事象が生じ得る。
【０４３８】
このように、各ラウンド遊技の終了時に抽選にて決定されるインターバル期間の長短だけでなく、当該インターバル期間の前後の関係性も含めて有利度が変化する構成であるため、開閉実行モード全体を通じて注目度を高めることが可能となる。
【０４３９】
＜第１２の実施形態＞
本実施形態では、各ラウンド遊技のインターバル期間を同じものとして設定する。図４９は、本実施形態における振分テーブルを示している。
【０４４０】
本実施形態では、大当たり結果となった場合の振分先として、４Ｒ大当たり結果と、１０Ｒ大当たり結果と、１５Ｒ大当たり結果とが設定されている。４Ｒ大当たり結果は４回のラウンド遊技を実行する開閉実行モードに移行する大当たり結果であり、１０Ｒ大当たり結果は１０回のラウンド遊技を実行する開閉実行モードに移行する大当たり結果であり、１５Ｒ大当たり結果は１５回のラウンド遊技を実行する開閉実行モードに移行する大当たり結果である。
【０４４１】
いずれの大当たり結果であっても、各ラウンド遊技において上限開放期間は３０ｓｅｃ、上限入賞期間は１０個が設定される。つまり、各ラウンド遊技において１０個の遊技球が入賞し得る構成である。
【０４４２】
さらに本実施形態では、いずれの大当たり結果であっても、ラウンド間の待機時間であるインターバル期間を３．６ｓｅｃとして設定する。この場合、各インターバル期間において排出される遊技球の個数は９個から１０個である。つまり、各インターバル期間において残存球が生じる場合と、残存球が生じない場合とがある。
【０４４３】
例えば、４Ｒ大当たり結果の場合、最終ラウンド（４ラウンド）終了時に排出通路ＨＴ内に貯留されている遊技球の個数は、全インターバル期間において１０個の排出が行われた場合から、全インターバル期間において９個の排出が行われた場合であり、１０個から１３個となる。そうすると、いずれの貯留個数であっても、当該最終ラウンド終了時に遊技球が排出される期間と、振分部３０１の振分制御が行われている期間に重複が生じにくく、Ｖ入賞は発生しにくい。
【０４４４】
１０Ｒ大当たり結果の場合、最終ラウンド（１０ラウンド）終了時に排出通路ＨＴ内に貯留されている遊技球の個数は、１０個から１９個となる。そうすると、１０個から１３個までの場合にはＶ入賞は発生しにくいが、１４個以上であればＶ入賞は発生し得る。
【０４４５】
１５Ｒ大当たり結果の場合も、最終ラウンド（１５ラウンド）終了時に排出通路ＨＴ内に貯留されている遊技球の個数は、１０個から２０個となる。そうすると、１０個から１３個までの場合にはＶ入賞は発生しにくいが、１４個以上であればＶ入賞は発生し得る。この場合、１０Ｒ大当たり結果と比較してラウンド遊技の回数が多い分、貯留個数が１４個以上となる可能性が高いこと、及び１９個の貯留個数よりも２０個の貯留個数の方がＶ入賞が発生する可能性は高いこと、からＶ入賞の可能性としては、１０Ｒ大当たり結果よりも１５Ｒ大当たり結果の方が高くなる。
【０４４６】
但し、一のラウンド遊技の終了時に排出通路ＨＴ内に貯留されている遊技球の個数が１９個を超えることになると、すなわち２０個に達すると、当該ラウンド遊技の終了後インターバル期間において９個の排出が行われた場合（１１個の残存球が生じた場合）、次のラウンド遊技では上限入賞個数の入賞を発生させることができなくなる。例えば、１ラウンド目から全ラウンドにおいて９個ずつの排出が行われた場合を想定すると、１１ラウンドの終了時に貯留個数が２０個に達し、１２ラウンド開始時には１１個の貯留個数が存在することになる。そうすると、１２ラウンド目は９個の入賞しか発生させることができず、同様に、１３ラウンド〜１５ラウンドも９個の入賞しか発生させることができない。この場合、上記第２の実施形態において示したように、一のラウンド遊技において上限入賞個数の入賞を発生させることができないことから、当該ラウンド遊技は上限入賞個数側の終了条件ではなく上限開放期間側の終了条件が成立するまで継続し、具体的には３０ｓｅｃが経過するまで継続する。そうすると、当該１５Ｒ大当たり結果は、Ｖ入賞が発生し易くなるとともに、多量の遊技球を大入賞口３２へ入賞させることが可能となる遊技結果である一方で、開閉実行モード終了までに長い期間を要する可能性がある遊技結果といえる。
【０４４７】
ここで、例えば、大当たり結果が連続して発生したり、一の大当たり結果で多量の出球を得ることができたりする構成であれば、短期間で多くの出球を確保することが可能となり、遊技者にとって好ましくも思える。しかし、その反面、出球率の調整によって、出球を得られない期間が長期間となり、通常時の遊技が面白味のないものとなり得るといった不都合もある。そこで、ラウンド遊技の回数を少なくする等、一の大当たり結果で得られる出球を少なくする構成とすると、短期間で得られる出球数を制限することが可能となるとも考えられる。しかし、一の大当たり結果で得られる出球を少なくしてしまうと、せっかく大当たり結果となった喜びも低下させてしまうことにつながるため、そのような構成も好ましくない。
【０４４８】
その点、本実施形態のようにすれば、一の大当たり結果における出球数を極度に少なくすることなく、当該一の大当たり結果をより長期間楽しませることが可能となり、極端な出球の増加や通常時の不都合を解消することが可能となっている。なお、かかる効果は、上記第２の実施形態等の上限開放期間側の終了条件によってラウンド遊技が終了する構成においてもいえる効果である。
【０４４９】
ここで、図４９に示すように、第１結果表示部用の振分テーブルと第２結果表示部用の振分テーブルとでは、振分先となる大当たり結果の種類や、その大当たり結果に基づく開閉実行モード中の大入賞口３２の開閉態様は同じであるものの、各振分先に対応付けられた大当たり種別カウンタＣ２の値の種類が異なっている（図では相違する部分を太い枠線で示している）。
【０４５０】
具体的には、第１結果表示部用の振分テーブルよりも第２結果表示部用の振分テーブルの方が、ラウンド数の多い大当たり結果に振り分けられ易いように設定されている。すなわち、４Ｒ大当たり結果について、第１結果表示部側では「０〜９」が対応付けられているのに対して、第２結果表示部側では「０〜４」が対応付けられており、第１結果表示部の方が第２結果表示部よりも４Ｒ大当たり結果に振り分けられ易くなっている。また、１０Ｒ大当たり結果について、第１結果表示部側では「１０〜１９」が対応付けられているのに対して、第２結果表示部側では「５〜９」が対応付けられており、第１結果表示部の方が第２結果表示部よりも１０Ｒ大当たり結果に振り分けられ易くなっている。その一方で、１５Ｒ大当たり結果について、第１結果表示部側では「２０〜２９」が対応付けられているのに対して、第２結果表示部側では「１０〜２９」が対応付けられており、第２結果表示部の方が第１結果表示部よりも１５Ｒ大当たり結果に振り分けられ易くなっている。
【０４５１】
したがって、第２結果表示部側で大当たり結果となった場合の方が第１結果表示部側よりもＶ入賞が発生し易くなる。その結果、第２結果表示部側で大当たり結果となった場合の方が第１結果表示部側よりも、開閉実行モード後に高確率モードに設定される確率が高くなる。
【０４５２】
上記構成のようにすることで、各遊技結果においてインターバル期間をも異ならせることなく、Ｖ入賞の確率を変化させることができる。つまり、開閉実行モード中のラウンド遊技の開始タイミング及び終了タイミングのいずれもが、大当たり結果にかかわらず変化しない構成であり、各開閉実行モード毎に設定を変更する必要が生じないため、処理負荷を低減することができる。それでいて、Ｖ入賞率を変化させることができるため、大当たり結果毎に当否抽選モードの高低を設定する構成と比較して、開閉実行モード中の開閉態様の複雑化を生じさせることなく、且つ遊技球の挙動によって生じるＶ入賞を楽しませる効果を奏することができる。
【０４５３】
＜第１３の実施形態＞
本実施形態では、上記第１０〜第１２の実施形態の構成を、第３の実施形態で示した可変入賞装置を複数有する構成に適用する。
【０４５４】
上記第３の実施形態で示したように、本実施形態においても、開閉実行モード中の各ラウンドを、第１可変入賞ユニット２０１と第２可変入賞ユニット２０２とで交互に実行する。そして、各ラウンドの閉鎖時間の設定処理（ステップＳ５１５）においては、インターバル期間に相当する数値としてタイマカウンタＴに「０」が入力される。つまり、第３の実施形態のように、１の可変入賞ユニットにおいて遊技球の排出が行われている期間で、他の可変入賞ユニットのラウンドを実施する構成である。
【０４５５】
但し、本実施形態においては、第１可変入賞ユニット２０１を上記第３の実施形態における最大貯留個数（１０個）よりも多くの個数の遊技球を貯留可能とし、具体的には第１可変入賞ユニット２０１を、上記第１０〜第１２の実施形態のものを適用し、２０個の遊技球を貯留可能とするとともに、排出口１７４よりも下流側に振分部３０１や分岐通路ＢＴが設けられる構成とする。また、第２可変入賞ユニット２０２は、上記第３の実施形態のものを適用する。すなわち、第１可変入賞ユニット２０１において、ラウンドの上限入賞個数（１０個）よりも多い個数（１５個）の貯留が生じると、その後にＶ入賞が発生し易くなる構成である。
【０４５６】
図５０は、本実施形態において、各ラウンドが実行される様子をＶ入賞との関係から説明するタイミングチャートである。
【０４５７】
例えば、ｔ１からｔ３のタイミングでＮ回目のラウンド遊技が第１可変入賞ユニット２０１側で行われたとする。この場合、第１可変入賞ユニット２０１に１０個の遊技球が入賞すると当該Ｎ回目のラウンド遊技が終了し、直ちにＮ＋１回目のラウンド遊技が第２可変入賞ユニット２０２側で開始される。なお、Ｎ回目のラウンド遊技中にＮ−１回目のラウンド遊技で貯留された遊技球の排出が行われており、具体的にはｔ１からｔ２のタイミングで第２可変入賞ユニット２０２における排出が行われている。
【０４５８】
ｔ３のタイミングでＮ回目のラウンド遊技が終了すると、第１可変入賞ユニット２０１側の大入賞口３２は閉鎖されるため、第１可変入賞ユニット２０１における遊技球の排出が開始される。当該排出はＮ＋１回目のラウンド中であるｔ４のタイミングまで実施される。なお、ｔ３の閉鎖タイミングから所定期間（５．５ｓｅｃ）後に振分部３０１の振分制御が行われる（ｔ５からｔ７のタイミング）。
【０４５９】
ｔ６のタイミングでＮ＋１回目のラウンド遊技が終了すると、当該ｔ６のタイミングからＮ＋２回目のラウンド遊技が第１可変入賞ユニット２０１側で開始されるとともに、第２可変入賞ユニット２０２側では遊技球の排出が開始される。Ｎ＋２回目のラウンド遊技はｔ９のタイミングまで実施され、第２可変入賞ユニット２０２側の排出はＮ＋２回目のラウンド中であるｔ８のタイミングまで実施される。
【０４６０】
ｔ９のタイミングでＮ＋２回目のラウンド遊技が終了すると、当該ｔ９のタイミングからＮ＋３回目のラウンド遊技が第２可変入賞ユニット２０２側で開始されるとともに、第１可変入賞ユニット２０１側では遊技球の排出が開始される。
【０４６１】
このような、ラウンド遊技の流れにおいて、例えば、ｔ９のタイミングで開始されるＮ＋３回目のラウンド遊技において、通常よりも早期に上限入賞個数の入賞が発生した場合、ｔ９のタイミングから実施されている第１可変入賞ユニット２０１側の遊技球の排出が終了するよりも前にＮ＋３回目のラウンド遊技が終了する場合がある。具体的には、上記のように、排出には遊技球１個当たり約０．４ｓｅｃ要する構成としており、１０個排出されるには約４ｓｅｃ要する構成である。また、上限入賞個数の１０個の遊技球が発射されるには１０個に発射周期である０．６ｓｅｃを乗じた６ｓｅｃ要する構成である。そのため、通常であれば、排出に要する期間よりも上限入賞個数に達するまでに要する期間の方が長くなり、上記のようにラウンド終了よりも先に排出が終了する事象は生じにくい。
【０４６２】
これに対して、例えば、第３の実施形態における変形例（図２７）のように、第１可変入賞ユニット２０１の受け部１６３にて流下待ちの遊技球が存在するようなラウンド遊技の後のラウンド遊技においては、第１可変入賞ユニット２０１におけるラウンド遊技の終了後に、受け部１６３にて受けられていた遊技球が一気に第２可変入賞ユニット２０２へ入賞することになる。このようにすれば、第２可変入賞ユニット２０２にて実施されるラウンド遊技を早期に終了させることが可能となり、上記のように排出に要する期間よりも早く終了し得る。
【０４６３】
その結果、例えば、第１可変入賞ユニット２０１側の排出が完了するよりも前であるｔ１０のタイミングでＮ＋３回目のラウンド遊技が終了したとすると、同ｔ１０のタイミングでＮ＋４回目のラウンド遊技が第１可変入賞ユニット２０１側で開始される。そうすると、第１可変入賞ユニット２０１側には排出されていない遊技球が所定個数（図では５個）存在する状況でラウンド遊技が開始されることになり、当該Ｎ＋４回目のラウンド遊技が終了するｔ１４のタイミングにおいては、所定個数に上限入賞個数を加えた個数（１５個）の遊技球が貯留されている状態となる。
【０４６４】
なお、ｔ９のタイミングで第１可変入賞ユニット２０１が閉鎖されたことに基づいて、当該ｔ９の閉鎖タイミングから所定期間（５．５ｓｅｃ）後に振分部３０１の振分制御が行われる（ｔ１１からｔ１２のタイミング）。また、ｔ１０のタイミングでＮ＋３回目のラウンド遊技が終了したことに基づいて、第２可変入賞ユニット２０２側の排出が開始され、ｔ１３のタイミングで排出が終了する。
【０４６５】
例えば、ｔ１４のタイミングで終了するＮ＋４回目のラウンド遊技が、今回の開閉実行モードの最終ラウンドであった場合、当該Ｎ＋４回目のラウンド遊技後の排出期間は十分に確保されており、閉鎖されてから所定期間であるｔ１５からｔ１６の振分制御のタイミングと、ｔ１７のタイミングで終了する排出期間とに重複する期間が発生する。その結果、ｔ１５からｔ１６のタイミングで排出される遊技球によってＶ入賞が発生し、当該開閉実行モード後の当否抽選モードが高確率モードに設定される。
【０４６６】
以上のように、一のラウンド遊技中に入賞した遊技球が他の可変入賞ユニットにて実施されるラウンド遊技中に排出される構成であれば、当該他の可変入賞ユニットにて実施されるラウンド遊技の期間が短くなれば排出期間も短くなり、その結果、全遊技球が排出されないで残存球が生じる事象が発生する。よって、次回以降のラウンド遊技において、上限入賞個数よりも多い個数の遊技球が貯留された状態を生じさせることができ、当該貯留された遊技球が排出される場合、Ｖ入賞を発生し易くすることが可能となる。
【０４６７】
特に本実施形態では、各ラウンド遊技における上限入賞個数や上限開放期間を異ならせることなく、遊技球の流下態様によって生じるバラつきや、第１可変入賞ユニット２０１の受け部１６３にて流下待ちとなることを利用して、第２可変入賞ユニット２０２で実施されるラウンド遊技が早期に終了し得る構成としたため、遊技機側でラウンド遊技を強制的に終了させる構成と比較して、遊技者自身の操作によって早期に終了させたイメージを持たせ易い。
【０４６８】
複数の可変入賞ユニットのうちの振分部３０１が設けられていない一の可変入賞ユニットによって短い期間のラウンド遊技が実現される構成としたため、一のラウンド遊技後の振分制御と排出期間との重複が設計し易くなる。すなわち、例えば一の可変入賞ユニットにおいて短い期間のラウンド遊技を設定し、その後に多くの遊技球の排出させる構成とすると、短いラウンド遊技後に行われる振分制御が、その後のラウンド遊技の排出と重複してしまう可能性があり、その後のラウンド遊技後に行われる振分制御よりも前にＶ入賞が発生してしまう可能性がある。そうすると、例えば演出との兼ね合いで、その後にＶ入賞が発生し易いラウンドである旨の報知や、その発生タイミングとの矛盾が生じ得る。その点、上記のようにそれぞれ別々のものとすれば、演出上の矛盾を生じにくくすることができる。
【０４６９】
＜他の実施の形態＞
なお、上述した各実施の形態の記載内容に限定されず例えば次のように実施してもよい。ちなみに、以下の各構成を個別に上記各実施の形態に対して適用してもよく、一部又は全部を組み合わせて上記各実施の形態に対して適用してもよい。また、上記各実施形態に示した各種構成の全て又は一部を任意に組み合わせることも可能である。この場合、組み合わせの対象となる各構成の技術的意義（発揮される効果）が担保されることが好ましい。実施形態の組み合わせからなる新たな構成に対して以下の各構成を個別に適用してもよく、一部又は全部を組み合わせて適用することも可能である。
【０４７０】
（１）排出通路ＨＴにラウンドの上限入賞個数である１０個の遊技球が保持される構成としたが、排出通路ＨＴに遊技球が保持されるのであれば、保持される数は１０個に限定されない。また、ラウンドの上限入賞個数に合わせる構成として、ラウンドの上限入賞個数を例えば１０個未満、１１個以上とする場合には、その個数に合わせて排出通路ＨＴに保持される個数を変更するとよい。
【０４７１】
（２）大入賞口３２から入球した全ての遊技球が、排出扉１７５が閉鎖状態であることを条件として排出通路ＨＴに保持される構成としたが、入球した一部の遊技球が保持される構成としてもよい。具体的には、例えば、排出通路ＨＴにおいて排出扉１７５よりも上流側に分岐通路と振分装置を設ける。分岐通路には排出扉が設けられておらず、振分装置によって分岐通路側に振り分けられると、遊技球は保持されない構成とする。そして、振分装置によって排出扉１７５側に振り分けられると、排出扉１７５が閉鎖状態であることを条件として排出通路ＨＴに保持される構成とする。例えば振分装置の振分を、分岐通路と排出扉１７５側とで交互に振り分ける態様とすると、排出扉１７５側に保持される個数は半減する。このようにすれば、排出通路ＨＴの通路長を上記のものよりも短くすることができる。
【０４７２】
（３）大入賞口３２からの排出通路や、第１作動口４８からの排出通路だけでなく、他の入球部（一般入賞口３１や第２作動口４９、上作動口３３、下作動口３４等）からの排出通路に、上記の排出通路ＨＴの構成を適用してもよい。例えば、電動役物３４ａが設けられた下作動口３４に排出通路ＨＴの構成を適用するとともに、通常大当たり結果に基づく高頻度サポートモードの移行時に排出扉１７５を閉鎖状態とする。また、排出通路ＨＴに保持可能な個数を高頻度サポートモードの回数制限の上限回数（１００）と同数とする。このようにすれば、１００個の遊技球が下作動口３４へ入球することで、以降の遊技球は下作動口３４へ入球できなくなる。よって、遊技回の回数だけでなく、下作動口３４への入球個数によっても、サポートモードの実質的な終了を管理することができ、新たな遊技性を実現することが可能となる。
【０４７３】
（４）排出扉１７５を誘導部材１６２の動作によって変位させる構成としたが、別途、駆動部を設ける構成としてもよい。
【０４７４】
（５）誘導部材１６２を第１リンク部材１８２、第２リンク部材１８３を介して動作させる構成としたが、可変入賞駆動部１８１により直接動作させる構成としてもよい。
【０４７５】
（６）大入賞口３２を遊技球が１個ずつ入球可能な開口部としたが、複数個同時に入球可能な幅広の開口部としてもよい。この場合、当該幅広の開口部直下において遊技球が横並びになるなどして、排出通路ＨＴに貯留される個数以上の遊技球が入球できなくなっていればよい。
【０４７６】
（７）可変入賞ユニット１５１が設けられる位置は右側領域ＰＥ３に限定されず、下側領域ＰＥ４であってもよいし、他の領域ＰＥ１，ＰＥ２であってもよい。下作動口３４との位置関係では、可変入賞ユニット１５１の下流側に下作動口３４が配置される構成とすると、開閉実行モード中に可変入賞ユニット１５１への入賞が下作動口３４への入賞によって阻害される、といった事象が発生しないため好ましい。
【０４７７】
（８）可変入賞ユニット１５１の前面カバー１５８を透明なものとしたが、不透明なものや半透明のものとしてもよい。但し、通過領域ＴＥに関しては、遊技球の入球前の領域であり、遊技領域ＰＥに含まれるため、当該通過領域ＴＥに対応する部位に関しては透明であることが好ましい。
【０４７８】
（９）可変入賞ユニット２０１，２０２を上下に並設する構成としたが、例えば左側領域ＰＥ２と右側領域ＰＥ３とにそれぞれ配置してもよい。この場合、いずれのユニット２０１，２０２へ入賞させるかを、打ち分けさせることが可能となり、遊技への積極参加を見込むことができる。
【０４７９】
（１０）可変入賞ユニット１５１と一般入賞口３１との排出通路を合流させる構成において、打ち分けが可能な配置の入球部同士の排出通路を合流させる構成としてもよい。
【０４８０】
（１１）大入賞口３２からの排出通路ＨＴに他の入球部（一般入賞口３１）からの排出通路が合流する構成において、分岐通路ＢＴを設けない構成としてもよい。このようにすると、開閉実行モードにおけるラウンド中に一般入賞口３１からの遊技球が合流することで、大入賞口３２からの入球個数が上限入球個数に達していなくても排出通路ＨＴが満タン状態となる。これにより、各ラウンドにおける入球数を、大入賞口３２及び一般入賞口３１のトータル数として管理することができる。また、この構成を第５の実施形態に適用すれば、ラウンド中に一般入賞口３１への入賞を発生させると、特別入球部２６への入球がし易くなる状況を発生させることが可能となる。
【０４８１】
（１２）可変入賞駆動部１８１とは別途、排出駆動部１９１を設ける構成においては、例えば排出駆動部１９１を周期動作させる構成としてもよい。この場合、可変入賞駆動部１８１が駆動制御されて可変入賞ユニット１５１が開放状態とされるタイミングで、排出扉１７５が閉鎖状態となるように、開閉実行モードの実行タイミングを排出駆動部１９１の駆動周期から調節する構成とするとよい。具体的には、オープニング期間の設定において、上記の駆動周期から次の動作タイミングを把握し、当該動作タイミングに合わせて可変入賞駆動部１８１が駆動制御されるように、当該オープニング期間を設定するとよい。なお、２ラウンド目以降については、閉鎖時間の設定処理において同様の調節を行えばよい。
【０４８２】
（１３）可変入賞ユニット１５１，２０１，２０２の変位制御を主制御装置８１が行う構成としたが、他の制御装置（演出制御装置８２、表示制御装置２１２、払出制御装置９７等）が行う構成としてもよい。
【０４８３】
（１４）可変入賞ユニット１５１が閉鎖状態となると大入賞口３２へ遊技球が入球できなくなる構成としたが、入球しにくくなる構成としてもよい。例えば、扉部１６５が完全に閉鎖状態とならずに、半開きとなる構成としてもよい。この場合であっても、排出通路ＨＴに上限入賞個数の遊技球が貯まることで、実質的に大入賞口３２への入賞が発生しなくなる。
【０４８４】
（１５）誘導部材１６２が誘導状態となって排出扉１７５に対して当接することで、排出扉１７５を閉鎖状態とする構成としたが、誘導部材１６２が誘導状態となった場合に他の部材を変位させる構成とし、当該他の部材によって排出扉１７５を閉鎖状態とする構成としてもよい。
【０４８５】
（１６）排出通路ＨＴに遊技球が満タンとなっている状況では可変入賞ユニット１５１が開放状態となっても、当該可変入賞ユニット１５１に入賞することができない構成としたが、可変入賞ユニット１５１が閉鎖状態となること以外の事象によって可変入賞ユニット１５１への入賞が規制される構成であれば、排出通路ＨＴの状態によらなくてもよい。例えば、可変入賞ユニット１５１の上流側に振分装置を設け、当該振分装置を可変入賞ユニット１５１側に遊技球を振り分ける態様と可変入賞ユニット１５１とは異なる領域に遊技球を振り分ける態様とに変位可能な構成とする。そして、可変入賞ユニット１５１が開放状態となっても、振分装置の振分先が可変入賞ユニット１５１側にならない限り可変入賞ユニット１５１への入賞が規制される構成としてもよい。
【０４８６】
（１７）球詰まり判定処理では、各ラウンドにおいて７個以上の遊技球が入球している状況で球詰まりの判定を行わない構成としたが、この個数は８個以上であってもよいし、７個未満であってもよい。排出通路ＨＴの満タン状態に近い個数（１０個）とすることにより、球詰まりの判定を行う範囲が広くなる、一方で、空の状態に近い個数（０個）とすることにより、球詰まりと誤認する事象を抑制することができる。
【０４８７】
（１８）第２の実施形態のように、ラウンド間の待機時間を短くすることで排出通路ＨＴから全球排出されない構成においては、遊技球の挙動によって、当該排出されないで残存する遊技球の個数が変化し得る。換言すると、９個ぎりぎりの個数が排出可能な期間を待機時間として設定すると、遊技球の挙動によっては１０個全球が排出される可能性もある。そこで、例えば、７個排出可能であって８個は排出できない期間とする等、全球排出される期間との差を大きくすることで、排出通路ＨＴに遊技球が残存する事象をより確実に実現することができる。
【０４８８】
（１９）排出通路ＨＴを曲線通路として形成したが、直線通路としてもよい。この場合、排出通路ＨＴの通路長は最大収容個数の遊技球の長さとなるが、曲部を有する構成と比較して、当該曲部における球詰まり等の発生を抑制することが可能となる。
【０４８９】
（２０）排出通路ＨＴにおいて、可変入賞ユニット１５１に入賞した後の遊技球を貯留可能な構成としたが、入賞前の遊技球を貯留可能な構成としてもよい。例えば、所定の通過部（例えばワープ通路）において、入口扉と出口扉を設け、両扉の間の領域において所定個数の遊技球が収容される構成としてもよい。このようにすると、入賞前の遊技球であっても、所定の通過部の通過個数を所定個数として管理することが可能となる。
【０４９０】
（２１）可変入賞ユニット１５１において、特に扉部１６５は、排出通路ＨＴの入口である大入賞口３２を排出通路ＨＴの外側から覆うように配置される構成としたが、排出通路ＨＴ内部に設けられる構成であってもよい。すなわち、排出通路ＨＴ内部において、扉部１６５が上流側、排出扉１７５が下流側に存在するように設けられていてもよい。
【０４９１】
（２２）開閉実行モードのオープニング時間やエンディング時間の長さを、排出通路ＨＴ内に貯留された遊技球の排出に要する時間との関係で設定してもよい。具体的には、排出通路ＨＴ内に最大個数（１０個）貯留された遊技球の排出に要する時間よりもオープニング時間やエンディング時間が長くなるように設定するとよい。このようにすれば、一の開閉実行モードにおける貯留数が、他の開閉実行モードにおける入球個数に影響を及ぼさないようにすることができる。なお、開閉実行モードが連続する場合の流れとしては、一の開閉実行モードのエンディング後に、遊技回を挟んで、次の開閉実行モードのオープニングが行われる点に鑑みると、エンディングの長さと、間の遊技回の長さと、オープニングの長さの合計が、全遊技球を排出するために要する時間よりも長くなるように設定されていればよい。つまり、エンディングやオープニングが短い場合であっても、間に挟まれる遊技回の長さが長ければ、次の開閉実行モードの１ラウンド目の開始までに、全遊技球を排出させることが可能である。
【０４９２】
逆に、一の開閉実行モードにおける貯留数が、他の開閉実行モードにおける入球個数に影響を及ぼす構成としてもよい。すなわち、エンディングの長さと、間の遊技回の長さと、オープニングの長さの合計が、全遊技球を排出するために要する時間よりも短くなるように設定されていれば、一の開閉実行モードにおいて貯留された遊技球が全部排出されない状態で、次の開閉実行モードの１ラウンド目が開始されることになる。
【０４９３】
（２３）開閉実行モード中のラウンドとラウンドとの間の閉鎖時間を短くして、排出通路ＨＴから遊技球が全球排出されない事象を発生させる構成においては、第２の実施形態では第１結果表示部ＡＳと第２結果表示部ＢＳとで上記事象が発生するか否かを異ならせたが、遊技結果によって上記事象が発生するか否かを異ならせてもよい。例えば確変大当たり結果では、上記事象が発生せず、通常大当たり結果では発生する、又はその逆、としてもよい。また、上記事象が発生するか否かを抽選等によって決定する構成としてもよい。さらに、閉鎖時間の長さ自体を抽選等により決定する構成としてもよい。
【０４９４】
（２４）ラウンド表示部ＲＳを設けたが、ラウンド表示部ＲＳを設けない構成としてもよい。このようにすれば、第４の実施形態において、特別外れ結果に基づく開閉実行モードか非明示２Ｒ確変大当たり結果に基づく開閉実行モードかを、よりわかりにくくすることができる。
【０４９５】
（２５）誘導部材１６２が誘導状態となって排出扉１７５に対して当接することで、排出扉１７５を閉鎖状態とする構成としたが、誘導部材１６２が誘導状態となった場合に排出扉１７５が開放状態となり、誘導部材１６２が非誘導状態となることで排出扉１７５が閉鎖状態となる構成としてもよい。
【０４９６】
（２６）第１０から第１３の実施形態において、各ラウンド中の上限開放期間や上限入賞個数を異ならせる構成としてもよい。このようにすれば、各ラウンド中に排出通路ＨＴ内に貯留される遊技球の個数に変化が生じる。つまり、例えば、上限開放期間が短い及び上限入賞個数が少ない、の少なくともいずれか一方が設定されるラウンド遊技においては、当該ラウンド遊技中の大入賞口３２への入賞個数が少なくなり得る。そうすると、当該ラウンド遊技の終了時に短期間態様のインターバル期間が設定されたとしても、排出通路ＨＴ内に残存球が生じない又は残存球が生じても少ない、といった事象が生じ得る。また、短期間態様のインターバル期間が設定された後のラウンド遊技が、上限開放期間が短い及び上限入賞個数が少ない、の少なくともいずれか一方が設定されるラウンド遊技であった場合、短期間態様のインターバル期間が設定されて残存球が生じていても、次のラウンド遊技において十分な遊技球の貯留を行うことができない、といった事象が生じ得る。これらの事象が生じると、その後のインターバル期間において遊技球が排出される期間と振分部３０１の振分制御が行われている期間とに重複が生じず、Ｖ入賞が発生しない場合がある。よって、Ｖ入賞の発生機序をより多様なものとすることができる。
【０４９７】
（２７）第１０から第１３の実施形態において、振分部３０１の振分周期は一例であり、上記のものに限定されない。但し、通常の排出期間では、振分制御との重複が生じず、残存球が所定数生じた場合に振分制御との重複が生じるような振分周期であるとよい。
【０４９８】
（２８）第１０から第１３の実施形態において、振分部３０１の振分周期として、大入賞口３２が閉鎖状態となることに基づいて所定期間の計測を開始する構成としたが、大入賞口３２が開放状態となることに基づいて所定期間の計測を開始する構成としてもよいし、開閉実行モードが開始されることに基づいて所定期間の計測を開始する構成としてもよい。但し、これらの場合、各ラウンド遊技の進行状況に応じて、閉鎖状態となるタイミングが相違するため、貯留されている遊技球の排出期間との関係によってＶ入賞の発生の有無を決定する場合にズレが生じ得る。そこで、例えば、各ラウンド遊技が設定どおりの進行スピードとなるように、こぼれ球が生じないようにする等の構成を追加するとよい。
【０４９９】
（２９）第１０から第１３の実施形態において、振分部３０１を１回振分制御する構成としたが、複数回振分制御する構成としてもよい。また、Ｖ入賞は発生しない構成として、通常個数（１０個）の排出期間と重複するタイミングで短期間で振分制御が行われる構成としてもよい。このようにすれば、もしかしたらＶ入賞が発生するかもしれない、という淡い期待を寄せながら遊技を行わせることができ、遊技への期待度を担保することができる。
【０５００】
（３０）第１０から第１３の実施形態において、振分部３０１の構成は上記のものに限定されず他の構成によって分岐通路ＢＴへ振り分ける構成としてもよい。例えば、分岐通路ＢＴの入口が移動することによって分岐通路ＢＴに導出される態様と導出されない態様とに変化する構成としてもよい。
【０５０１】
（３１）第１０から第１３の実施形態において、振分部３０１による振分に代え又は加えて以下のようにしてもよい。すなわち、分岐通路ＢＴとの分岐位置において、所定個数毎に分岐通路ＢＴと排出側とに振り分ける振分手段を設ける。例えば所定個数として、ラウンド遊技の上限入賞個数よりも多い１５個を設定する。この場合、排出個数が１０個である場合には全ての遊技球が排出側に排出され、排出個数が１５個以上であれば分岐通路ＢＴ側にも振り分けられる構成となる。なお、各ラウンド毎に所定個数をリセットする構成とすれば、一のラウンドにおける排出個数が次のラウンドの排出個数に影響を及ぼさない構成となる。
【０５０２】
（３２）第１０の実施形態において、インターバル期間の種類として、長期間態様と短期間態様の他に中期間態様とを設け、当該中期間態様の有無によって第１結果表示部側と第２結果表示部側との有利度を異ならせる構成としたが、中期間態様を設けない構成としてもよい。この場合、長期間態様と短期間態様との割合を異ならせることで有利度を異ならせる構成としてもよい。また、中期間態様を設ける構成として、長期間態様と短期間態様との割合も異ならせる構成としてもよい。さらに、これら以外のインターバル期間を設ける構成としてもよい。
【０５０３】
（３３）第１０の実施形態において、短期間態様や中期間態様とするインターバル期間を最終ラウンド直前のインターバル期間に設定する構成としたが、最終ラウンド直前に限定されず、他のインターバル期間において設定してもよい。この場合、短期間態様や中期間態様のインターバル期間後は長期間態様のインターバル期間が設定されるようにするとよい。
【０５０４】
（３４）第１１の実施形態において、各インターバルの開始時に閉鎖時間の長短を抽選する構成としたが、開閉実行モードの開始時に抽選を行う構成としてもよい。また、ラウンド遊技中に当該抽選を行う構成としてもよい。
【０５０５】
（３５）第１１の実施形態において、閉鎖時間の長短の抽選の当選確率が遊技者の介入によって変化し得る構成としてもよい。例えば、遊技者が操作可能なボタン等の操作部を設け、当該操作部の操作態様によってポイントが付与される構成とする。そして、当該ポイントに基づいて、閉鎖時間の長短を決定する構成とする。なお、当該ポイントは大当たり抽選や大当たり時の遊技結果には影響を及ぼさない構成とするとよい。
【０５０６】
（３６）第１１の実施形態において、閉鎖時間の長短の抽選の当選確率を他の入球部への入球率等によって変化させる構成としてもよい。例えば、一般入賞口３１への入賞に基づいてポイントが付与される構成とする。そして、当該ポイントに基づいて、閉鎖時間の長短を決定する構成とする。なお、当該ポイントは大当たり抽選や大当たり時の遊技結果には影響を及ぼさない構成とするとよい。
【０５０７】
（３７）第１１の実施形態において、抽選により決定するインターバル期間の長さは長期間態様及び短期間態様に限定されず、他の長さのインターバル期間を含む構成としてもよい。
【０５０８】
（３８）第１１の実施形態において、一の抽選契機において、それよりも以前のインターバル期間の長さが抽選結果に影響を及ぼす構成としてもよい。具体的には、例えば、短期間態様のインターバル期間が設定された後は長期間態様のインターバル期間が設定され易くなる、短期間態様のインターバル期間が連続し易くなる、長期間態様のインターバル期間が設定された後は短期間態様のインターバル期間が設定され易くなる、長期間態様のインターバル期間が連続し易くなる、等の構成としてもよい。
【０５０９】
（３９）第１２の実施形態において、各大当たり結果のラウンド数は上記実施形態のものに限定されない。また、上限入賞個数の遊技球を入賞させることができなくなり得るラウンドが生じないようにラウンド数を設定してもよい。
【０５１０】
（４０）第１２の実施形態において、各大当たり結果のインターバル期間において生じ得る残存球の数は上記のもの（１個）に限定されない。例えば、上記のものよりも多く残存し得る構成としてもよい。
【０５１１】
（４１）第１２の実施形態において、一の開閉実行モード中のインターバル期間がそれぞれ相違していてもよく、その相違した状態で各大当たり結果のインターバル期間が同じものとなればよい。
【０５１２】
（４２）第１３の実施形態において、各ラウンド遊技を第１可変入賞ユニット２０１と第２可変入賞ユニット２０２とで交互に実施される構成としたが、少なくとも、第１可変入賞ユニット２０１のラウンド遊技→第２可変入賞ユニット２０２のラウンド遊技→第１可変入賞ユニット２０１のラウンド遊技の順番の単位が含まれれば、第１可変入賞ユニット２０１の排出中に第２可変入賞ユニット２０２側のラウンド遊技を早期に終了させ、次の第１可変入賞ユニット２０１の排出個数を増やす事象を生じさせることが可能である。
【０５１３】
（４３）第１３の実施形態において、遊技領域ＰＥにおける第２可変入賞ユニット２０２よりも上流側に、第１通路と当該第１通路とは異なる第２通路とを設ける。遊技球が第１通路を通過するには第１期間を要し、第２通路を通過するには第１期間よりも長い第２期間を要するように通路長等を設定する。このようにすると、第１通路と第２通路とのいずれを通過させるかによって、第２可変入賞ユニット２０２に遊技球が到達するまでの期間が異なるようになり、第２可変入賞ユニット２０２におけるラウンド遊技において早期に上限入賞個数に達しさせることが可能となり得る。つまり、第２可変入賞ユニット２０２までの流路が１通りであると、ラウンド遊技の継続期間は発射周期と上限入賞個数との積よりも短くはなりにくいが、流路が複数通りであれば、流下のバラつきによって、当該発射周期と上限入賞個数との積よりも短くなり得る。
【０５１４】
（４４）上記各実施の形態とは異なる他のタイプのパチンコ機等、例えば特別装置の特定領域に遊技球が入ると電動役物が所定回数開放するパチンコ機や、特別装置の特定領域に遊技球が入ると権利が発生して大当たりとなるパチンコ機、他の役物を備えたパチンコ機、アレンジボール機、雀球等の遊技機にも本発明を適用できる。
【０５１５】
また、弾球式でない遊技機、例えば、複数種の図柄が周方向に付された複数のリールを備え、メダルの投入及びスタートレバーの操作によりリールの回転を開始し、ストップスイッチが操作されるか所定時間が経過することでリールが停止した後に、表示窓から視認できる有効ライン上に特定図柄又は特定図柄の組み合わせが成立していた場合にはメダルの払い出し等といった特典を遊技者に付与するスロットマシンにも本発明を適用できる。
【０５１６】
更には、取込装置を備え、貯留部に貯留されている所定数の遊技球が取込装置により取り込まれた後にスタートレバーが操作されることによりリールの回転を開始する、パチンコ機とスロットマシンとが融合された遊技機にも本発明を適用できる。
【０５１７】
＜上記実施の形態から抽出される発明群について＞
以下、上述した各実施の形態から抽出される発明群の特徴について、必要に応じて効果等を示しつつ説明する。なお以下においては、理解の容易のため、上記各実施の形態において対応する構成を括弧書き等で適宜示すが、この括弧書き等で示した具体的構成に限定されるものではない。
【０５１８】
なお、下記の各特徴に記載された発明は、「パチンコ機等の遊技機として、遊技領域に設けられた入球部としての可変入賞装置を備えたものが知られている（例えば特開２００３−３２５８１１号公報参照）。」という背景技術について、「ここで、遊技機においては遊技への注目度を高める工夫が望まれている。」という発明が解決しようとする課題をもってなされたものである。
【０５１９】
＜特徴Ａ群＞
特徴Ａ１．遊技球が流下する遊技領域（遊技領域ＰＥ）に設けられ、遊技球が入球可能な所定の入球部（大入賞口３２）と、
前記所定の入球部へ遊技球が入球可能となる入球可能状態と遊技球が入球不可又は入球困難となる入球不可状態とに切換可能な可変入球手段（扉部１６５）と、
前記所定の入球部へ入球した遊技球を排出するための排出通路（排出通路ＨＴ）と、
前記排出通路に設けられ、遊技球を排出可能となる排出可能状態と遊技球を排出不可となる排出不可状態とに切換可能な可変排出手段（排出扉１７５）と、
を備え、
前記可変入球手段が前記入球可能状態となる場合に前記可変排出手段を前記排出不可状態とすることが可能な第１手段（主制御装置８１による大入賞口開放処理を実行する機能）を備えていることを特徴とする遊技機。
【０５２０】
上記構成によれば、可変入球手段が入球可能状態となって所定の入球部への入球が可能となると、可変排出手段は排出不可状態となる。この場合、所定の入球部へは入球が可能であるものの、排出が不可となり、入球した遊技球は排出通路に留まることになる。このようにすれば、例えば、排出通路に留まった遊技球を利用して、後続の遊技球の入球を制限したり、後続の遊技球の挙動に変化を生じさせる、といった構成とすることも可能となり、遊技の多様化に貢献できる。以上の結果、遊技への注目度を好適に高めることができる。
【０５２１】
特徴Ａ２．前記可変入球手段が前記入球不可状態となる場合に前記可変排出手段を前記排出可能状態とすることが可能な第２手段（主制御装置８１による大入賞口閉鎖処理を実行する機能）を備えていることを特徴とする特徴Ａ１に記載の遊技機。
【０５２２】
上記構成によれば、可変入球手段が入球可能状態となれば入球した遊技球は排出通路に留まり、可変入球手段が入球不可状態となれば留まっていた遊技球は排出される。このようにすれば、排出通路において遊技球を留める機能を有しつつも、遊技球を排出する機能を担保することができる。そして、排出通路から遊技球が排出される契機を可変入球手段が入球不可状態となることとしているため、排出通路において可変入球手段及び可変排出手段のいずれかは遊技球が通過できない（流入できない又は排出されない）状態となっている。このようにすれば、排出通路を利用して遊技の多様化を図る際に、排出通路における遊技球の流入・排出タイミングを遊技機側で管理することができる。
【０５２３】
特徴Ａ３．前記可変入球手段は、前記入球可能状態となることで入球可能位置に変位し、前記入球不可状態となることで前記入球可能位置とは異なる入球不可位置に変位する入球変位部材（誘導部材１６２）を有し、
前記可変排出手段は、前記排出可能状態となることで排出可能位置に変位し、前記排出不可状態となることで前記排出可能位置とは異なる排出不可位置に変位する排出変位部材（排出扉１７５）を有し、
前記入球変位部材が前記入球可能位置に変位することで、当該入球変位部材又はそれとは異なる部材を介して、前記排出変位部材の前記排出不可位置から前記排出可能位置への変位が規制される構成であることを特徴とする特徴Ａ１又は特徴Ａ２に記載の遊技機。
【０５２４】
上記構成によれば、入球変位部材が変位すると排出変位部材の変位が規制されるため、入球変位部材と排出変位部材との変位を一の駆動部等によって行うことが可能となる。よって、それぞれ変位させるための駆動部等を設ける構成と比較して、構成の簡素化を図ることができる。
【０５２５】
特徴Ａ４．前記入球変位部材が前記入球可能位置に変位することで、当該入球変位部材又はそれとは異なる部材が、前記排出変位部材が前記排出可能位置へ変位する方向と逆方向から当該排出変位部材に対して当接して前記排出変位部材の変位を規制する構成であることを特徴とする特徴Ａ３に記載の遊技機。
【０５２６】
上記構成によれば、入球変位部材を排出変位部材の変位方向とは逆方向から当接させると、排出変位部材が変位しようとしても入球変位部材が邪魔になって変位できなくなる。このように両部材の位置関係を利用すれば、比較的簡素な構成で駆動部の共通化を図ることができる。
【０５２７】
特徴Ａ５．前記排出通路は、前記可変排出手段が前記排出不可状態となることにより、前記所定の入球部へ入球した遊技球を所定個数（１０個）を上限として貯留することが可能な構成であることを特徴とする特徴Ａ１乃至Ａ４のいずれか１に記載の遊技機。
【０５２８】
上記構成によれば、所定の入球部から入球した遊技球は、可変排出手段が排出不可状態であることを条件として排出通路にて所定個数を上限として貯留される。換言すると、所定個数を超える遊技球は排出通路に貯留することができない。このようにすれば、例えば所定の入球部への入球数を制限したりすることができる。
【０５２９】
特徴Ａ６．前記排出通路は、遊技球が１個ずつ通過可能な構成となっており、当該排出通路における前記可変入球手段から前記可変排出手段までの通路長が、前記所定個数分の遊技球の直径以下となるように設定されていることを特徴とする特徴Ａ５に記載の遊技機。
【０５３０】
上記構成によれば、排出通路の通路長を調節することで、排出通路に貯留される個数を容易に調節することができる。例えば、貯留される個数を多くしたいのであれば排出通路を長くすればよく、少なくしたいのであれば排出通路を短くすればよい。よって、貯留される個数を変化させて遊技の多様化を図るうえで、簡素な変更ですみ、遊技機の設計上好ましい。
【０５３１】
特徴Ａ７．前記排出通路は、曲部を有する曲線通路として形成されていることを特徴とする特徴Ａ６に記載の遊技機。
【０５３２】
上記構成によれば、曲部においては、遊技球同士が直径よりも短い箇所で当接するため、排出通路の通路長を所定個数分の長さよりも短くすることが可能となる。よって、限られた領域内で、より多くの遊技球を貯留することが可能となる。
【０５３３】
特徴Ａ８．所定条件成立に基づいて、前記可変入球手段への入球が発生し易くなる特定遊技（ラウンド）を実行可能な特定遊技実行手段（主制御装置８１による遊技状態移行処理を実行する機能）と、
前記特定遊技において、前記可変入球手段への遊技球の入球が特定個数分発生したことを一の条件として、当該特定遊技を終了させる特定遊技終了手段（主制御装置８１による大入賞口閉鎖処理を実行する機能）と、
を備え、
前記排出通路に貯留される所定個数は、前記特定個数以下に設定されていることを特徴とする特徴Ａ５乃至Ａ７のいずれか１に記載の遊技機。
【０５３４】
上記構成によれば、排出通路に貯留可能な個数を、特定遊技の終了条件である特定個数以下とすることで、特定遊技において特定個数を超える遊技球が入球することを回避することができる。これにより、特定遊技によって得られる特典等（例えば入球に基づく賞球）を均等なものとすることができ、遊技の公平性を担保することが可能となる。
【０５３５】
特徴Ａ９．所定条件成立に基づいて、前記可変入球手段への入球が発生し易くなる特定遊技（ラウンド）を実行可能な特定遊技実行手段（主制御装置８１による遊技状態移行処理を実行する機能）と、
前記特定遊技において、前記可変入球手段への遊技球の入球が特定個数分発生したことを一の条件として、当該特定遊技を終了させる特定遊技終了手段（主制御装置８１による大入賞口閉鎖処理を実行する機能）と、
を備え、
前記排出通路に貯留される所定個数は、前記特定個数に設定されていることを特徴とする特徴Ａ５乃至Ａ７のいずれか１に記載の遊技機。
【０５３６】
上記構成によれば、排出通路に貯留可能な個数を、特定遊技の終了条件である特定個数とすることで、特定遊技中における遊技球の入球を妨げない範囲で、特定遊技において特定個数を超える遊技球が入球することを回避することができる。これにより、特定遊技によって得られる特典等（例えば入球に基づく賞球）を均等なものとすることができ、遊技の公平性を担保することが可能となる。
【０５３７】
特徴Ａ１０．前記特定遊技が終了することに基づいて、前記可変入球手段が前記入球不可状態となり、前記可変排出手段は前記排出可能状態となる構成であり、
一の前記特定遊技が終了してから次の前記特定遊技が開始されるまでの待機期間を設定する設定手段（主制御装置８１による閉鎖時間の設定処理を実行する機能）を備え、
前記設定手段は、前記待機期間を、前記可変排出手段を介して１個の遊技球が排出されるのに要する期間よりも長い期間に設定する第１設定手段（主制御装置８１による閉鎖時間の設定処理において長時間態様の待機時間を設定する機能）を備えていることを特徴とする特徴Ａ８又は特徴Ａ９に記載の遊技機。
【０５３８】
上記構成によれば、特定遊技と特定遊技との間において、排出通路から遊技球を排出することが可能となる。よって、一の特定遊技中に例えば特定個数の遊技球が貯留されて当該一の特定遊技が終了した場合であっても、次の特定遊技において遊技球の入球が発生する余地を残すことができる。
【０５３９】
特徴Ａ１１．前記第１設定手段は、前記待機期間を、前記可変排出手段を介して前記特定個数の遊技球が排出されるのに要する期間よりも長い期間に設定することが可能な手段（主制御装置８１によるステップＳ７０２等の処理を実行する機能）を備えていることを特徴とする特徴Ａ１０に記載の遊技機。
【０５４０】
上記構成によれば、一の特定遊技中に特定個数の遊技球が貯留されていた場合であっても、次の特定遊技の開始前に全ての遊技球を排出することが可能となり、当該次の特定遊技の入球数に影響を及ぼさないようにすることができる。
【０５４１】
特徴Ａ１２．前記特定遊技が終了することに基づいて、前記可変入球手段が前記入球不可状態となり、前記可変排出手段は前記排出可能状態となる構成であり、
一の前記特定遊技が終了してから次の前記特定遊技が開始されるまでの待機期間を設定する設定手段（主制御装置８１による閉鎖時間の設定処理を実行する機能）を備え、
前記設定手段は、前記待機期間を、前記可変排出手段を介して前記特定個数の遊技球が排出されるのに要する期間よりも短い期間に設定する第２設定手段（主制御装置８１によるステップＳ７０３、ステップＳ１２０３の処理を実行する機能）を備えていることを特徴とする特徴Ａ８乃至Ａ１１のいずれか１に記載の遊技機。
【０５４２】
上記構成によれば、一の特定遊技中に特定個数の遊技球が貯留されていた場合、次の特定遊技の開始前に全ての遊技球を排出することができず、当該次の特定遊技の入球数に影響が及ぶ。具体的には、例えば１個排出されずに残存していれば、次の特定遊技において入球可能な個数は、特定個数から当該排出されずに残存していた１個を除算した個数となる。このようにすることで、各特定遊技における入球可能な特定個数という設定を変更することなく、次の特定遊技における実質的な入球個数を変化させることができる。
【０５４３】
特徴Ａ１３．前記第２設定手段は、前記待機期間を、前記可変排出手段を介して１個の遊技球が排出されるのに要する期間よりも短い期間に設定する手段（主制御装置８１によるステップＳ１２０３の処理を実行する機能）を備えていることを特徴とする特徴Ａ１２に記載の遊技機。
【０５４４】
上記構成によれば、一の特定遊技において入球した個数を次の特定遊技に持ち越すことができる。具体的には、例えば一の特定遊技において１個入球したのであれば、次の特定遊技までの待機期間において遊技球は排出されないため、当該１個の遊技球は次の特定遊技の開始まで残存していることになる。そうすると、当該次の特定遊技における入球可能な個数は、特定個数から当該排出されずに残存していた１個を除算した個数となる。このようにすることで、各特定遊技における入球可能な特定個数という設定を変更することなく、次の特定遊技における実質的な入球個数を変化させることができる。
【０５４５】
特徴Ａ１４．前記所定の入球部へ遊技球が入球したことを検知する検知手段（大入賞口用入賞センサ３２ａ）を備え、
前記検知手段は、前記排出通路において前記可変入球手段よりも下流側であって前記可変排出手段よりも上流側に設けられていることを特徴とする特徴Ａ１乃至Ａ１３のいずれか１に記載の遊技機。
【０５４６】
特徴Ａ１のように排出通路において遊技球が留まる可能性のある構成においては、所定の入球部への入球タイミングと排出通路からの排出タイミングとにズレが生じ得る。そこで、検知手段を可変排出手段よりも上流側に設ければ、上記入球タイミングと排出タイミングとのズレに影響されることなく入球を検知することが可能となる。
【０５４７】
特徴Ａ１５．前記検知手段よりも下流側において、遊技球が前記検知手段側へ動作することを抑制する抑制手段（戻り防止弁１７８）が設けられていることを特徴とする特徴Ａ１４に記載の遊技機。
【０５４８】
上記構成によれば、一旦、検知手段に検知された遊技球が、再び検知手段側へ動作して、再度検知されてしまう事象を回避することができる。よって、所定の入球部への入球数を遊技機側で正確に把握することが可能となる。
【０５４９】
特徴Ａ１６．前記抑制手段によって前記検知手段側への動作が抑制された場合の遊技球の前記検知手段側への動作可能位置は、当該遊技球が前記検知手段に検知される位置よりも下流側であって、且つ当該遊技球が後続の遊技球と当接することで当該後続の遊技球が前記検知手段により検知されないようにすることが可能となる位置であることを特徴とする特徴Ａ１５に記載の遊技機。
【０５５０】
上記構成によれば、検知手段による重複検知を防止しつつも、後続の遊技球の誤検知を回避することができる。
【０５５１】
特徴Ａ１７．前記可変入球手段へ遊技球が流入する方向と交差する方向から流下する遊技球を受け、当該遊技球を前記可変入球手段へ誘導する誘導手段（受け部１６３）を備えていることを特徴とする特徴Ａ１乃至Ａ１６のいずれか１に記載の遊技機。
【０５５２】
上記構成によれば、可変入球手段へは誘導手段によって流下方向が変更された状態で入球する。このようにすれば、可変入球手段に入球する際の遊技球の流下速度を抑えることが可能となる。よって、入球後の遊技球を排出通路内に留める構成において、当該留められた遊技球と後続の遊技球が衝突する際の衝撃を和らげることができ、衝突時の遊技球の動作に基づく不都合（誤排出、重複検知等）の発生を抑制することができる。
【０５５３】
特徴Ａ１８．前記可変排出手段が前記排出可能状態の維持期間が所定期間未満である場合に、前記可変排出手段を遊技球が通過することを制限する手段（第２排出扉１７５ｂ）を備えていることを特徴とする特徴Ａ１乃至Ａ１７のいずれか１に記載の遊技機。
【０５５４】
上記構成によれば、可変排出手段を排出可能状態としつも、所定期間未満であれば、排出を制限することができる。このようにすることで、例えば、可変入球手段の変位に合わせて可変排出手段を変位させるような構成において、可変入球手段側の短い期間での変位の影響を及ぼさないようにすることができる。よって、可変入球手段と可変排出手段の動作の自由度を向上させ、遊技の多様化に大幅に貢献することが可能となる。
【０５５５】
特徴Ａ１９．前記排出通路は、前記可変排出手段が前記排出不可状態となることにより、前記所定の入球部へ入球した遊技球を所定個数を上限として貯留することが可能な構成であり、
前記排出通路の球詰まりを判定することが可能な判定手段（主制御装置８１による球詰まり判定処理を実行する機能）を備え、
前記判定手段は、前記排出通路の貯留個数が所定の個数となることに基づいて、前記球詰まりと判定しないようにすることが可能な構成であることを特徴とする特徴Ａ１乃至Ａ１８のいずれか１に記載の遊技機。
【０５５６】
上記構成によれば、排出通路に遊技球を貯留する構成において、球詰まりが生じているのか貯留されている状態かどうかの判定条件を貯留個数によって変化させることができる。よって、球詰まりと貯留といった、似たような事象を好適に判別することが可能となる。
【０５５７】
＜特徴Ｂ群＞
特徴Ｂ１．遊技球が流下する遊技領域（遊技領域ＰＥ）に設けられ、遊技球が入球可能な所定の入球部（大入賞口３２）と、
前記所定の入球部へ入球した遊技球を排出するための排出通路（排出通路ＨＴ）と、
所定期間（ラウンド）において、前記所定の入球部へ入球した遊技球を前記排出通路にて第１個数（例えば１０個）貯留することが可能な第１貯留手段（例えば主制御装置８１による閉鎖時間の設定処理として長時間態様の待機時間を設定する機能）と、
前記所定期間において、前記所定の入球部へ入球した遊技球を前記排出通路にて前記第１個数とは異なる第２個数（例えば９個）貯留することが可能な第２貯留手段（例えば主制御装置８１による閉鎖時間の設定処理として短時間態様の待機時間を設定する機能）と、
を備えることを特徴とする遊技機。
【０５５８】
上記構成によれば、所定期間において、所定の入球部に入球した遊技球が排出通路にて貯留される場合がある。この場合、第１貯留手段により貯留される場合と第２貯留手段により貯留される場合とで、貯留個数が異なる。このような構成を用いれば、例えば、貯留個数に応じて異なる演出が行われるようにしたり、異なる特典が付与されたりするようにするなど、異なる貯留個数であることを利用した新たな遊技性を実現することが可能となる。この場合、従来の遊技機のように入球数の相違によって演出等を異ならせるようにすると、所定の入球部への入球率等も加味しなければならず、上記異ならせる演出等の幅が小さくなり易い。これに対して、入球後の貯留個数であるため、入球率等に影響が生じにくく、斬新な遊技性の実現への障壁が小さい。よって、上記構成を利用すれば、遊技への注目度を好適に高めることが可能となる。
【０５５９】
特徴Ｂ２．前記第１貯留手段により前記排出通路に前記第１個数の遊技球が貯留されることにより、前記所定の入球部へ遊技球が入球できなくなり、
前記第２貯留手段により前記排出通路に前記第２個数の遊技球が貯留されることにより、前記所定の入球部へ遊技球が入球できなくなる構成であることを特徴とする特徴Ｂ１に記載の遊技機。
【０５６０】
上記構成によれば、第１個数の遊技球が貯留された場合であっても、第２個数の遊技球が貯留された場合であっても、所定の入球部へ遊技球が入球できなくなり、所定期間における所定の入球部への入球可能な個数を変化させることができる。すなわち、貯留個数の変化を利用して入球可能な個数を変化させる構成となり、このような構成を利用すれば、所定の入球部への入球可能な個数を調整する上で自由度が大幅に向上する。よって、遊技の多様化を図るうえで好ましく、遊技への注目度を好適に高めることが可能となる。
【０５６１】
特徴Ｂ３．前記所定期間は、前記所定の入球部へ遊技球が入球し易くなる期間であり、
所定の終了条件（上限開放時間の経過、上限入賞個数の入賞）が成立したことに基づいて、前記所定期間を終了する終了手段（主制御装置８１による大入賞口閉鎖処理を実行する機能）と、
前記所定の終了条件を設定する設定手段（主制御装置８１によるステップＳ５０５、ステップＳ５０６等の処理を実行する機能）と、
を備え、
前記設定手段は、前記第１貯留手段により貯留される場合の前記所定の終了条件として特定条件（３０ｓｅｃ、１０個）を設定することが可能であり、前記第２貯留手段により貯留される場合の前記所定の終了条件として前記特定条件を設定することが可能な構成であることを特徴とする特徴Ｂ２に記載の遊技機。
【０５６２】
上記構成によれば、所定の入球部へ遊技球が入球し易くなる所定期間の終了条件として、第１個数貯留される場合と、第２個数貯留される場合とで、同じ終了条件とすることができる。このようにすれば、所定期間の終了条件を変化させることなく、所定期間中に所定の入球部へ実質的に入球可能な個数を変化させることができる。よって、遊技の多様化を図るうえで変更する点が少なく済み、多様化の自由度を大幅に向上させることができる。
【０５６３】
特徴Ｂ４．前記設定手段は、前記所定の終了条件として、前記所定期間中に前記所定の入球部への上限入球個数を設定する第１設定手段（主制御装置８１によるステップＳ５０６の処理を実行する機能）と、前記所定期間において前記所定の入球部へ遊技球が入球し易くなる期間の継続期間を設定する第２設定手段（主制御装置８１によるステップＳ５０５の処理を実行する機能）と、を備え、
前記特定条件として、少なくとも前記第１設定手段により設定される前記上限入球個数が、前記第１貯留手段により貯留される場合と前記第２貯留手段により貯留される場合とで同じ個数となるように設定されていることを特徴とする特徴Ｂ３に記載の遊技機。
【０５６４】
上記構成によれば、所定期間の終了条件として、上限入球個数を変化させることなく実質的な入球個数を変化させることができる。特に、第１個数貯留されるか第２個数貯留されるか、といった見た目上わかり易い差で実質的な入球個数が異なるため、遊技機側で設定する上限入球個数による差よりも、遊技の公平性が担保されているものと遊技者は感じやすい。
【０５６５】
特徴Ｂ５．前記設定手段は、前記所定の終了条件として、前記所定期間中に前記所定の入球部への上限入球個数を設定する第１設定手段（主制御装置８１によるステップＳ５０６の処理を実行する機能）と、前記所定期間において前記所定の入球部へ遊技球が入球し易くなる期間の継続期間を設定する第２設定手段（主制御装置８１によるステップＳ５０５の処理を実行する機能）と、を備え、
前記特定条件として、少なくとも前記第２設定手段により設定される前記継続期間が、前記第１貯留手段により貯留される場合と前記第２貯留手段により貯留される場合とで同じ長さとなるように設定されていることを特徴とする特徴Ｂ３に記載の遊技機。
【０５６６】
上記構成によれば、所定期間の終了条件として、継続期間の長さを変化させることなく実質的な入球個数を変化させることができる。特に、第１個数貯留されるか第２個数貯留されるか、といった見た目上わかり易い差で実質的な入球個数が異なるため、遊技機側で設定する継続期間の長さによる差よりも、遊技の公平性が担保されているものと遊技者は感じやすい。
【０５６７】
特徴Ｂ６．前記第１貯留手段により前記排出通路に遊技球が貯留される場合と、前記第２貯留手段により前記排出通路に遊技球が貯留される場合とで、前記排出通路に遊技球を貯留可能な領域（排出通路ＨＴの通路長）の広さに変化が生じないものであることを特徴とする特徴Ｂ１乃至Ｂ５のいずれか１に記載の遊技機。
【０５６８】
上記構成によれば、第１貯留手段により貯留される場合であっても、第２貯留手段により貯留される場合であっても、排出通路の構成を変化させる必要がない。よって、比較的簡素な構成で、貯留個数を異ならせることが可能となる。
【０５６９】
特徴Ｂ７．前記排出通路に貯留された遊技球を排出することが可能な排出可能状態と排出することができない排出不可状態とに変位することが可能な可変排出手段（排出扉１７５）を備え、
前記可変排出手段が前記排出可能状態又は前記排出不可状態となる期間の長さを異ならせることで、前記排出通路に貯留される遊技球の個数を異ならせることが可能な構成であることを特徴とする特徴Ｂ１乃至Ｂ６のいずれか１に記載の遊技機。
【０５７０】
上記構成によれば、排出通路から遊技球が排出される／排出されない期間の長さを異ならせることで、排出通路に貯留される遊技球の個数を異ならせることができる。このようにすれば、所定の入球部への入球の可否を変化させることなく、排出通路に貯留される個数を異ならせることができる。
【０５７１】
特徴Ｂ８．前記所定期間よりも前のタイミングにおいて、前記排出可能状態となる期間の長さを異ならせることで、前記所定期間における前記排出通路に貯留される遊技球の個数を異ならせる構成であることを特徴とする特徴Ｂ７に記載の遊技機。
【０５７２】
上記構成によれば、所定期間よりも前に貯留された遊技球を排出するための期間の長さを異ならせることになり、所定期間中の貯留個数を異ならせることができる。よって、所定期間自体の各種設定（特徴Ｂ３のような終了条件）を変化させる必要が生じない。
【０５７３】
特徴Ｂ９．遊技球が前記所定の入球部へ入球したことを検知する検知手段（大入賞口用入賞センサ３２ａ）と、
前記検知手段による検知結果に基づいて所定の第１特典（賞球）を付与することが可能な第１特典付与手段（払出制御装置９７）と、
前記排出通路に貯留された遊技球の個数に応じて所定の第２特典（例えば、Ｖ入賞の発生に基づく高確率モード）を付与することが可能な第２特典付与手段（主制御装置８１による高確率モードへの移行用処理を実行する機能）と、
を備え、
前記第２個数は前記第１個数よりも多い数として設定されており、
前記第２特典付与手段は、前記第１個数の遊技球が前記排出通路に貯留されるよりも、前記第２個数の遊技球が前記排出通路に貯留される方が、前記所定の第２特典を付与し易い構成であることを特徴とする特徴Ｂ１乃至Ｂ８のいずれか１に記載の遊技機。
【０５７４】
上記構成によれば、所定の入球部への入球個数だけでなく、排出通路における貯留数にも注目させることができ、遊技への注目度を好適に高めることができる。特に、一般的な遊技機では、入球数に応じた賞球等の第１特典が付与される構成であるところ、当該第１特典は入球数が多いほどより多く付与される。ところが、例えば、第１特典の有利度によっては（例えば１個賞球のような場合には）、入球数がいくら増えても遊技者としてはさほど嬉しくない事象も生じ得る。そこで、入球数とは若干関係しているが、それとは別の要素によって規定される貯留数に応じて第２特典が付与される構成とすれば、多角的な面から入球数が多いことのメリットを享受させることができる。
【０５７５】
特徴Ｂ１０．前記第２個数は前記第１個数よりも多い数として設定されており、
前記排出通路から分岐する所定の分岐通路（分岐通路ＢＴ）が設けられており、
前記第１貯留手段により前記第１個数の遊技球が貯留された場合よりも、前記第２貯留手段により前記第２個数の遊技球が貯留された場合の方が、前記所定の入球部に入球した遊技球が前記所定の分岐通路に導出され易くなる構成であることを特徴とする特徴Ｂ１乃至Ｂ９のいずれか１に記載の遊技機。
【０５７６】
上記構成によれば、貯留数によって入球した遊技球の導出先が異なる構成となる。つまり、第１個数の遊技球が貯留されるよりも第２個数の遊技球が貯留される方が所定の分岐通路に導出され易くなるので、例えば当該所定の分岐通路に導出されたことに基づいて特典を付与する構成や、逆に所定の分岐通路に導出されなければ特典が付与される構成とすると、貯留数だけでなく、その貯留数に基づく遊技球の挙動にも関心を寄せさせることが可能となる。
【０５７７】
＜特徴Ｃ群＞
特徴Ｃ１．遊技球が流下する遊技領域（ＰＥ）に設けられ、遊技球が入球可能な所定の入球部（大入賞口３２）と、
前記所定の入球部へ入球した遊技球を前記遊技領域から排出するための排出通路（排出通路ＨＴ）と、
所定個数を上限として、前記排出通路にて遊技球を貯留することが可能な貯留手段（排出扉１７５）と、
を備え、
前記排出通路は、前記貯留手段に貯留される特定個数目の遊技球が後続の遊技球と当接することにより、当該後続の遊技球が前記排出通路とは異なる特定領域に導出されるように、前記特定個数目の遊技球を貯留することが可能な構成であることを特徴とする遊技機。
【０５７８】
上記構成によれば、貯留手段に遊技球が特定個数貯留されることによって、当該特定個数目の遊技球が後続の遊技球の流下方向を排出通路とは異なる特定領域に変化させる構成となる。このようにすれば、例えば振分装置等を設けて遊技球の流下方向を変化させる構成と比較して、遊技球同士の作用によるものであるため、遊技球の挙動を存分に楽しませることが可能であるし、遊技機側で意図的に流下方向を異ならせようとしたと遊技者に感じさせないようにでき、遊技の公平性を担保することができる。
【０５７９】
特徴Ｃ２．前記後続の遊技球が、前記排出通路から遊技球が排出される場合と、前記特定領域に遊技球が導出される場合とで、遊技者にとっての有利度が異なる構成であることを特徴とする特徴Ｃ１に記載の遊技機。
【０５８０】
上記構成によれば、特定個数目の遊技球によって後続の遊技球の流下先が変化することにより、遊技者にとっての有利度が変化する。このようにすれば、排出通路に特定個数の遊技球が貯留されることへの注目度が大幅に高められる。特に、排出通路は遊技領域外に設けられており、このような排出通路に貯留される遊技球にすら注目させるような構成とすることで、遊技者の関心を寄せさせるポイントが多岐にわたることになり、興趣向上に役立てることが可能となる。
【０５８１】
特徴Ｃ３．前記排出通路から遊技球が排出される場合よりも、前記特定領域に遊技球が導出される場合の方が、遊技者にとって有利な構成であることを特徴とする特徴Ｃ２に記載の遊技機。
【０５８２】
上記構成によれば、特定個数目の遊技球によって後続の遊技球の流下先が変化することにより、遊技者にとっての有利度が向上する。このようにすれば、排出通路に特定個数の遊技球が貯留されることへの注目度が大幅に高められる。特に、排出通路は遊技領域外に設けられており、このような排出通路に貯留される遊技球にすら注目させるような構成とすることで、遊技者の関心を寄せさせるポイントが多岐にわたることになり、興趣向上に役立てることが可能となる。
【０５８３】
特徴Ｃ４．前記特定個数は前記所定個数と同個数であり、
前記特定個数目の遊技球により、後続の遊技球が前記所定の入球部へ入球できなくなる構成であることを特徴とする特徴Ｃ１乃至Ｃ３のいずれか１に記載の遊技機。
【０５８４】
上記構成によれば、排出通路に特定個数貯まることによって、所定の入球部へ入球できなくなる。このようにすれば、遊技球が貯留されることを利用して所定の入球部への入球の可否を変化させる、とった斬新な遊技を実現することができる。
【０５８５】
特徴Ｃ５．前記特定領域は前記遊技領域内に設定されており、
前記特定領域には、遊技球が入球可能な特定入球部（特別入球部２６）が設けられており、
前記特定入球部へ遊技球が入球したことに基づいて遊技者に特典を付与することが可能な手段（払出制御装置９７）を備えていることを特徴とする特徴Ｃ４に記載の遊技機。
【０５８６】
上記構成によれば、所定の入球部への入球個数が所定個数となり、当該所定の入球部へ入球できなくなっても、特定入球部に入球させることが可能となる。このように、所定の入球部へ遊技球が特定個数貯留されて、後続の遊技球の流下方向が変化する事象を利用して、入球先を異ならせることが可能となり、遊技の多様化に大きく貢献することができる。
【０５８７】
特徴Ｃ６．前記貯留手段にて前記特定個数の遊技球が貯留された状態を所定期間に亘って保持することが可能な手段（主制御装置８１による閉鎖時間の設定処理を実行する機能）を備えていることを特徴とする特徴Ｃ４又は特徴Ｃ５に記載の遊技機。
【０５８８】
上記構成によれば、所定の入球部への入球ができなくなった状態が所定期間に亘って保持される。このような状況では、所定の入球部を狙っても特定領域にしか遊技球は流下しない。このような事象を利用すれば、例えば特徴Ｃ５のように特定入球部へ入球する状況のように、新たな遊技性を実現することができる。
【０５８９】
特徴Ｃ７．前記特定個数目の遊技球に対して前記排出通路の上流側から当接する当接部（戻り防止弁１７８）を備えていることを特徴とする特徴Ｃ１乃至Ｃ６のいずれか１に記載の遊技機。
【０５９０】
上記構成によれば、特定個数目の遊技球が後続の遊技球と衝突することを前提とした構成において、特定個数目の遊技球を当接部と当接させておけば、当該衝突によって、特定個数目の遊技球が排出通路の上流側に戻ってしまうことを抑制することが可能となる。これにより、遊技球が所定の入球部から逆流してしまう等の不都合を回避することができる。
【０５９１】
特徴Ｃ８．遊技球が流下する遊技領域（ＰＥ）に設けられ、遊技球が入球可能な所定の入球部（大入賞口３２）と、
前記所定の入球部へ入球した遊技球を所定の領域に誘導するための誘導通路（排出通路ＨＴ）と、
所定個数を上限として、前記誘導通路にて遊技球を貯留することが可能な貯留手段（排出扉１７５）と、
を備え、
前記誘導通路は、前記貯留手段に貯留される特定個数目の遊技球が後続の遊技球と当接することにより、当該後続の遊技球が前記所定の領域とは異なる特定領域に導出されるように、前記特定個数目の遊技球を貯留することが可能な構成であることを特徴とする遊技機。
【０５９２】
上記構成によれば、貯留手段に遊技球が特定個数貯留されることによって、当該特定個数目の遊技球が後続の遊技球の流下方向を所定の領域とは異なる特定領域に変化させる構成となる。このようにすれば、例えば振分装置等を設けて遊技球の流下方向を変化させる構成と比較して、遊技球同士の作用によるものであるため、遊技球の挙動を存分に楽しませることが可能であるし、遊技機側で意図的に流下方向を異ならせようとしたと遊技者に感じさせないようにでき、遊技の公平性を担保することができる。
【０５９３】
特徴Ｃ９．遊技球が流下する遊技領域（遊技領域ＰＥ）に設けられ、遊技球が入球可能な所定の入球部（大入賞口３２）と、
前記所定の入球部へ入球した遊技球を排出するための排出通路（排出通路ＨＴ）と、
所定個数を上限として、前記排出通路にて遊技球を貯留することが可能な貯留手段（排出扉１７５）と、
前記貯留手段によって遊技球が特定個数貯留されることにより、後続の遊技球の挙動に変化を生じさせることが可能な変化手段（主制御装置８１による閉鎖時間の設定処理を実行する機能）と、
を備えていることを特徴とする遊技機。
【０５９４】
上記構成によれば、所定の入球部へ遊技球を入球させると、その遊技球が貯留手段に貯留され、後続の遊技球の挙動に変化が生じる場合がある。遊技球の挙動に変化を生じさせる構成としては、例えば周期動作する役物等を利用する構成も考えられるが、周期動作とはいえ遊技機側で管理された動作であるため、挙動を変化させた結果、遊技者に不利な結果となると、遊技者としては遊技への不信感を抱きかねない。これに対して上記構成では、遊技者自身が入球させた遊技球が貯留されることによって挙動が変化する構成であるため、上記のように不信感を抱かせにくくすることができる。
【０５９５】
＜特徴Ｄ群＞
特徴Ｄ１．遊技球が流下する遊技領域（遊技領域ＰＥ）に設けられ、遊技球が入球可能な開状態と当該開状態よりも入球しにくい閉状態とに変位可能な可変入球手段（可変入賞ユニット１５１）と、
前記可変入球手段を前記閉状態から前記開状態とし、その後前記閉状態とする可変入球制御を実行する可変入球制御手段（主制御装置８１による大入賞口開閉処理を実行する機能）と、
特定事象（大当たり）が発生したことに基づいて、遊技状態を前記可変入球手段による前記可変入球制御を複数回実行可能な特定状態に設定する特定状態設定手段（主制御装置８１による遊技状態移行処理を実行する機能）と、
前記特定状態において、前記可変入球手段を前記開状態から前記閉状態としてから前記開状態とするまでの待機期間を設定する設定手段（主制御装置８１による閉鎖時間の設定処理を実行する機能）と、
を備え、
前記設定手段は、前記待機期間を第１期間と、当該第１期間とは長さが異なる第２期間と、に設定することが可能であり、
前記待機期間の長さに応じた特典を遊技者に付与することが可能な特典付与手段（閉鎖時間が長いほど排出個数が多くなり次のラウンドで入球可能な個数が多くなること、主制御装置８１による閉鎖時間の設定処理を実行する機能、演出制御装置８２によるステップＳ９０９の処理を実行する機能、払出制御装置９７による特別入球部２６への入球に基づく賞球を払い出す機能、残存球が多くなるほどＶ入賞の発生が高くなること）を備えていることを特徴とする遊技機。
【０５９６】
上記構成によれば、遊技状態が特定状態に移行すると、可変入球手段に遊技球が入球可能となる。そのため、特定状態は遊技者の関心が大きく高まるポイントといえる。その一方で、特定状態であっても、可変入球手段が閉状態である待機期間は、可変入球手段への入球が発生しにくいため比較的関心が低くなってしまうものと考えられる。そこで、上記構成のように、待機期間の長さに応じた特典を遊技者に付与する構成とすれば、入球が発生しない待機期間ですら遊技者に注目させることが可能となり、特定状態の注目度を大きく高めることができる。
【０５９７】
特徴Ｄ２．前記特典付与手段は、前記待機期間が長いほど遊技者にとって有利となるように前記特典を付与することが可能な第１手段（閉鎖時間が長いほど排出個数が多くなり次のラウンドで入球可能な個数が多くなること、主制御装置８１による閉鎖時間の設定処理を実行する機能）を備えていることを特徴とする特徴Ｄ１に記載の遊技機。
【０５９８】
上記構成によれば、可変入球手段へ遊技球が入球しにくい閉状態である期間が長いほど、遊技者にとって有利となる。このようにすれば、閉状態である期間において、関心が低下してしまう事象を回避することができる。
【０５９９】
特徴Ｄ３．前記可変入球手段が前記開状態となる場合において前記可変入球手段に入球可能な遊技球の個数が、所定数として設定されるものであり、
前記特典付与手段は、前記待機期間が長いほど次に前記可変入球手段が前記開状態となった場合における前記所定数が多くなるようにすることで前記特典を付与する構成であることを特徴とする特徴Ｄ２に記載の遊技機。
【０６００】
上記構成によれば、待機期間が長いほど、次に可変入球手段が開状態となった場合に入球可能な上限数が増加する。このようにすれば、可変入球手段が開状態である状況、及び閉状態である状況のいずれにおいても、可変入球手段への入球数に関連付けさせることができ、可変入球手段の開閉への注目度を好適に高めることができる。
【０６０１】
特徴Ｄ４．前記特典付与手段は、前記待機期間が短いほど遊技者にとって有利となるように前記特典を付与することが可能な第２手段（演出制御装置８２によるステップＳ９０９の処理を実行する機能、払出制御装置９７による特別入球部２６への入球に基づく賞球を払い出す機能）を備えていることを特徴とする特徴Ｄ１に記載の遊技機。
【０６０２】
上記構成によれば、可変入球手段へ遊技球が入球しにくい閉状態である期間が短ければ、すぐに開状態となるのであるから遊技者にとっては好ましい。さらに、この待機期間が短いほど有利な特典が付与され、より遊技者にとって好ましいものとすることができる。
【０６０３】
特徴Ｄ５．前記待機期間が短いほど、前記可変入球手段への入球数が少なくなることを特徴とする特徴Ｄ４に記載の遊技機。
【０６０４】
上記構成によれば、待機期間が短いほど、可変入球手段への入球数が少なくなる。この場合、入球に基づいて得られる賞球等は少なくなり得る。その一方で、第２手段によって他の特典が付与されるのであるから、可変入球手段への入球数が少なくなることを第２手段によって付与される特典で担保することが可能となる。
【０６０５】
特徴Ｄ６．前記遊技領域に設けられ、遊技球が入球可能な特定入球部（特別入球部２６等）を備え、
前記特典付与手段は、前記待機期間が短いほど前記特定入球部への入球率を向上させることで前記特典を付与する構成であることを特徴とする特徴Ｄ５に記載の遊技機。
【０６０６】
上記構成によれば、待機期間が短いほど、可変入球手段とは異なる特定入球部への入球率が向上する。このようにすれば、可変入球手段への入球数が少なくなっても、他の入球部への入球によって担保することができ、特徴Ｄ５の構成を好適に実現することができる。
【０６０７】
特徴Ｄ７．前記可変入球手段に入球した遊技球を貯留可能な貯留手段（排出通路ＨＴ）を備え、
前記貯留手段は、前記待機期間中に貯留した遊技球を排出する構成であり、
前記第２手段は、前記待機期間が短いほど、排出される遊技球の個数が少なくなることで遊技者にとって有利となるように前記特典を付与することが可能な構成であることを特徴とする特徴Ｄ４乃至Ｄ６のいずれか１に記載の遊技機。
【０６０８】
上記構成によれば、待機期間が短くなれば貯留手段から排出される個数が少なくなる。この場合、例えば、貯留手段から排出された遊技球が所定の通過部を通過することで特典が付与されるような構成においては、多くの遊技球が排出された方が所定の通過部を通過し易くなるものと考えられる。これに対して、上記構成では、排出個数が少ないほど有利となるのであるから、従来の遊技機とは発想が全く逆なものとなる。よって、斬新な遊技性が実現され、遊技への注目度を好適に高めることができる。
【０６０９】
特徴Ｄ８．前記特典付与手段は、
所定の事象が発生したことを契機として前記特典を付与する構成であり、
前記待機期間が長いほど遊技者にとって有利となるように前記特典を付与することが可能な第１手段（閉鎖時間が長いほど排出個数が多くなり次のラウンドで入球可能な個数が多くなること、主制御装置８１による閉鎖時間の設定処理を実行する機能）と、
前記待機期間が短いほど遊技者にとって有利となるように前記特典を付与することが可能な第２手段（演出制御装置８２によるステップＳ９０９の処理を実行する機能、払出制御装置９７による特別入球部２６への入球に基づく賞球を払い出す機能）と、
を備え、
前記第１手段により前記特典が付与される場合と、前記第２手段により前記特典が付与される場合とで、前記特典付与の契機となる前記所定の事象が異なる構成（第１手段は大入賞口３２への入賞の発生、第２手段は特別入球部２６への入賞の発生）であることを特徴とする特徴Ｄ１に記載の遊技機。
【０６１０】
上記構成によれば、待機期間が長いと好ましい第１手段と、待機期間が短いと好ましい第２手段とを、並存させることができる。このような構成であれば、待機期間の長短へ高い関心を寄せさせることができ、新たな遊技性を実現することができる。
【０６１１】
なお、上記特徴Ｄ２乃至Ｄ７のいずれか１にて限定した構成を、上記特徴Ｄ８に適用してもよい。
【０６１２】
＜特徴Ｅ群＞
特徴Ｅ１．遊技球が流下する遊技領域（遊技領域ＰＥ）に設けられ、遊技球が入球可能な第１入球部（大入賞口３２）と、
前記第１入球部へ入球した遊技球を排出するための排出通路（排出通路ＨＴ）と、
前記排出通路にて遊技球を所定個数を上限として貯留することが可能な貯留手段（排出扉１７５）と、
を備え、
前記遊技領域には、遊技球が入球可能であって前記第１入球部とは異なる第２入球部（一般入賞口３１）が設けられており、
前記第２入球部へ入球した遊技球を排出するための通路が前記排出通路と合流することで、前記貯留手段は前記第２入球部へ入球した遊技球も含めて貯留することが可能な構成であることを特徴とする遊技機。
【０６１３】
上記構成によれば、第１入球部に入球した遊技球が貯留手段にて貯留される構成において、第２入球部に入球した遊技球も当該貯留手段にて貯留される。このような構成とすることで、例えば貯留手段に貯留された貯留個数によって第１入球部への入球数を管理する場合、第１入球部だけでなく第２入球部への入球数も含めた個数で管理することができる。よって、複数の入球部のトータルの入球数を管理することができ、出球率の管理を容易に行うことが可能となる。また、例えば、入球する入球部によって異なる特典が付与される構成においては、どの入球部へ入球するか、といった点に大きな関心を寄せられるところ、上記のようにトータルの入球数が管理されるのであれば、より一層、入球する入球部への関心が高められる。
【０６１４】
特徴Ｅ２．前記第１入球部へ遊技球が入球したことに基づいて第１特典（１５個賞球）を付与し、前記第２入球部へ遊技球が入球したことに基づいて前記第１特典とは遊技者にとっての有利度が異なる第２特典（１０個賞球）を付与することが可能な特典付与手段（払出制御装置９７）を備えていることを特徴とする特徴Ｅ１に記載の遊技機。
【０６１５】
上記構成によれば、第１入球部へ入球した遊技球が貯留される場合と第２入球部へ入球した遊技球が貯留される場合とで、貯留手段による貯留先は共通しているものの、いずれの入球部へ入球させるかによって、遊技者にとっての有利度が異なる。このような構成であれば、トータルの入球数を遊技機側で管理しつつも、いずれの入球部に入球させるか、といった遊技性を加えることができ、遊技の多様化に大きく貢献することができる。
【０６１６】
特徴Ｅ３．前記第１入球部へ遊技球が入球したことに基づいて第１特典（１５個賞球）を付与し、前記第２入球部へ遊技球が入球したことに基づいて前記第１特典とは遊技者にとっての有利度が低い第２特典（１０個賞球）を付与することが可能な特典付与手段（払出制御装置９７）と、
前記貯留手段に前記第２入球部から入球した遊技球が貯留されることにより、遊技者にとって有利な特定事象（例えばＶ入賞）が生じ易くなる構成であることを特徴とする特徴Ｅ１又は特徴Ｅ２に記載の遊技機。
【０６１７】
上記構成によれば、第１入球部へ入球させた方が有利な第１特典が付与されていることや、貯留個数の上限が所定個数として設定されていることから鑑みると、全て第１入球部からの入球によって貯留手段に貯留させたほうが好ましくも思える。一方で、第２入球部から入球した遊技球が貯留されると、特定事象が発生し易くなるため、第２入球部への入球も発生させたほうが好ましくなる。このようにすれば、各入球部へ入球させる意義が生じ、排出通路が合流する構成を用いて、いずれの入球部へ入球させるかといった遊技を好適に実現することができる。
【０６１８】
特徴Ｅ４．前記貯留手段に第１個数の遊技球が貯留されている状況で前記第２入球部から入球する遊技球が前記貯留手段に貯留される場合と、前記貯留手段に前記第１個数とは異なる第２個数の遊技球が貯留されている状況で前記第２入球部から入球する遊技球が前記貯留手段に貯留される場合とで、前記特定事象の発生確率が異なる構成であることを特徴とする特徴Ｅ３に記載の遊技機。
【０６１９】
上記構成によれば、第２入球部への入球タイミングも加味して、いずれの入球部へ入球させるか、を遊技者に選択させることができる。このようにすれば、より遊技性が向上し、興趣向上に役立てることが可能となる。
【０６２０】
＜特徴Ｆ群＞
特徴Ｆ１．遊技球が流下する遊技領域（遊技領域ＰＥ）に設けられ、遊技球が入球可能な開状態と当該開状態よりも入球しにくい閉状態とに変位可能な可変入球手段（可変入賞ユニット１５１）と、
前記可変入球手段を前記閉状態から前記開状態とし、その後前記閉状態とする可変入球制御を実行する可変入球制御手段（主制御装置８１による大入賞口開閉処理を実行する機能）と、
前記可変入球手段が前記開状態となることとは異なる特定条件（遊技球の排出）が成立するまで遊技球の入球を規制することが可能な規制手段（排出扉１７５）と、
を備え、
前記可変入球手段を複数有することを特徴とする遊技機。
【０６２１】
上記構成によれば、可変入球手段は、開状態となった場合であっても特定条件が成立するまでは遊技球の入球が規制される。このようにすれば、可変入球手段の開閉動作のみによって入球の可否を決定する従来の遊技機とは大きく相違する遊技性を実現することが可能となり、興趣向上に大いに役立たせることが可能となる。その一方で、例えば、可変入球制御が複数回行われる状態となった場合には、規制手段による規制によってその状態の進行が滞る可能性が生じる。そこで、上記のような可変入球手段を複数有するようにすれば、例えばこれら複数の可変入球手段を交互に開閉動作させるなどして、遊技の進行を好適に実現することができる。
【０６２２】
特徴Ｆ２．前記可変入球手段に入球した遊技球を前記遊技領域から排出するための排出通路（排出通路ＨＴ）が設けられており、
前記排出通路から遊技球が排出されることで前記特定条件が成立する構成であることを特徴とする特徴Ｆ１に記載の遊技機。
【０６２３】
上記構成によれば、排出通路から遊技球が排出されると、遊技球の入球が許容される。換言すると、排出通路から遊技球が排出されない限りは、可変入球手段が開状態となっても遊技球が入球しない。このようにすれば、可変入球手段への入球の有無だけでなく、当該可変入球手段へ入球した後の遊技球に対しても関心を寄せさせることができる。つまり、遊技領域内の遊技球の挙動だけでなく、遊技領域外の遊技球の挙動に対しても注目させることができ、遊技の注目度を高める上で好ましい。
【０６２４】
一方で、排出通路から遊技球が排出されないと、可変入球手段へ入球させることができないのであるから、可変入球手段へ多量の遊技球の入球を発生させたい場合等、スムーズな遊技の進行が行えない可能性もある。その点、上記のような可変入球手段を複数設ける構成とすれば、例えば、一の可変入球手段から遊技球を排出している期間においては、他の可変入球手段に入球させる等の構成とすれば、遊技をスムーズに行うことができる。
【０６２５】
特徴Ｆ３．前記排出通路は、前記可変入球手段に入球した遊技球を所定個数を上限として貯留可能な構成であり、
前記排出通路に貯留された遊技球が前記所定個数よりも少ない特定個数排出されることで前記特定条件が成立する構成であることを特徴とする特徴Ｆ２に記載の遊技機。
【０６２６】
上記構成によれば、全球排出されなくても、可変入球手段へ遊技球が入球可能となる。これにより、よりスムーズな遊技を実現することができる。
【０６２７】
特徴Ｆ４．前記排出通路は、遊技球を貯留可能な貯留状態と貯留しない非貯留状態とに変位可能な変位手段（排出扉１７５）を有し、
前記可変入球手段が前記閉状態となることで、前記変位手段が前記非貯留状態に変位する構成であることを特徴とする特徴Ｆ２又は特徴Ｆ３に記載の遊技機。
【０６２８】
上記構成によれば、可変入球手段が閉状態であり遊技球が入球できない状態において排出通路からの遊技球の排出が行われる。このようにすれば、可変入球手段への入球が発生しつつ遊技球が排出されるといった事象が生じず、可変入球手段を開状態とする以外に入球が許容されるための条件を設けた意義を担保することができる。
【０６２９】
特徴Ｆ５．複数の前記可変入球手段のうちの一の可変入球手段の前記変位手段が前記非貯留状態となっている間に、複数の前記可変入球手段のうちの他の可変入球手段の前記変位手段が前記貯留状態となる構成であることを特徴とする特徴Ｆ４に記載の遊技機。
【０６３０】
上記構成によれば、複数の可変入球手段を用いて、一の可変入球手段から遊技球を排出している期間においては他の可変入球手段を開状態として入球させる構成となり、排出に要する期間をうまく利用してスムーズな遊技を実現することが可能となる。
【０６３１】
特徴Ｆ６．前記可変入球手段は、前記開状態となることで遊技球が入球可能となる入口部（扉部１６５）と、遊技領域を流下する遊技球を受けるとともに、前記入口部へ遊技球を誘導する受け部（受け部１６３）と、を有し、
複数の前記可変入球手段における一の可変入球手段の前記受け部にて受けられた遊技球のうち当該一の可変入球手段の前記入口部から入球しなかった遊技球を、他の可変入球手段の前記受け部が受けることが可能なように、各可変入球手段が配置されていることを特徴とする特徴Ｆ１乃至Ｆ５のいずれか１に記載の遊技機。
【０６３２】
上記構成によれば、一の可変入球手段に入球しなかった遊技球を無駄球とせずに、他の可変入球手段へ入球させることが可能となる。このようにすれば、特定条件がなかなか成立せずに遊技球が入球しない場合であっても、遊技球の発射を継続させる意義が生じる。
【０６３３】
特徴Ｆ７．前記一の可変入球手段と前記他の可変入球手段が上下に並設されていることを特徴とする特徴Ｆ６に記載の遊技機。
【０６３４】
上記構成によれば、特徴Ｆ６の作用を簡易な構成で奏することが可能となる。
【０６３５】
＜特徴Ｇ群＞
特徴Ｇ１．遊技球が通過可能な通過部（大入賞口３２からの排出通路ＨＴ）を有し、
前記通過部には、当該通過部を遊技球が通過可能な開位置と通過不可な閉位置に変位可能な第１開閉部材（扉部１６５）と第２開閉部材（排出扉１７５）とが設けられており、
前記第１開閉部材を前記開位置と前記閉位置とに変位させる変位手段（可変入賞駆動部１８１）を備え、
前記変位手段によって前記第１開閉部材が変位することで、前記第１開閉部材又はそれとは異なる部材を介して前記第２開閉部材の変位が行われる又は変位が規制される構成であることを特徴とする遊技機。
【０６３６】
上記構成によれば、第１開閉部材が変位すると第２開閉部材の変位が行われる又は変位が規制されるため、第１開閉部材と第２開閉部材との変位を一の変位手段によって行うことが可能となる。特に両開閉部材は、閉位置となることで通過部の通過を不可とするものであり、遊技球の挙動に変化を生じさせる役物である。このような遊技球の挙動に変化を生じさせる役物については、動作のための駆動契機を予め定められたものとしたり周期駆動するものとするなどして、駆動を規則化して遊技の透明性を担保する必要がある。しかし、このような規則化した駆動だけでは遊技球の挙動の変化を十分に生じさせることが困難である場合がある。かといって、駆動のための変位手段を複数設ける構成とすると、構成の複雑化だけでなく、規則化が困難となったりする不具合もある。そこで、上記構成のように一の変位手段によって両開閉部材の変位を生じさせる構成とすれば、駆動の規則化と遊技球の挙動の多様化との両立を図ることが可能となる。
【０６３７】
特徴Ｇ２．前記第１開閉部材が前記閉位置から前記開位置に変位することで、当該第１開閉部材又はそれとは異なる部材を介して前記第２開閉部材が前記開位置から前記閉位置に変位する構成であることを特徴とする特徴Ｇ１に記載の遊技機。
【０６３８】
上記構成によれば、第１開閉部材が開位置に変位すると、第２開閉部材は閉位置に変位する。このようにすれば、第１開閉部材の通過を許容しつつも、第２開閉部材によって通過を制限する、といった事象を、第１開閉部材を変位させるだけで実現することができる。
【０６３９】
特徴Ｇ３．前記第１開閉部材が前記開位置から前記閉位置に変位することで、前記第２開閉部材の前記開位置から前記閉位置への変位が規制される構成であることを特徴とする特徴Ｇ１又は特徴Ｇ２に記載の遊技機。
【０６４０】
上記構成によれば、第１開閉部材が閉位置に変位すると、第２開閉部材は開位置に変位する。このようにすれば、第１開閉部材の通過を制限しつつも、第２開閉部材の通過を許容する、といった事象を、第１開閉部材を変位させるだけで実現することができる。
【０６４１】
特に上記構成を、特徴Ｇ２に適用すれば、第１開閉部材の通過を許容すれば、第２開閉部材によって通過が制限され、第１開閉部材の通過を制限すれば、第２開閉部材によって通過が許容される、といった構成となる。このようにすれば、通過部において通過が制限／許容される箇所を、交互に設定することができ、しかもその設定を一方の箇所における変位によって行うことが可能となる。これにより、簡素な構成によって通過部における遊技球の挙動を変化させることが可能となる。
【０６４２】
特徴Ｇ４．前記第２開閉部材を前記開位置に保持する保持手段（ねじりバネ１７７）を備え、
前記第１開閉部材が前記開位置から前記閉位置に変位することで、前記保持手段によって前記第２開閉部材が前記開位置に保持される保持力よりも大きな力が前記第２開閉部材に加わることを特徴とする特徴Ｇ１乃至Ｇ３のいずれか１に記載の遊技機。
【０６４３】
上記構成によれば、第２開閉部材については、第１開閉部材からの力が付与されるまでは開位置に保持され、第１開閉部材からの力が付与されることで閉位置に変位する。このような構成とすれば、第２開閉部材の変位について、開位置から閉位置への変位を第１開閉部材とリンクさせればよく、変位手段の共用化を図るうえで、比較的簡素な構成とすることができる。
【０６４４】
特徴Ｇ５．前記第１開閉部材は第１方向に延在する回動軸（誘導回動軸１６４）を中心に回動することで前記開位置と前記閉位置とに変位する構成であり、
前記第２開閉部材は前記第１方向に延在する回動軸（排出回動軸１７６）を中心に回動することで前記開位置と前記閉位置とに変位する構成であることを特徴とする特徴Ｇ１乃至Ｇ４のいずれか１に記載の遊技機。
【０６４５】
上記構成によれば、第１開閉部材と第２開閉部材とで回動軸が平行となるため、回動軸が交差する構成とするよりも、変位手段からの動力を伝達する上で、力の損失が少なくて済む。
【０６４６】
特徴Ｇ６．前記通過部において、前記第１開閉部材が前記閉位置に配置されることによって規制する遊技球の移動方向と、前記第２開閉部材が前記閉位置に配置されることによって規制する遊技球の移動方向と、が交差することを特徴とする特徴Ｇ５に記載の遊技機。
【０６４７】
上記構成によれば、特徴Ｇ５に示したように、各開閉部材の回動軸は平行である一方で、各開閉部材が設けられている位置における通過部の通路方向が交差する。このような構成であれば、変位手段からの動力を好適に各開閉部材に伝達しつつも、通過部の形状の自由度が向上する。
【０６４８】
特徴Ｇ７．前記通過部において、前記第１開閉部材が前記第２開閉部材よりも上流側に配置されていることを特徴とする特徴Ｇ１乃至Ｇ６のいずれか１に記載の遊技機。
【０６４９】
上記構成によれば、上流側に設けられている部材に対して変位手段からの力が直接付与されることになる。変位手段からの力が第１開閉部材を介して伝達する第２開閉部材の方が、変位のレスポンスは幾分遅くなるものと考えられる。その点、レスポンスの速い側を上流側に設ける構成とすれば、遊技球の挙動に変化を与える上で好ましい。
【０６５０】
特徴Ｇ８．前記通過部において、前記第１開閉部材と前記第２開閉部材との間の領域の長さが、遊技球１個分の長さ以上であって複数である所定個数（１０個）分の遊技球の長さ以下となるように設定されていることを特徴とする特徴Ｇ１乃至Ｇ７のいずれか１に記載の遊技機。
【０６５１】
上記構成によれば、通過部において下流側に配置される開閉部材が閉位置に変位すると、上流側に配置される側の開閉部材との間の領域に遊技球が留まることになる。このようにすれば、例えば上流側の開閉部材が閉位置に変位しなくてもそれ以上の遊技球の流入は制限されることになり、このような事象を利用して、通過部へ通じる入球部への入球の許容／制限を開閉部材の変位だけでなく実現することが可能となる。
【０６５２】
特徴Ｇ９．前記通過部において、前記第１開閉部材と前記第２開閉部材との間の領域に、前記所定個数の遊技球が存在する状況で、前記第１開閉部材及び前記第２開閉部材のうち前記通過部における上流側に配置される側が、前記所定個数目の遊技球よりも上流側であって、前記所定個数目の遊技球から遊技球の半径分だけ上流に位置する上流位置よりも下流側に配置される構成であることを特徴とする特徴Ｇ８に記載の遊技機。
【０６５３】
上記構成によれば、上流側に配置される側の開閉部材が、所定個数目よりも上流側であって、且つ所定個数目の遊技球から遊技球半個分未満の位置で開位置と閉位置とに変位するため、例えば当該開閉部材が開位置に配置される状況で所定個数を超える遊技球が通過部に流入している／流入待ちの状態となっている状況で当該開閉部材が閉位置に変位する場合、所定個数目の次の遊技球に対して当該遊技球の中心位置よりも下流側で当接しながら閉位置に変位することになる。そのため、当該所定個数目の次の遊技球は、当該閉位置に変位した開閉部材よりも上流側に押し出されるようになり、開閉部材同士の領域内には流入しない。よって、開閉部材同士の領域内に収容される遊技球の個数を所定個数に留めることが可能となる。
【０６５４】
特徴Ｇ１０．前記通過部において、前記第１開閉部材と前記第２開閉部材との間の領域は、曲部を有する曲線通路として形成されていることを特徴とする特徴Ｇ８又は特徴Ｇ９に記載の遊技機。
【０６５５】
上記構成によれば、曲部においては、遊技球同士が直径よりも短い箇所で当接するため、通過部の両開閉部材間の領域における長さを遊技球所定個数分の長さよりも短くすることが可能となる。よって、限られた領域内で、より多くの遊技球を両開閉部材間の領域に収めることが可能となる。
【０６５６】
特徴Ｇ１１．前記通過部を通過可能となる遊技球の上限個数が定められた所定遊技（ラウンド）が設けられており、
前記所定個数は、前記上限個数以下となるように設定されていることを特徴とする特徴Ｇ８乃至Ｇ１０のいずれか１に記載の遊技機。
【０６５７】
上記構成によれば、所定遊技における上限個数以上の通過を、通過部における両開閉部材の間の領域の長さと当該両開閉部材の開閉によって制限することが可能となる。これにより、所定遊技において上限個数以上通過するような事象を物理的に制限することができ、遊技の公平性を担保することが可能となる。
【０６５８】
特徴Ｇ１２．前記通過部を通過可能となる遊技球の上限個数が定められた所定遊技（ラウンド）が設けられており、
前記所定個数は、前記上限個数となるように設定されていることを特徴とする特徴Ｇ８乃至Ｇ１０のいずれか１に記載の遊技機。
【０６５９】
上記構成によれば、所定遊技における上限個数以上の通過を、通過部における両開閉部材の間の領域の長さと当該両開閉部材の開閉によって制限することが可能となる。これにより、所定遊技において上限個数以上通過するような事象を物理的に制限することができ、遊技の公平性を担保することが可能となる。
【０６６０】
特徴Ｇ１３．前記通過部へ遊技球が流入したことを検知する検知手段（大入賞口用入賞センサ３２ａ）を備え、
前記検知手段は、前記通過部において前記第１開閉部材と前記第２開閉部材との間の領域に設けられていることを特徴とする特徴Ｇ１乃至Ｇ１２のいずれか１に記載の遊技機。
【０６６１】
上記構成によれば、通過部において両開閉部材に挟まれた領域に遊技球が流入したことを、検知手段によって好適に検知することができる。
【０６６２】
この場合、例えば特徴Ｇ８のように両開閉部材の間の領域において遊技球が収容され得る構成であれば、当該間の領域に収容される遊技球の個数を検知手段の検知結果を利用して把握することができる。
【０６６３】
特徴Ｇ１４．前記検知手段よりも下流側において、遊技球が前記検知手段側へ動作することを抑制する抑制手段（戻り防止弁１７８）が設けられていることを特徴とする特徴Ｇ１３に記載の遊技機。
【０６６４】
上記構成によれば、一旦、検知手段に検知された遊技球が、再び検知手段側へ動作して、再度検知されてしまう事象を回避することができる。よって、両開閉部材の間の領域への流入数を遊技機側で正確に把握することが可能となる。
【０６６５】
特徴Ｇ１５．前記抑制手段によって前記検知手段側への動作が抑制された場合の遊技球の前記検知手段側への動作可能位置は、当該遊技球が前記検知手段に検知される位置よりも下流側であって、且つ当該遊技球が後続の遊技球と当接することで当該後続の遊技球が前記検知手段により検知されないようにすることが可能となる位置であることを特徴とする特徴Ｇ１４に記載の遊技機。
【０６６６】
上記構成によれば、検知手段による重複検知を防止しつつも、後続の遊技球の誤検知を回避することができる。
【０６６７】
＜特徴Ｈ群＞
特徴Ｈ１．遊技者による操作に応じて、遊技球が流下する遊技領域に向けて遊技球を発射させる発射手段（遊技球発射機構５３）と、
前記遊技領域に設けられ、遊技球が入球可能な開状態と当該開状態よりも入球しにくい閉状態とに変位可能な可変入球手段（可変入賞ユニット１５１）と、
前記可変入球手段を前記閉状態から前記開状態とし、その後前記閉状態とする可変入球制御を実行する可変入球制御手段（主制御装置８１による大入賞口開閉処理を実行する機能）と、
特定事象（大当たり結果、特別外れ結果）が発生したことに基づいて、遊技状態を前記可変入球手段による前記可変入球制御を複数回実行可能な特定状態に設定する特定状態設定手段（主制御装置８１による遊技状態移行処理を実行する機能）と、
前記特定事象の種類に応じて、前記特定状態において前記可変入球制御手段による前記可変入球制御が所定の制御態様となるように制御パターンを設定する設定手段（主制御装置８１におけるステップＳ１１０５〜ステップＳ１１１４、ステップＳ１１２５の処理を実行する機能）と、
を備え、
前記設定手段は、第１の事象（非明示２Ｒ確変大当たり結果）が発生したことに基づく第１特定状態において設定する制御パターンと、前記第１の事象とは異なる第２の事象（特別外れ結果）が発生したことに基づく第２特定状態において設定する制御パターンと、を同じ制御パターンとすることが可能な構成であり、
前記第１特定状態において前記可変入球手段に所定個数の遊技球を入球させた場合と、前記第２特定状態において前記可変入球手段に前記所定個数の遊技球を入球させた場合とで、前記可変入球制御の制御態様が異なることを特徴とする遊技機。
【０６６８】
上記構成によれば、特定事象に基づいて設定される特定状態において、遊技機側で設定する可変入球制御手段の制御態様の制御パターンは、第１特定状態と第２特定状態とで同じであるものの、可変入球手段に所定個数の遊技球を入球させると、当該設定した制御パターンの制御態様とは異なるようにすることができる。よって、遊技者は第１の事象に基づいて特定状態に設定されたのか、それとも第２の事象に基づいて設定されたのかを知りたければ、可変入球手段に所定個数の遊技球を入球させればよいことになる。よって、遊技の積極参加を促し、遊技への注目度を好適に高めることができる。
【０６６９】
特徴Ｈ２．前記第１特定状態と前記第２特定状態とで、前記可変入球手段に入球可能な遊技球の上限個数が同じ個数であることを特徴とする特徴Ｈ１に記載の遊技機。
【０６７０】
上記構成によれば、第１特定状態と第２特定状態とで、入球に基づいて得られる特典等が同じになる。つまり、所定個数入球させると、得られる特典が異なるのではなく、第１の事象であったか第２の事象であったかがわかるだけである。このようにすることで、遊技者の利益に関与しない範囲で、遊技者の介入を促すことができる。よって、遊技の公平性を担保しつつも、遊技の注目度を高めることができる。
【０６７１】
特徴Ｈ３．前記特定状態中の特定演出を、所定の演出手段（図柄表示装置４１）にて実行する演出実行手段（演出制御装置８２）を備え、
前記演出実行手段は、前記第１特定状態と前記第２特定状態とで同じ演出を実行することが可能であることを特徴とする特徴Ｈ１又は特徴Ｈ２に記載の遊技機。
【０６７２】
上記構成によれば、制御パターンや演出からは見た目上、判別できないものを、所定個数入球させることによって判別することが可能となる。よって、遊技者のやる気が高められる。
【０６７３】
＜特徴Ｉ群＞
特徴Ｉ１．遊技球が流下する遊技領域（遊技領域ＰＥ）に設けられ、遊技球が入球可能な所定の入球部（大入賞口３２）と、
前記所定の入球部へ遊技球が入球可能となる入球可能状態と遊技球が入球不可又は入球困難となる入球不可状態とに切換可能な可変入球手段（扉部１６５）と、
前記所定の入球部へ入球した遊技球を排出するための排出通路（排出通路ＨＴ）と、
前記排出通路に設けられ、遊技球を排出可能となる排出可能状態と遊技球を排出不可となる排出不可状態とに切換可能な可変排出手段（排出扉１７５）と、
前記排出通路から分岐する通路であって、遊技球を前記排出通路とは異なる領域へ導出することが可能な分岐通路（分岐通路ＢＴ）と、
を備え、
前記可変入球手段へ入球した遊技球が前記分岐通路へ導出された場合のほうが、前記分岐通路へ導出されないよりも遊技者にとって有利となる構成であり、
前記可変排出手段から第１個数の遊技球が排出される場合、前記分岐通路側へ遊技球が導出されにくくし、前記可変入球手段から前記第１個数より少ない第２個数の遊技球が排出される場合、前記分岐通路側へ遊技球が導出され易くなるようにする特定手段（主制御装置８１による閉鎖時間の設定処理を実行する機能、振分用駆動処理を実行する機能）を備えていることを特徴とする遊技機。
【０６７４】
上記構成によれば、可変入球手段に入球した遊技球が排出通路から排出される構成において、排出通路には遊技球を排出可能とする排出可能状態と排出不可とする排出不可状態とに切換可能な可変排出手段が設けられており、当該可変排出手段から排出される遊技球の個数によって、遊技者にとって有利となる分岐通路側へ導出されるか否かが変化する。この場合、可変排出手段から排出される個数が少ないほど分岐通路側へ導出され易くなる構成としているため、仮に可変入球手段への入球個数が少なくて、可変排出手段から排出される個数が少なくても遊技者としては好ましい事象となる。以上の結果、入球数に応じた特典が付与される従来の遊技機とは全く異なる斬新な遊技機とすることができる。
【０６７５】
特徴Ｉ２．前記特定手段は、前記可変入球手段から排出される遊技球の個数が前記第１個数の場合と前記第２個数の場合とで前記所定の入球部への入球数を異ならせることなく、前記分岐通路への導出率を変化させることが可能な構成であることを特徴とする特徴Ｉ１に記載の遊技機。
【０６７６】
上記構成によれば、所定の入球部への入球数が変化しないので、例えば、所定の入球部への入球に基づいて賞球が付与される構成においては、総賞球数を変化させることなく分岐通路への導出率のみを変化させることができる。よって、遊技機の仕様の大きな変更を要することなく、有利な分岐通路へ導出させる遊技性を実現することが可能となる。
【０６７７】
特徴Ｉ３．前記分岐通路との分岐位置に設けられ、遊技球を前記分岐通路に導出する態様と、前記分岐通路に導出しない態様とに切換可能な可変振分手段（振分部３０１）と、
予め定められた所定周期で前記可変振分手段の切換制御を実行する可変振分制御手段（主制御装置８１による振分駆動用処理を実行する機能）と、
を備え、
前記特定手段は、前記可変振分手段による前記切換制御の所定周期を変更することなく、前記分岐通路への導出率を変化させることが可能な構成であることを特徴とする特徴Ｉ１又はＩ２に記載の遊技機。
【０６７８】
上記構成によれば、分岐位置に設けられた可変振分手段の切換制御のタイミングは相違しないため、純粋に可変排出手段からの排出個数によって有利な分岐通路へ導出されるか否かが決定する。よって、切換制御のタイミングが変更されることによる不信感を抱かせることなく、遊技に集中させることが可能となる。
【０６７９】
特徴Ｉ４．前記可変振分手段は、前記可変排出手段よりも下流側に配置されていることを特徴とする特徴Ｉ３に記載の遊技機。
【０６８０】
上記構成によれば、可変排出手段によって排出された遊技球が可変振分手段に振り分けられる位置関係となる。換言すると、排出不可状態であれば、可変振分手段よりも前で遊技球が貯留される位置関係となる。よって、可変振分手段に遊技球が到達する様が見逃されてしまう可能性を低くすることができ、遊技球の挙動に注目させ易くなる。
【０６８１】
特徴Ｉ５．前記可変排出手段は、前記第２個数の遊技球を排出した場合の方が前記第１個数の遊技球を排出した場合よりも、その後の排出タイミングにおいて排出可能となる遊技球の個数が多くなり得る構成であることを特徴とする特徴Ｉ１乃至Ｉ４のいずれか１に記載の遊技機。
【０６８２】
上記構成によれば、少ない側の第２個数を排出した場合の方が、多い側の第１個数を排出した場合よりも、その後の排出タイミングにおいては、排出可能となる遊技球の個数が多くなる。つまり、先の排出タイミングで少なく排出するほど、後の排出タイミングでは多く排出可能となる。ここで、排出数が少ないほど有利となる構成において、排出数が少なければ、排出通路に留まる遊技球の個数も多くなることから、所定の入球部への入球が制限される場合等が生じ得る。これに対して、上記のようにすれば、排出数が少ないことによって、その後の入球数が制限される等の不都合が生じにくくなる。
【０６８３】
特徴Ｉ６．前記特定手段は、前記その後の排出タイミングにおいて遊技球を前記分岐通路に導出され易くするものであることを特徴とする特徴Ｉ５に記載の遊技機。
【０６８４】
上記構成によれば、先の排出タイミングでは排出数が少なくなり、後の排出タイミングでは排出数が多くなる事象を利用して、多くなる排出数の際に分岐通路へ導出され易くしている。このようにすれば、少ない個数で分岐通路への導出を行うための特殊な構成を用意する必要がなく、簡易な構成で特徴Ｉ１の効果を奏することができる。
【０６８５】
特徴Ｉ７．予め定められた移行契機（大当たり発生）に基づいて、前記可変入球手段を前記入球不可状態から前記入球可能状態に切り換え、その後前記入球不可状態に切り換える可変切換制御を複数回実行可能となる特定状態に移行させる移行手段（主制御装置８１による遊技状態移行処理を実行する機能）と、
前記特定状態において、前記可変入球手段が前記入球不可状態に切り換えられてから前記入球可能状態に切り換えられるまでの所定の待機期間（インターバル期間）を設定する設定手段（主制御装置８１による閉鎖時間の設定処理を実行する機能）と、
を備え、
前記可変排出手段は、前記設定手段により設定される前記所定の待機期間中に前記排出可能状態となる構成であり、前記設定手段により設定される前記所定の待機期間が第１期間である場合に前記第１個数の遊技球を排出可能とし、前記設定手段により設定される前記所定の待機期間が前記第１期間よりも短い第２期間である場合に前記第２個数の遊技球を排出可能となる構成であることを特徴とする特徴Ｉ１乃至Ｉ６のいずれか１に記載の遊技機。
【０６８６】
上記構成によれば、特定状態中の所定の待機期間の長さを異ならせることで第１個数が排出されるか、それとも第２個数が排出されるかが相違する。このようにすれば、可変入球手段が入球不可状態となり遊技球を入球させることができず、注目度が低下しがちな状況であっても、遊技者の注目を集めることが可能となる。
【０６８７】
特徴Ｉ８．前記設定手段により前記第２期間が設定された後は、前記可変排出手段が前記排出可能状態となる際には前記第２期間が設定された場合よりも長い期間で前記排出可能状態が維持可能となり易くなる構成であることを特徴とする特徴Ｉ７に記載の遊技機。
【０６８８】
上記構成によれば、第２期間として少ない第２個数を排出した場合は、一の可変切換制御において入球した遊技球のうち排出されなかった残存球が存在し得る。そうすると、次の可変切換制御においては、入球した遊技球に加えて当該残存球が排出通路に貯留されることになる。そこで、第２期間が設定された後は、多数の遊技球を排出可能とするようにしたことで、その後の入球数に制限が生じる等の不都合の発生を回避することができる。
【０６８９】
特徴Ｉ９．前記特定状態において、前記複数回の前記可変切換制御を終了した後、通常の遊技状態へ移行するまでの終了期間（エンディング期間）が設定されており、
前記終了期間は、前記設定手段により前記第２期間が設定された場合に前記可変排出手段から排出されずに残存した残存球と、一の可変切換制御において入球可能となる上限入球数との合計数を排出するために要する期間よりも長くなるように設定されていることを特徴とする特徴Ｉ８に記載の遊技機。
【０６９０】
上記構成によれば、終了期間中に全ての遊技球が排出され易くなり、排出が終わっていないのにもかかわらず、通常の遊技状態へ移行してしまう不都合を回避することができる。特に、分岐通路へ導出された場合に、通常の遊技状態における有利度を変化させる構成においては、例えば全遊技球が排出されておらず分岐通路へ導出される可能性が残っている遊技球が存在するのにもかかわらず、通常の遊技状態へ移行させなくてはいけない、という事象が生じ得る。そこで、上記のようにすれば、全ての遊技球について分岐通路へ導出されるか否かの判定が終了してから通常の遊技状態へ移行させることが可能となるため、上記のような不都合が生じない。
【０６９１】
特徴Ｉ１０．前記設定手段は、予め定められた抽選契機に基づいて、前記第１期間及び前記第２期間を含む複数の所定の待機期間のうちから一の待機期間を抽選することが可能な抽選手段（主制御装置８１によるステップＳ１８０１〜ステップＳ１８０２の処理を実行する機能）を備え、
前記抽選手段は、前記移行手段による遊技状態の移行判定とは別途前記抽選を実行するものであることを特徴とする特徴Ｉ７に記載の遊技機。
【０６９２】
上記構成によれば、特定状態への移行判定とは別途、待機期間が抽選により決定されるようになるため、例えば複数の特定状態が存在する構成において、遊技者にとって好ましくない特定状態となったとしても、抽選手段による抽選に望みを残す、といった遊技性を実現することができる。
【０６９３】
特徴Ｉ１１．前記第２個数は、一の可変切換制御において入球可能となる上限入球個数よりも少ない個数として設定されており、
前記設定手段は、前記特定状態における各前記所定の待機期間を前記第２期間として設定するものであり、
前記移行手段により移行される前記特定状態として、前記可変切換制御の回数が異なる複数種類の特定状態が設定されていることを特徴とする特徴Ｉ７に記載の遊技機。
【０６９４】
上記構成によれば、第２個数の遊技球が排出される場合には、一の所定の待機期間において排出されずに残存する残存球が存在することになる。このような構成であって、設定手段は、各所定の待機期間を一律で第２期間として設定するのであるから、各所定の待機期間において所定個数の遊技球がそれぞれ残存して蓄積されていくことになる。つまり、分岐通路へ分岐するための遊技球が徐々に蓄積されていくことになり、所定の待機期間の回数、すなわち可変切換制御の回数が多いほど、分岐通路へ分岐し易くなる。よって、各特定状態において所定の待機期間の長短を変更しなくても、分岐通路への分岐率を変化させることが可能となる。
【０６９５】
特徴Ｉ１２．予め定められた移行契機（大当たり発生）に基づいて、前記可変入球手段を前記入球不可状態から前記入球可能状態に切り換え、その後前記入球不可状態に切り換える可変切換制御を複数回実行可能となる特定状態に移行させる移行手段（主制御装置８１による遊技状態移行処理を実行する機能）と、
前記特定状態において、前記可変入球手段が前記入球不可状態に切り換えられてから前記入球可能状態に切り換えられるまでの所定の待機期間（インターバル期間）を設定する設定手段（主制御装置８１による閉鎖時間の設定処理を実行する機能）と、
を備え、
前記所定の入球部及び前記可変入球手段をそれぞれ複数備え、
前記特定状態において、一の前記所定の入球部及び前記可変入球手段における前記可変切換制御と、他の前記所定の入球部及び前記可変入球手段における前記可変切換制御とが、交互に実行可能に構成されており、
前記一の前記所定の入球部及び前記可変入球手段に対応する前記可変排出手段は、当該一の前記所定の入球部及び前記可変入球手段における前記可変切換制御が行われている期間では前記排出不可状態となり、前記他の前記所定の入球部及び前記可変入球手段における前記可変切換制御が行われている期間では前記排出可能状態となる構成であることを特徴とする特徴Ｉ１乃至Ｉ６のいずれか１に記載の遊技機。
【０６９６】
上記構成によれば、複数セットの所定の入球部及び可変入球手段を有する構成において、特定状態の可変切換制御がそれぞれのセットで交互に行われ得る。この場合、一方の可変切換制御をより早期に終了させれば、他方のセットにおける排出可能期間が短くなる。つまり、上記のように早期に終了されることができれば、分岐通路へ導出され易くなる。このようにすれば、遊技機側の設定を大きく変更することなく、可変切換制御の実施期間の長短によって分岐通路へ導出され易さに変化を生じさせることが可能となる。
【０６９７】
なお、上記構成は、「一の前記可変切換制御において、予め定められた所定個数の遊技球が前記所定の入球部へ入球したことに基づいて、当該可変切換制御を終了する終了手段」を備える構成とすると、より終了条件が明確になるとともに、遊技球を早期にたくさん入球させたほうがより有利となるというわかり易い遊技性を実現可能となる。
【０６９８】
なお、上述した各特徴Ａ〜Ｉ群の各発明に示した技術的思想を、各特徴Ａ〜Ｉ群の各発明に対して互いに適用してもよく、一部又は全部を組み合わせ各特徴Ａ〜Ｉ群の各発明に対して適用してもよい。また、各特徴Ａ〜Ｉ群の各発明に示した各種構成の全て又は一部を任意に組み合わせることも可能である。
【０６９９】
以下に、以上の各特徴を適用し得る遊技機の基本構成を示す。
【０７００】
パチンコ遊技機：遊技者が操作する操作手段と、その操作手段の操作に基づいて遊技球を発射する遊技球発射手段と、その発射された遊技球を所定の遊技領域に導く球通路と、遊技領域内に配置された各遊技部品とを備え、それら各遊技部品のうち所定の通過部を遊技球が通過した場合に遊技者に特典を付与する遊技機。
【０７０１】
スロットマシン等の回胴式遊技機：複数の図柄からなる図柄列を変動表示した後に図柄列を最終停止表示する可変表示手段を備え、始動用操作手段の操作に起因して図柄の変動が開始され、停止用操作手段の操作に起因して又は所定時間経過することにより図柄の変動が停止され、その停止時の最終停止図柄が特定図柄であることを必要条件として遊技者に有利な特別遊技状態（ボーナスゲーム等）を発生させるようにした遊技機。
【０７０２】
球使用ベルト式遊技機：複数の図柄からなる図柄列を変動表示した後に図柄列を最終停止表示する可変表示手段を備え、始動用操作手段の操作に起因して図柄の変動が開始され、停止用操作手段の操作に起因して又は所定時間経過することにより図柄の変動が停止され、その停止時の最終停止図柄が特定図柄であることを必要条件として遊技者に有利な特別遊技状態（ボーナスゲーム等）を発生させるようにし、さらに、球受皿を設けてその球受皿から遊技球を取り込む投入処理を行う投入装置と、前記球受皿に遊技球の払出を行う払出装置とを備え、投入装置により遊技球が投入されることにより前記始動用操作手段の操作が有効となるように構成した遊技機。
【符号の説明】
【０７０３】
１０…パチンコ機、３２…大入賞口、３３…上作動口、３４…下作動口、３４ａ…電動役物、８１…主制御装置、８２…演出制御装置、１５１…可変入賞ユニット、１６３…受け部、１６５…扉部、１７４…排出口、１７５…排出扉、１７７…ねじりバネ、１７８…戻り防止弁、１８１…可変入賞駆動部、１９１…排出駆動部、２０１…第１可変入賞ユニット、２０２…第２可変入賞ユニット、振分部…３０１、ＨＴ…排出通路、ＢＴ…分岐通路、ＰＥ…遊技領域、ＰＥ１…上側領域、ＰＥ２…左側領域、ＰＥ３…右側領域、ＰＥ４…下側領域。
【図１】
2018108135.tif 000003
【図２】
2018108135.tif 000004
【図３】
2018108135.tif 000005
【図４】
2018108135.tif 000006
【図５】
2018108135.tif 000007
【図６】
2018108135.tif 000008
【図７】
2018108135.tif 000009
【図８】
2018108135.tif 000010
【図９】
2018108135.tif 000011
【図１０】
2018108135.tif 000012
【図１１】
2018108135.tif 000013
【図１２】
2018108135.tif 000014
【図１３】
2018108135.tif 000015
【図１４】
2018108135.tif 000016
【図１５】
2018108135.tif 000017
【図１６】
2018108135.tif 000018
【図１７】
2018108135.tif 000019
【図１８】
2018108135.tif 000020
【図１９】
2018108135.tif 000021
【図２０】
2018108135.tif 000022
【図２１】
2018108135.tif 000023
【図２２】
2018108135.tif 000024
【図２３】
2018108135.tif 000025
【図２４】
2018108135.tif 000026
【図２５】
2018108135.tif 000027
【図２６】
2018108135.tif 000028
【図２７】
2018108135.tif 000029
【図２８】
2018108135.tif 000030
【図２９】
2018108135.tif 000031
【図３０】
2018108135.tif 000032
【図３１】
2018108135.tif 000033
【図３２】
2018108135.tif 000034
【図３３】
2018108135.tif 000035
【図３４】
2018108135.tif 000036
【図３５】
2018108135.tif 000037
【図３６】
2018108135.tif 000038
【図３７】
2018108135.tif 000039
【図３８】
2018108135.tif 000040
【図３９】
2018108135.tif 000041
【図４０】
2018108135.tif 000042
【図４１】
2018108135.tif 000043
【図４２】
2018108135.tif 000044
【図４３】
2018108135.tif 000045
【図４４】
2018108135.tif 000046
【図４５】
2018108135.tif 000047
【図４６】
2018108135.tif 000048
【図４７】
2018108135.tif 000049
【図４８】
2018108135.tif 000050
【図４９】
2018108135.tif 000051
【図５０】
2018108135.tif 000052